(57)【要約】【課題】遊技者がボタンに起きた変化に気付くことができる遊技機を提供すること。【解決手段】第３図柄表示装置８１に操作を促された期間外で操作部材３１０が操作された場合に状態が切替られ、状態の切替により開閉部材３４０の動作態様を変化可能な切替装置４００を備えるので、不慣れな遊技者に対しても、開閉部材３４０の動作態様を視認させることで誤操作を行っていることに気付かせることができる。また、変化するのは開閉部材３４０の動作態様なので、操作部材３１０を押し込み不可にすることで遊技者が手を痛めることにつながったり、液晶演出が変化する場合のように遊技者の操作により演出が途切れたりすることを防止できる。そのため、敢えて誤操作を行う遊技者は、従来通りの遊技を続行できる。即ち、遊技者は、操作部材３１０の操作の仕方を自分で選択できる。【選択図】図６６
2018166784.tif 000002
【特許請求の範囲】
【請求項１】
遊技者が操作する操作手段と、その操作手段の操作に伴って、第１位置と、その第１位置とは異なる第２位置との間を動作可能とされる動作手段と、その動作手段を前記第１位置へ復帰させる復帰手段と、遊技者に対して前記操作手段を操作する期間を報知する報知手段と、を備える遊技機において、
前記報知手段により報知される期間外で前記操作手段が操作された場合に、第１状態から第２状態へ状態が切り替えられると共に、その状態の切替により前記動作手段の動作態様を変化可能な切替手段を備えることを特徴とする遊技機。
【請求項２】
前記操作手段を介して遊技者に反力を与える反力発生手段を備え、
その反力発生手段が与える反力は、報知期間外での操作の有無に関わらず同等とされることを特徴とする請求項１記載の遊技機。
【請求項３】
前記切替手段は、前記動作手段の動作態様を当接により変化させる当接手段と、
その当接手段を駆動する駆動手段と、
前記報知手段の報知期間外での操作で動作手段が動作することにより第１状態から第２状態へ状態変化可能とされる変位手段と、を備え、
その変位手段は、前記第２状態において、前記動作手段と前記当接手段との間に介在可能とされ、前記変位手段が前記動作手段と前記当接手段との間に介在することで前記操作手段の操作に伴う前記動作手段の動作態様が変化することを特徴とする請求項１又は２に記載の遊技機。
【発明の詳細な説明】
【技術分野】
【０００１】
本発明は、パチンコ機などの遊技機に関するものである。
【背景技術】
【０００２】
パチンコ機等の遊技機において、ボタンの移動を規制するストッパー部材を変位させ、ボタンが押し下げ不可能となる状態を形成可能とすることで、無意味な連打操作を抑制し得る遊技機がある（特許文献１）。
【先行技術文献】
【特許文献】
【０００３】
【特許文献１】特開２０１２−１１５５８６号公報
【発明の概要】
【発明が解決しようとする課題】
【０００４】
しかしながら、上述した従来の遊技機では、不慣れな遊技者は、ボタンが押せなくなっていることに気付き難いという問題点があった。
【０００５】
本発明は、上記例示した問題点を解決するためになされたものであり、不慣れな遊技者がボタンに起きた変化に気付くことができる遊技機を提供することを目的とする。
【課題を解決するための手段】
【０００６】
この目的を達成するために請求項１記載の遊技機は、遊技者が操作する操作手段と、その操作手段の操作に伴って、第１位置と、その第１位置とは異なる第２位置との間を動作可能とされる動作手段と、その動作手段を前記第１位置へ復帰させる復帰手段と、遊技者に対して前記操作手段を操作する期間を報知する報知手段と、を備える遊技機において、前記報知手段により報知される期間外で前記操作手段が操作された場合に、第１状態から第２状態へ状態が切り替えられると共に、その状態の切替により前記動作手段の動作態様を変化可能な切替手段を備える。
【０００７】
請求項２記載の遊技機は、請求項１記載の遊技機において、前記操作手段を介して遊技者に反力を与える反力発生手段を備え、その反力発生手段が与える反力は、報知期間外での操作の有無に関わらず同等とされる。
【０００８】
請求項３記載の遊技機は、請求項１又は２に記載の遊技機において、前記切替手段は、前記動作手段の動作態様を当接により変化させる当接手段と、その当接手段を駆動する駆動手段と、前記報知手段の報知期間外での操作で動作手段が動作することにより第１状態から第２状態へ状態変化可能とされる変位手段と、を備え、その変位手段は、前記第２状態において、前記動作手段と前記当接手段との間に介在可能とされ、前記変位手段が前記動作手段と前記当接手段との間に介在することで前記操作手段の操作に伴う前記動作手段の動作態様が変化する。
【発明の効果】
【０００９】
請求項１記載の遊技機によれば、不慣れな遊技者がボタンに起きた変化に気付くことができる。
【００１０】
請求項２記載の遊技機によれば、請求項１記載の遊技機の奏する効果に加え、反力が変化することにより遊技者に違和感を与えることを防止することができる。
【００１１】
請求項３記載の遊技機によれば、請求項１又は２に記載の遊技機の奏する効果に加え、動作手段の動作を改良することができる。
【図面の簡単な説明】
【００１２】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】パチンコ機の斜視図である。
【図６】操作デバイスの分解斜視図である。
【図７】（ａ）及び（ｂ）は、操作デバイスの正面斜視図である。
【図８】土台部材、クラッチ部材、開閉部材及び切替装置の分解斜視図である。
【図９】図６のＩＸ−ＩＸ線における操作デバイスの断面図である。
【図１０】切替装置の外周面の展開図である。
【図１１】図６のＩＸ−ＩＸ線における操作デバイスの断面図である。
【図１２】図１１の矢印ＸＩＩ方向視における操作デバイスの上面図である。
【図１３】図６のＩＸ−ＩＸ線における操作デバイスの断面図である。
【図１４】図１３の矢印ＸＩＶ方向視における操作デバイスの上面図である。
【図１５】操作デバイスの上面図である。
【図１６】操作デバイスの上面図である。
【図１７】操作デバイスの上面図である。
【図１８】操作デバイスの上面図である。
【図１９】図１８のＸＩＸ−ＸＩＸ線における操作デバイスの断面図である。
【図２０】操作デバイスの上面図である。
【図２１】図２０のＸＸＩ−ＸＸＩ線における操作デバイスの断面図である。
【図２２】（ａ）から（ｄ）は、開閉部材のモデル図である。
【図２３】（ａ）から（ｄ）は、開閉部材のモデル図である。
【図２４】（ａ）及び（ｂ）は、開閉部材のモデル図である。
【図２５】開閉部材のモデル図である。
【図２６】操作デバイスの上面図である。
【図２７】図２６のＸＸＶＩＩ−ＸＸＶＩＩ線における操作デバイスの断面図である。
【図２８】第２実施形態における操作デバイスの正面斜視図である。
【図２９】土台部材、クラッチ部材、開閉部材及び切替装置の分解斜視図である。
【図３０】操作デバイスの上面図である。
【図３１】操作デバイスの上面図である。
【図３２】（ａ）は、各開閉部材の状態の計時変化を示した図であり、（ｂ）は、各開閉部材の構成の置き換え方を図示する表である。
【図３３】（ａ）は、各開閉部材の状態の計時変化を示した図であり、（ｂ））は、各開閉部材の構成の置き換え方を図示する表である。
【図３４】第３実施形態における操作デバイスの正面斜視図である。
【図３５】土台部材、クラッチ部材、開閉部材及び切替装置の分解斜視図である。
【図３６】本体円環部及び調整段部の上面図である。
【図３７】操作デバイスの上面図である。
【図３８】図３７のＸＸＸＶＩＩＩ−ＸＸＸＶＩＩＩ線における操作デバイスの断面図である。
【図３９】操作デバイスの上面図である。
【図４０】図３９のＸＬ−ＸＬ線における操作デバイスの断面図である。
【図４１】図３９のＸＬ−ＸＬ線における操作デバイスの断面図である。
【図４２】図３９のＸＬ−ＸＬ線における操作デバイスの断面図である。
【図４３】操作デバイスの上面図である。
【図４４】図４３のＸＬＩＶ−ＸＬＩＶ線における操作デバイスの断面図である。
【図４５】図４３のＸＬＩＶ−ＸＬＩＶ線における操作デバイスの断面図である。
【図４６】図４３のＸＬＩＶ−ＸＬＩＶ線における操作デバイスの断面図である。
【図４７】第４実施形態における操作デバイスの上面図である。
【図４８】図４７のＸＬＶＩＩＩ−ＸＬＶＩＩＩ線における操作デバイスの断面図である。
【図４９】（ａ）は、切替装置の側面図であり、（ｂ）は、図４９（ａ）の矢印ＸＬＩＸｂ方向視における切替装置の上面図である。
【図５０】（ａ）は、一方の第１復帰部材の正面図であり、（ｂ）は、図５０（ａ）の矢印Ｌｂ方向視における第１復帰部材の上面図であり、（ｃ）は、図５０（ａ）の矢印Ｌｃ方向視における第１復帰部材の側面図である。
【図５１】（ａ）は、一方の第２復帰部材の正面図であり、（ｂ）は、図５１（ａ）の矢印ＬＩｂ方向視における第２復帰部材の上面図であり、（ｃ）は、図５１（ａ）の矢印ＬＩｃ方向視における第２復帰部材の側面図である。
【図５２】図４７のＸＬＶＩＩＩ−ＸＬＶＩＩＩ線における操作デバイスの断面図である。
【図５３】図４７のＸＬＶＩＩＩ−ＸＬＶＩＩＩ線における操作デバイスの断面図である。
【図５４】図４７のＸＬＶＩＩＩ−ＸＬＶＩＩＩ線における操作デバイスの断面図である。
【図５５】操作デバイスの上面図である。
【図５６】操作デバイスの上面図である。
【図５７】図５６のＬＶＩＩ−ＬＶＩＩ線における操作デバイスの断面図である。
【図５８】図５６のＬＶＩＩ−ＬＶＩＩ線における操作デバイスの断面図である。
【図５９】操作部材を押し込み操作した遊技者に与えられる反力の計時変化を示した図である。
【図６０】第５実施形態における操作デバイスの分解正面斜視図である。
【図６１】切替装置の分解正面斜視図である。
【図６２】（ａ）及び（ｂ）は、図６１のＬＸＩＩａ−ＬＸＩＩａ線における本体円環部の部分断面図である。
【図６３】操作デバイスの上面図である。
【図６４】操作デバイスの上面図である。
【図６５】図６４のＬＸＶ−ＬＸＶ線における操作デバイスの断面図である。
【図６６】（ａ）及び（ｂ）は、図６５の矢印ＬＸＶＩａ方向視における開閉部材及び切替装置の部分側面図である。
【図６７】操作デバイスの上面図である。
【図６８】（ａ）及び（ｂ）は、図６７の矢印ＬＸＶＩＩＩａ方向視における開閉部材及び切替装置の部分側面図である。
【図６９】（ａ）から（ｃ）は、図６５の矢印ＬＸＶＩａ方向視における切替装置及び開閉部材の側面図である。
【図７０】図４７のＸＬＶＩＩＩ−ＸＬＶＩＩＩ線に対応する線における第６実施形態における操作デバイスの断面図である。
【図７１】（ａ）は、切替装置の側面図であり、（ｂ）は、図７１（ａ）の矢印ＬＸＸＩｂ方向視における切替装置の上面図である。
【図７２】（ａ）は、開閉部材の正面図であり、（ｂ）は、図７２（ａ）の矢印ＬＸＸＩＩｂ方向視における開閉部材の側面図であり、（ｃ）は、移動カバー部材の正面図であり、（ｄ）は、図７２（ｃ）の矢印ＬＸＸＩＩｄ方向視における移動カバー部材の側面図であり、（ｅ）は、図７２（ｃ）の矢印ＬＸＸＩＩｅ方向視における移動カバー部材の上面図である。
【図７３】操作デバイスの上面図である。
【図７４】図７３のＬＸＸＩＶ−ＬＸＸＩＶ線における操作デバイスの断面図である。
【図７５】図７３のＬＸＸＩＶ−ＬＸＸＩＶ線における操作デバイスの断面図である。
【図７６】操作デバイスの上面図である。
【図７７】図７６のＬＸＸＶＩＩ−ＬＸＸＶＩＩ線における操作デバイスの断面図である。
【図７８】図４７のＸＬＶＩＩＩ−ＸＬＶＩＩＩ線に対応する線における第７実施形態における操作デバイスの断面図である。
【図７９】図４７のＸＬＶＩＩＩ−ＸＬＶＩＩＩ線に対応する線における操作デバイスの断面図である。
【図８０】（ａ）及び（ｂ）は、図７８のＬＸＸＸａ―ＬＸＸＸａ線における操作デバイスの部分断面図である。
【図８１】（ａ）及び（ｂ）は、図７８のＬＸＸＸａ―ＬＸＸＸａ線における操作デバイスの部分断面図である。
【図８２】図４７のＸＬＶＩＩＩ−ＸＬＶＩＩＩ線に対応する線における操作デバイスの断面図である。
【図８３】図４７のＸＬＶＩＩＩ−ＸＬＶＩＩＩ線に対応する線における操作デバイスの断面図である。
【図８４】操作カバーを長期間押し込み操作した場合における操作部材の配置の計時変化を示した図である。
【図８５】操作カバーを短期間押し込み操作した場合における操作部材の配置の計時変化を示した図である。
【図８６】（ａ）は、切替装置の上面図であり、（ｂ）は、図８６（ａ）の矢印ＬＸＸＸＶＩｂ方向視における切替装置の側面図であり、（ｃ）は、図８６（ａ）の矢印ＬＸＸＸＶＩｃ方向視における切替装置の正面図である。
【図８７】操作デバイスの上面図である。
【図８８】（ａ）及び（ｂ）は、図８７のＬＸＸＸＶＩＩＩａ―ＬＸＸＸＶＩＩＩａ線における操作デバイスの部分断面図である。
【図８９】図８７のＬＸＸＸＩＸ−ＬＸＸＸＩＸ線における操作デバイスの断面図である。
【図９０】図８７のＬＸＸＸＩＸ−ＬＸＸＸＩＸ線における操作デバイスの断面図である。
【図９１】操作カバーを長期間押し込み操作した場合における操作部材の配置の計時変化を示した図である。
【図９２】操作カバーを短期間押し込み操作した場合における操作部材の配置の計時変化を示した図である。
【発明を実施するための形態】
【００１３】
以下、本発明の実施形態について、添付図面を参照して説明する。まず、図１から図２７を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１４】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００１５】
内枠１２には、多数の釘や入賞口６３，６４等を有する遊技盤１３（図２参照）が裏面側から着脱可能に装着される。この遊技盤１３の正面を球（遊技球）が流下することにより弾球遊技が行われる。なお、内枠１２には、球を遊技盤１３の正面領域に発射する球発射ユニット１１２ａ（図４参照）やその球発射ユニット１１２ａから発射された球を遊技盤１３の正面領域まで誘導する発射レール（図示せず）等が取り付けられている。
【００１６】
内枠１２の正面側には、その正面上側を覆う正面枠１４と、その下側を覆う下皿ユニット１５とが設けられている。正面枠１４及び下皿ユニット１５を支持するために正面視（図１参照）左側の上下２カ所に金属製のヒンジ１９が取り付けられ、そのヒンジ１９が設けられた側を開閉の軸として正面枠１４及び下皿ユニット１５が正面手前側へ開閉可能に支持されている。なお、内枠１２の施錠と正面枠１４の施錠とは、シリンダ錠２０の鍵穴２１に専用の鍵を差し込んで所定の操作を行うことでそれぞれ解除される。
【００１７】
正面枠１４は、装飾用の樹脂部品や電気部品等を組み付けたものであり、その略中央部には略楕円形状に開口形成された窓部１４ｃが設けられている。正面枠１４の裏面側には２枚の板ガラスを有するガラスユニット１６が配設され、そのガラスユニット１６を介して遊技盤１３の正面がパチンコ機１０の正面側に視認可能となっている。
【００１８】
正面枠１４には、球を貯留する上皿１７が正面側へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００１９】
正面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、正面枠１４の正面視（図１参照）左上部には、ＬＥＤ等の発光手段が内蔵され賞球の払い出し中とエラー発生時とを表示可能な表示ランプ３４が設けられている。
【００２０】
また、右側の電飾部３２下側には、正面枠１４の裏面側を視認できるように裏面側より透明樹脂を取り付けて小窓３５が形成され、遊技盤１３正面の貼着スペースＫ１（図２参照）に貼付される証紙等がパチンコ機１０の正面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２１】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２２】
上皿１７の下側に位置する下皿ユニット１５には、その左側部に上皿１７に貯留しきれなかった球を貯留するための下皿５０が上面を開放した略箱状に形成されている。下皿５０の右側には、球を遊技盤１３の正面へ打ち込むために遊技者によって操作される操作ハンドル５１及び操作デバイス３００が配設される。なお、操作デバイス３００については後述する。
【００２３】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の正面へ球が打ち込まれる。また、操作ハンドル５１が遊技者により操作されていない状態においては、タッチセンサ５１ａおよび発射停止スイッチ５１ｂがオフとなっている。
【００２４】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿（図示せず）が取り付けられている。
【００２５】
図２に示すように、遊技盤１３は、正面視略正方形状に切削加工したベース板６０に、球案内用の多数の釘（図示せず）や風車（図示せず）の他、レール６１，６２、一般入賞口６３、第１入賞口６４、第２入賞口６４０、特定入賞口６５ａ、スルーゲート６７、可変表示装置ユニット８０等を組み付けて構成され、その周縁部が内枠１２（図１参照）の裏面側に取り付けられる。ベース板６０は光透過性の樹脂材料からなり、その正面側からベース板６０の背面側に配設された各種構造体を遊技者に視認させることが可能に形成される。一般入賞口６３、第１入賞口６４、第２入賞口６４０、可変表示装置ユニット８０は、ルータ加工によってベース板６０に形成された貫通穴に配設され、遊技盤１３の正面側からタッピングネジ等により固定されている。
【００２６】
遊技盤１３の正面中央部分は、正面枠１４の窓部１４ｃ（図１参照）を通じて内枠１２の正面側から視認することができる。以下に、主に図２を参照して、遊技盤１３の構成について説明する。
【００２７】
遊技盤１３の正面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の正面外周が囲まれ、遊技盤１３とガラスユニット１６（図１参照）とにより前後が囲まれることにより、遊技盤１３の正面には、球の挙動により遊技が行われる遊技領域が形成される。遊技領域は、遊技盤１３の正面であって２本のレール６１，６２とレール間を繋ぐ樹脂製の外縁部材７３とにより区画して形成される領域（入賞口等が配設され、発射された球が流下する領域）である。
【００２８】
２本のレール６１，６２は、球発射ユニット１１２ａ（図４参照）から発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００２９】
遊技領域の正面視左側下部（図２の左側下部）には、発光手段である複数のＬＥＤ及び７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１０の遊技状態の表示が行われる。本実施形態では、第１図柄表示装置３７Ａ，３７Ｂは、球が、第１入賞口６４へ入賞したか、第２入賞口６４０へ入賞したかに応じて使い分けられるように構成されている。具体的には、球が、第１入賞口６４へ入賞した場合には、第１図柄表示装置３７Ａが作動し、一方で、球が、第２入賞口６４０へ入賞した場合には、第１図柄表示装置３７Ｂが作動するように構成されている。
【００３０】
また、第１図柄表示装置３７Ａ，３７Ｂは、ＬＥＤにより、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３１】
尚、本パチンコ機１０では、第１入賞口６４及び第２入賞口６４０へ入賞があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３２】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３３】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０へ球が入賞し易い遊技の状態のことをいう。一方、パチンコ機１０が通常中とは、確変中でも時短中でもない遊技の状態（大当たり確率も第２図柄の当たり確率もアップしていない状態）である。
【００３４】
確変中や時短中は、第２図柄の当たり確率がアップするだけではなく、第２入賞口６４０に付随する電動役物６４０ａが開放される時間も変更され、通常中と比して長い時間が設定される。電動役物６４０ａが開放された状態（開放状態）にある場合は、その電動役物６４０ａが閉鎖された状態（閉鎖状態）にある場合と比して、第２入賞口６４０へ球が入賞しやすい状態となる。よって、確変中や時短中は、第２入賞口６４０へ球が入賞し易い状態となり、大当たり抽選が行われる回数を増やすことができる。
【００３５】
なお、確変中や時短中において、第２入賞口６４０に付随する電動役物６４０ａの開放時間を変更するのではなく、または、その開放時間を変更することに加えて、１回の当たりで電動役物６４０ａが開放する回数を通常中よりも増やす変更を行うものとしてもよい。また、確変中や時短中において、第２図柄の当たり確率は変更せず、第２入賞口６４０に付随する電動役物６４０ａが開放される時間および１回の当たりで電動役物６４０ａが開放する回数の少なくとも一方を変更するものとしてもよい。また、確変中や時短中において、第２入賞口６４０に付随する電動役物６４０ａが開放される時間や、１回の当たりで電動役物６４０ａを開放する回数はせず、第２図柄の当たり確率だけを、通常中と比してアップするよう変更するものであってもよい。
【００３６】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４及び第２入賞口６４０への入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、スルーゲート６７の球の通過をトリガとして第２図柄を変動表示するＬＥＤで構成される第２図柄表示装置（図示せず）とが設けられている。また、可変表示装置ユニット８０には、第３図柄表示装置８１の外周を囲むようにして、センターフレーム８６が配設されている。
【００３７】
第３図柄表示装置８１は９インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００３８】
第２図柄表示装置は、球がスルーゲート６７を通過する毎に表示図柄（第２図柄（図示せず））としての「○」の図柄と「×」の図柄とを所定時間交互に点灯させる変動表示を行うものである。パチンコ機１０では、球がスルーゲート６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００３９】
パチンコ機１０は、第２図柄表示装置における変動表示が所定図柄（本実施形態においては「○」の図柄）で停止した場合に、第２入賞口６４０に付随された電動役物６４０ａが所定時間だけ作動状態となる（開放される）よう構成されている。
【００４０】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０の電動役物６４０ａが開放状態となる機会を遊技者に多く与えることができる。よって、確変中および時短中は、第２入賞口６４０へ球が入賞しやすい状態とすることができる。
【００４１】
なお、確変中または時短中において、当たり確率を高める、１回に当たりに対する電動役物６４０ａの開放時間や開放回数を増やすなど、その他の方法によっても、確変中または時短中に第２入賞口６４０へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する電動役物６４０ａの開放時間や開放回数を遊技状態にかかわらず一定にしてもよい。
【００４２】
スルーゲート６７は、可変表示装置ユニット８０の左右の領域において遊技盤１３に組み付けられ、遊技盤１３に発射された球の一部が通過可能に構成されている。スルーゲート６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４３】
球のスルーゲート６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設されている。
【００４４】
なお、第２図柄の変動表示は、本実施形態のように、第２図柄表示装置において複数のランプの点灯と非点灯を切り換えることにより行うものの他、第１図柄表示装置３７Ａ，３７Ｂ及び第３図柄表示装置８１の一部を使用して行うようにしても良い。同様に、第２図柄保留ランプの点灯を第３図柄表示装置８１の一部で行うようにしても良い。また、スルーゲート６７の球の通過に対する最大保留球数は４回に限定されるものでなく、３回以下、又は、５回以上の回数（例えば、８回）に設定しても良い。また、スルーゲート６７の組み付け数は２つに限定されるものではなく、例えば１つであっても良い。また、スルーゲート６７の組み付け位置は可変表示装置ユニット８０の左右に限定されるものではなく、例えば、可変表示装置ユニット８０の下方でも良い。また、第１図柄表示装置３７Ａ，３７Ｂにより保留球数が示されるので、第２図柄保留ランプにより点灯表示を行わないものとしてもよい。
【００４５】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００４６】
一方、第１入賞口６４の正面視下方には、球が入賞し得る第２入賞口６４０が配設されている。この第２入賞口６４０へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００４７】
また、第１入賞口６４および第２入賞口６４０は、それぞれ、球が入賞すると５個の球が賞球として払い出される入賞口の１つにもなっている。なお、本実施形態においては、第１入賞口６４へ球が入賞した場合に払い出される賞球数と第２入賞口６４０へ球が入賞した場合に払い出される賞球数とを同じに構成したが、第１入賞口６４へ球が入賞した場合に払い出される賞球数と第２入賞口６４０へ球が入賞した場合に払い出される賞球数とを異なる数、例えば、第１入賞口６４へ球が入賞した場合に払い出される賞球数を３個とし、第２入賞口６４０へ球が入賞した場合に払い出される賞球数を５個として構成してもよい。
【００４８】
第２入賞口６４０には電動役物６４０ａが付随されている。この電動役物６４０ａは開閉可能に構成されており、通常は電動役物６４０ａが閉鎖状態（縮小状態）となって、球が第２入賞口６４０へ入賞しにくい状態となっている。一方、スルーゲート６７への球の通過を契機として行われる第２図柄の変動表示の結果、「○」の図柄が第２図柄表示装置に表示された場合、電動役物６４０ａが開放状態（拡大状態）となり、球が第２入賞口６４０へ入賞しやすい状態となる。
【００４９】
上述した通り、確変中および時短中は、通常中と比して第２図柄の当たり確率が高く、また、第２図柄の変動表示にかかる時間も短いので、第２図柄の変動表示において「○」の図柄が表示され易くなって、電動役物６４０ａが開放状態（拡大状態）となる回数が増える。更に、確変中および時短中は、電動役物６４０ａが開放される時間も、通常中より長くなる。よって、確変中および時短中は、通常時と比して、第２入賞口６４０へ球が入賞しやすい状態を作ることができる。
【００５０】
ここで、第１入賞口６４に球が入賞した場合と第２入賞口６４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０へ球が入賞した場合のほうが第１入賞口６４へ球が入賞した場合よりも高く設定されている。一方、第１入賞口６４は、第２入賞口６４０にあるような電動役物は有しておらず、球が常時入賞可能な状態となっている。
【００５１】
よって、通常中においては、第２入賞口６４０に付随する電動役物が閉鎖状態にある場合が多く、第２入賞口６４０に入賞しづらいので、電動役物のない第１入賞口６４へ向けて、可変表示装置ユニット８０の左方を球が通過するように球を発射し（所謂「左打ち」）、第１入賞口６４への入賞によって大当たり抽選の機会を多く得て、大当たりとなることを狙った方が、遊技者にとって有利となる。
【００５２】
一方、確変中や時短中は、スルーゲート６７に球を通過させることで、第２入賞口６４０に付随する電動役物６４０ａが開放状態となりやすく、第２入賞口６４０に入賞しやすい状態であるので、第２入賞口６４０へ向けて、可変表示装置８０の右方を球が通過するように球を発射し（所謂「右打ち」）、スルーゲート６７を通過させて電動役物を開放状態にすると共に、第２入賞口６４０への入賞によって１５Ｒ確変大当たりとなることを狙った方が、遊技者にとって有利となる。
【００５３】
なお、本実施形態におけるパチンコ機１０は、遊技盤１３の構成が左右対称とされるため、「右打ち」で第１入賞口６４を狙うことも、「左打ち」で第２入賞口６４０を狙うこともできる。そのため、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることを不要にできる。よって、球の打ち方を変化させる煩わしさを解消することができる。
【００５４】
第１入賞口６４の下方には特定入賞口６５ａが設けられている。パチンコ機１０においては、第１入賞口６４又は第２入賞口６４０への入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００５５】
この特定入賞口６５ａは、所定時間が経過すると閉鎖され、その閉鎖後、再度、その特定入賞口６５ａが所定時間開放される。この特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００５６】
なお、上記した形態に特別遊技状態は限定されるものではない。特定入賞口６５ａとは別に開閉される大開放口を遊技領域に設け、第１図柄表示装置３７Ａ，３７Ｂにおいて大当たりに対応したＬＥＤが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。また、特定入賞口６５ａは１つに限るものではなく、１つ若しくは２以上の複数（例えば３つ）を配置しても良く、また配置位置も第１入賞口６４の下方右側や、第１入賞口６４の下方左側に限らず、例えば、可変表示装置ユニット８０の左方でも良い。
【００５７】
遊技盤１３の下側における右隅部には、証紙や識別ラベル等を貼着するための貼着スペースＫ１が設けられ、貼着スペースＫ１に貼られた証紙等は、正面枠１４の小窓３５（図１参照）を通じて視認することができる。
【００５８】
遊技盤１３には、アウト口７１が設けられている。遊技領域を流下する球であって、いずれの入賞口６３，６４，６５ａ，６４０にも入賞しなかった球は、アウト口７１を通って図示しない球排出路へと案内される。アウト口７１は、特定入賞口６５ａの左右に一対で配設される。
【００５９】
遊技盤１３には、球の落下方向を適宜分散、調整等するために多数の釘が植設されているとともに、風車等の各種部材（役物）とが配設されている。
【００６０】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６１】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６２】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６３】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６４】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００６５】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００６６】
次に、図４を参照して、本パチンコ機１０の電気的構成について説明する。図４は、パチンコ機１０の電気的構成を示すブロック図である。
【００６７】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂ及び第３図柄表示装置８１における表示の設定、第２図柄表示装置における表示結果の抽選といったパチンコ機１０の主要な処理を実行する。
【００６８】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００６９】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００７０】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７１】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として正面側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７２】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７３】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７４】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００７５】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００７６】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００７７】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００７８】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。その他装置２２８には駆動モータ４９０，４５９０が含まれる。
【００７９】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００８０】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８１】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８２】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００８３】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【００８４】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００８５】
次いで、操作デバイス３００について説明する。操作デバイス３００は、操作により、遊技者を演出に参加させるための装置である。図５は、パチンコ機１０の斜視図であり、図６は、操作デバイス３００の分解斜視図であり、図７（ａ）及び図７（ｂ）は、操作デバイス３００の正面斜視図であり、図８は、土台部材３２０、クラッチ部材３３０、開閉部材３４０及び切替装置４００の分解斜視図であり、図９は、図６のＩＸ−ＩＸ線における操作デバイス３００の断面図である。なお、図６及び図９では、正面枠１４が部分的に図示される。また図７（ａ）及び図７（ｂ）では、外壁部材３０１、重ね部材３０２及び操作部材３１０の図示が省略される。また、図６及び図７（ａ）では、開閉部材３４０の第１位置状態が図示され、図７（ｂ）では、開閉部材３４０の第２位置状態が図示される。
【００８６】
操作デバイス３００は、図６、図７（ａ）及び図７（ｂ）に例示として図示される開閉部材３４０の状態変化を、操作部材３１０の操作に対応して実行させ、その状態変化を遊技者に視認させることで、遊技者の興趣を向上させる演出を行う装置である。
【００８７】
操作デバイス３００は、内部機構を一部視認させることで操作デバイス３００自体に演出効果を持たせる機能を有しており、逆カップ形状の底中心部に開口３０１ａを有して形成されると共に正面枠１４との間に切替装置４００等の動作装置を収容する態様で正面枠１４に固定される外壁部材３０１と、その外壁部材３０１の高さ方向幅を短縮した形状から形成され底中心部に開口３０１ａと同軸かつ略同形状（若干大径）の開口３０２ａを有すると共に外壁部材３０１との間に内部空間を形成する態様で重ねて固定される重ね部材３０２と、開口３０１ａ，３０２ａに挿通され外壁部材３０１と重ね部材３０２とで形成される内部空間により移動を制限される部材であって光透過性材料から構成される皿形状の操作部材３１０と、その操作部材３１０の押し込み方向奥側に配置される土台部材３２０と、その土台部材３２０に、操作部材３１０の押し込み方向にスライド動作可能に支持されるクラッチ部材３３０と、そのクラッチ部材３３０と嵌合することにより姿勢を固定可能に構成されると共に、土台部材３２０に軸支される一対の開閉部材３４０と、その開閉部材３４０と当接することで開閉部材３４０の移動終端を規定し、押し込み操作方向視でドーナツ形状に構成されると共に、土台部材３２０の周囲を回転可能に土台部材３２０に支持される切替装置４００と、その切替装置４００を回転させる駆動モータ４９０と、を主に備える。
【００８８】
外壁装置３０１は、逆カップ形状の底中心部に円形の貫通孔として形成される開口３０１ａと、その開口３０１ａの径方向外側に開口３０１ａの中心を基準として９０度間隔で離間して配置され上面から下方へ凹設される凹設部３０１ｂと、を主に備える。
【００８９】
凹設部３０１ｂは、操作部材３１０の外側延設部３１３と上下方向で重なる配置とされ、操作部材３１０を上方に復帰させるスプリングＳＰ１の下側端部を収容する（図９参照）。
【００９０】
操作部材３１０は、正面枠１４の上皿１７の正面側に配置され、逆カップ形状に形成されると共に鉛直方向に移動可能に支持される本体部３１１と、その本体部の上底部中央に下方へ向けて凸設される凸設部３１２と、本体部３１１の周面部から外側へフランジ状に延設される外側延設部３１３と、その延設部３１３を基準として上底とは反対側へ延設される位置ずれ防止部３１４と、位置ずれ防止部３１４の延設端から内周側へフランジ状に延設される内側延設部３１５と、を主に備える。
【００９１】
本体部３１１は、外周が断面円形に形成され、上下方向亘って直径が略同等とされる。
【００９２】
凸設部３１２は、後述するクラッチ部材３３０の当接部３３２と当接する部分である。この凸設部３１２により、操作部材３１０が押し込み操作された場合に、クラッチ部材３３０と操作部材３１０とが当接しても、本体部３１１にかけられる負荷を低減でき、本体部３１１が割れることを防止することができる。
【００９３】
外側延設部３１３は、外壁部材３０１の底部と、重ね部材３０２の底部との間にできる空間に挿入される部分であって、本体部３１１の周囲に亘って環状に形成される。この外側延設部３１３が、外壁部材３０１の底部の上面や、重ね部材３０２の底部の下面と当接する位置で、操作部材３１０の上下移動終端位置が形成される。
【００９４】
位置ずれ防止部３１４は、本体部３１１の外径と略同一直径で本体部３１１の下方に延設される環状の部分であって、その延設先端は、外壁部材３０１の開口３０１ａに挿通される。ここで、開口３０１ａが位置ずれ防止部３１４の外径よりも若干大きい内径から形成されると共に、開口３０２ａが本体部３１１の外径よりも若干大きい内径から形成されるので、操作部材３１０を上下２位置で支持するとで、操作部材３１０の上下方向のスライド動作を許容しながら、操作部材３１０の姿勢が乱れる（径方向に位置ずれする）ことを防止することができる。
【００９５】
土台部材３２０は、操作部材３１０の鉛直下方において正面枠１４に固定される部材であって、回転軸対称形状の本体部３２１と、操作部材３１０の凸設部３１２の中心を通る鉛直線を中心軸とする円柱形状で本体部３２１の上面から鉛直下方へ凹設される凹設部３２２と、その凹設部３２２から水平方向に離間すると共に凹設部３２２の凹設方向と直交する方向に延設されると共に本体部３２１の上面から突出する部分に支持される一対の回転軸棒である軸部３２３と、本体部３２１の下端から径方向外側へ延設される延設底部３２４と、を主に備える。
【００９６】
延設底部３２４は、その周辺において本体部３２１から径方向外側へ向けて周囲に亘って凸設される支持凸条部３２４ａと、延設底部３２４の上面から上方へ向けて、本体部３２１の中心軸と同軸の円環形状に沿って凸設される円状凸設部３２４ｂと、を主に備える。
【００９７】
支持凸条部３２４ａと円状凸設部３２４ｂとにより、後述する切替装置４００と土台部材３２０との接触面積を減少させることができるので、切替装置４００の動作抵抗を小さくすることができ、駆動モータ４９０に必要とされる駆動力を小さくすることができる。
【００９８】
クラッチ部材３３０は、土台部材３２０の凹設部３２２に内嵌され、その凹設方向に沿って上下動作する部材であって、凹設部３２２の内径よりも若干小さな外径の円柱形状から形成されると共に凹設部３２２に下側部分が内嵌される本体棒部３３１と、その本体棒部３３１の上端から本体棒部３３１と同軸で延設されると共に本体棒部３３１よりも小径の当接部３３２と、同じく本体棒部３３１の上端から径方向に延設される延設部３３３と、本体部３３１を上端側で支持すると共に下端側で土台部材３２０に固定される封止部３３４と、本体棒部３３１に径方向から嵌め込まれると共に本体棒部３３１の外径を拡大する作用を有するＥリング３３５と、封止部３３４と土台部材３２０との間においてＥリング３３５の下側に配置されＥリング３３５を介して本体棒部３３１を上方へ移動させる付勢力を発生させるスプリングＳＰ２と、を主に備える。
【００９９】
当接部３３２は、操作部材３１０の凸設部３１２と当接する部分であって、当接され押し下げられることにより、クラッチ部材３３０が下降動作する。ここで、クラッチ部材３３０が操作部材３１０の反対側においてスプリングＳＰ２で付勢されることにより、操作部材３１０が激しく（高速で）操作された場合でも、弾性力の干渉作用により、凸設部３１２と当接部３３２との間に生じる負荷が過大となることを防止することができる。
【０１００】
延設部３３３は、その上面から下方へ向けてドーナツ状に凹設される円環凹部３３３ａを備える。円環凹部３３３ａは、図９に示す開閉部材３４０の第１位置状態において、開閉部材３３０の姿勢変化を防止するように作用する。
【０１０１】
封止部３３４は、開口の上端部内孔３３４ｂの内径が本体棒部３３１の外径よりも若干大きな径で形成されると共に、本体棒部３３１の中心軸を通る直線で分割されるハーフパイプ形状の一対の半部材３３４ａを合体させた後に、土台部材３２０に固定される。
【０１０２】
封止部３３４を土台部材３２０に組み立てる方法を詳述すると、まず、本体棒部３３１にＥリング３３５を径方向から嵌め込み、その後、Ｅリング３３５を筒の内側に収容するように一対の半部材３３４ａを合体させる。その後、本体棒部３３１の下端側からスプリングＳＰ２を封止部３３４の内部へ入れ込み、その状態で、本体棒部３３１の下端部を土台部材３２０の凹設部３２２に挿入しながら、封止部３３４の下端部を土台部材３２０に嵌合させることにより、封止部３３４を土台部材３２０に固定する。
【０１０３】
このように組み立てることにより、本体棒部３３１に一対の半部材３３４ａを合体させた中間部材から、封止部３３４が抜け落ちることを防止することができる。そのため、前もって本体棒部３３１と封止部３３４とを連結しておくことができるので、生産ラインにおいて、製造の効率化を図ることができる。
【０１０４】
図９に示すように、本体棒部３３１は、土台部材３２０の凹設部３２２と、封止部３３４の上端部内孔３３４ｂとの２点で支持されるので、クラッチ部材３３０の本体棒部３３１が傾倒することを抑制することができると共に、クラッチ部材３３０が上下方向に移動する際の移動幅を無駄なく確保することができる。
【０１０５】
開閉部材３４０は、土台部材３２０の軸部３２３に軸支される長尺部材であって、軸方向視で長尺板状に形成される本体板部３４１と、その本体板部３４１の下端部において軸部３２３の外径よりも若干大きな内径で円形に貫通形成される支持孔３４２と、本体板部３４１の上端部においてクラッチ部材３３０と対向する側に凸設される係合爪３４３と、本体板部３４１の支持孔３４２と交差する側面から凸設される凸設受け部３４４と、本体板部３４１の下端部においてクラッチ部材３３０と対向する側の反対側の側面から凸設される調整腕部３４５と、本体板部３４１の封止部３３４と対向する面から膨出される膨出部３４６と、軸部３２３の周りに巻き付けられると共に凸設受け部３４４に係止され開閉部材３４０を外方側の位置へ回動させる付勢力を発生するねじりバネＮＢ１と、を主に備える。
【０１０６】
本実施形態では、開閉部材３４０の動作態様により、大当たりの期待度が把握できるように制御される。従って、遊技者に開閉部材３４０の動作態様を視認させることで、遊技者を一喜一憂させることができる。
【０１０７】
本体板部３４１は、軸支される下半部が板状に形成され、それに連設される上半部は、板厚方向に拡大された立体的な形状（略長方形形状）から形成される。
【０１０８】
係合爪３４３は、先端から下方へ凸設される（軸部３２３側へ凸設される）鉤状に形成され、開閉部材３４０がクラッチ部材３３０へ最も近接した状態（第１位置状態）において、クラッチ部材３３０の円環凹部３３３ａと係合する（図９参照）。係合爪３４３が、円環凹部３３３ａと係合することにより、開閉部材３４０が軸部３２３を中心に回転することが防止される。即ち、開閉部材３４０が第１位置状態から、クラッチ部材３３０から離間した状態（第２位置状態等）へ向けて移動することが防止される。
【０１０９】
調整腕部３４５は、後述する切替装置４００の上面と当接することで、開閉部材３４０の回動終端を規定する部材である。なお、後述するように、本実施形態では、開閉部材３４０の回動終端が、主に３種類から選択可能に形成される。
【０１１０】
膨出部３４６は、封止部３３４と当接することで、開閉部材３４０の回動終端を規定する部分である。なお、本実施形態では封止部３３４と対向する面が平面形状から構成されるが、封止部３３４の外周面の曲率に合わせた曲面形状から構成するようにしても良い。
【０１１１】
切替装置４００は、土台部材３２０の本体部３２１の外径よりも若干大きな内径から形成されることにより土台部材３２０の周りを相対回転可能に構成される上面視ドーナツ形状の本体円環部４１０と、その本体円環部４１０の上面に形成されると共に調整腕部３４５との当接により開閉部材３４０の回転動作を止める調整段部４２０と、本体円環部４１０の外周面に周方向に亘って刻設されるギア歯４３０と、そのギア歯４３０に歯合される駆動ギア４９１を駆動させる駆動モータ４９０と、を主に備える。
【０１１２】
切替装置４００は、開閉部材３４０の動作態様を変化可能に構成される装置であって、遊技者から見て、開閉部材３４０よりも操作デバイス３００の下方（奥側）に配置される。これにより、遊技者が開閉部材３４０を視認し易くする一方で、切替装置４００を視認し難くすることができる。
【０１１３】
調整段部４２０は、本体円環部４１０の回転軸方向視において、軸中心とした角度位置（位相）ごとに、上側面の高さが変化する態様で構成される。そのため、調整腕部３４５が調整段部４２０のどの面と当たるかによって、開閉部材３４０の回転が停止する位置が変化する。
【０１１４】
ギア歯４３０は、駆動ギア４９１から駆動力が伝達されることにより回転する。ギア歯が回転する事により、同様に本体円環部４１０及びその上面に形成される調整段部４２０が回転する。
【０１１５】
図８に示すように、調整段部４２０は、その上側面が、最も高い高段ｈ０とされる第１面４２１と、その第１面４２１よりも一段低い中段ｈ１とされる第２面４２２と、最も低い低段ｈ２とされる第３面４２３と、それら各面の周方向端部同士を連結する各連結面と、を主に備える（高段ｈ０、中段ｈ１及び低段ｈ２については図１０参照）。なお、後述する切断面θＬ０と、第３面４２３とは、本体円環部４１０の中心軸を基準として略１１０度ずれて配置される。
【０１１６】
なお、各連結面は、本体円環部４１０の円環形状と、本体円環部４１０の回転軸から放射上に延設される立体（ブロック形状の部材）とが重なる体積部分を、本体円環部４１０から抜き取る形で凹設される態様から形成される。従って、各連結面は、本体円環部４１０の軸に直角な平面上において、連結面から延設される直線が本体円環部４１０の中心軸と交差する態様となる。
【０１１７】
図９に示すように、操作部材３１０は、押し込み操作の方向で、外壁部材３０１の上面および開閉部材３４０の上面と、対向配置され、操作部材３１０のストローク量は、操作部材３１０が、外壁部材３０１の上面または開閉部材３４０の上面と当接するまでの長さとされる。本実施形態では、操作部材３１０が移動範囲の上端位置（図９参照）に配置された状態において、操作部材３１０の外側延設部３１３の下面から外壁部材３０１の上面までの距離が、操作部材３１０の本体部３１１の上底下面から開閉部材３４０の上面までの距離よりも短い距離とされる。これにより、操作部材３１０を移動範囲の下端まで押し込み操作したとしても、操作部材３１０と開閉部材３４０とが上下方向に衝突することを防止することができる。
【０１１８】
図１０を参照して、調整段部４２０と開閉部材３４０との関係の詳細について、説明する。なお、図１０の説明においては、図８を適宜参照する。
【０１１９】
図１０は、切替装置４００の外周面の展開図である。なお、図１０の上側の図は、本体円環部４１０の側面を所定の切断線θＬ０から、上面視反時計回りの中心角度１８０度分だけ移動した位置に配置される切断線θＬ２まで展開した展開図であり、図１０の下側の図は、本体円環部４１０の側面を切断線θＬ２から、上面視反時計回りの中心角度１８０度分だけ移動した位置に配置される切断線θＬ０まで展開した展開図である（切断線θＬ０，θＬ２については、図８参照）。
【０１２０】
ここで、図８において、上下に引いた直線と交差する位置が、本体円環部４１０の中心軸を挟んで正反対の位置（一対の開閉部材３４０の凸設受け部３４４が同時に当接可能となる位置）に対応する。
【０１２１】
本体円環部４１０は、側面を展開する際の便宜上の基準線として、切断線θＬ０〜θＬ３が、側面上に鉛直方向に引かれる。ここで、切断線θＬ０から、本体円環部４１０の中心軸を中心に上面視反時計回りに９０度回転した位置に切断線θＬ１が配置され、上面視反時計回りに１８０度回転した位置（切断線θＬ０の正反対の位置）に切断線θＬ２が配置され、上面視反時計回りに２７０度回転した位置（切断線θＬ１の正反対の位置）に切断線θＬ３が配置される（図８参照）。
【０１２２】
上述したように、調整段部４２０は開閉部材３４０の調整腕部３４５と当接する部分であり、調整腕部３４５と調整段部４２０のどの位置が当接するかによって、開閉部材３４０が外方へ向けて回転した場合の開き方（動作態様）が変化する。
【０１２３】
例えば、切断線θＬ１から切断線θＬ２までの調整段部４２０の形状と、切断線θＬ３から切断線θＬ０までの調整段部の形状とは、図１０の上下の図の関係において、同様である。即ち、調整腕部３４５が、調整段部４２０の切断線θＬ１から切断線θＬ２までの区間および切断線θＬ３から切断線θＬ０までの区間と、対向配置される場合、外方へ回転動作する開閉部材３４０は、一対の開閉部材３４０で同様の位置まで回転動作する。
【０１２４】
一方で、切断線θＬ０から切断線θＬ１までの調整段部４２０の形状と、切断線θＬ２から切断線θＬ３までの調整段部の形状とは、図１０の上下の図の関係において、異なっている。詳述すると、切断線θＬ０から切断線θＬ１までの区間では、第２面４２２が切断線θＬ０側に近接配置（第２面４２２の周方向の中心位置が仮想線ＢＫ２から１１．２５度だけ切断線θＬ０側に寄って配置）され、切断線θＬ２から切断線θＬ３までの区間では、切断線θＬ０から切断線θＬ１までの区間において第２面４２２が切断線θＬ０側に近接する程度と同程度に、第２面４２２が切断線θＬ３側に近接配置される。そのため、開閉部材３４０の動作態様を、互いに異ならせることができる。続いて、このことについて詳述する。
【０１２５】
図１０の上側の図に示すように、切断線θＬ０から切断線θＬ１までの間に、等間隔に３本の仮想的な鉛直線を引いて説明する。なお、図１０において、切断線θＬ０に近い側から順に仮想線ＢＫ１，ＢＫ２，ＢＫ３と定義する。この仮想線ＢＫ１，ＢＫ２，ＢＫ３は、本体円環部４１０の中心軸から放射上に延設される直線および本体円環部４１０の中心軸で形成される平面と、本体円環部４１０の周面とが交差する線に対応する。
【０１２６】
図１０の左右方向の長さは、本体円環部４１０の中心軸を基準とした角度の大きさに対応するので、切断線θＬ０と切断線θＬ１との間は、各仮想線ＢＫ１，ＢＫ２，ＢＫ３により、２２．５度間隔に等間隔で分割される。また、図１０の下側の図においても、同様に、切断線θＬ２と切断線θＬ３との間に、仮想線ＢＫ１，ＢＫ２，ＢＫ３が引かれる。
【０１２７】
次いで、調整腕部３４５が切断線θＬ０の引かれる点に当接する場合を筆頭に、調整腕部３４５が各仮想線ＢＫ１，ＢＫ２，ＢＫ３の引かれる点に当接する場合について、順に説明する。
【０１２８】
調整腕部３４５が切断線θＬ０の引かれる点に当接する状態では（本体円環部４１０の初期状態、図６参照）、開閉部材３４０の第１位置状態において、調整腕部３４５は調整段部４２０の第１面４２１に既に当接している。従って、開閉部材３４０は、それ以上、第２位置状態へ向けて移動することは不可能となっているので、仮にクラッチ部材３３０と開閉部材３４０との係合が解除されても、開閉部材３４０は第１位置状態で維持される。なお、図１０において、調整腕部３４５が切断線θＬ０の引かれる点に当接可能となる状態が、本体円環部４１０の初期状態（指示待ち状態）に相当する。
【０１２９】
次いで、調整腕部３４５が、仮想線ＢＫ１の引かれる点に当接する場合について説明する。この状態は、図６に示す状態から切替装置４００の本体円環部４１０が上面視時計回りに２２．５度回転した状態に対応する。
【０１３０】
調整腕部３４５が、仮想線ＢＫ１の引かれる点に当接可能な状態（第１演出状態）では、切断線θＬ２と切断線θＬ３との間に配置される調整腕部３４５（以下、調整腕部３４５ｂとも称す）は、依然、調整段部４２０の第１面４２１に既に当接される一方、切断線θＬ０と切断線θＬ１との間に配置される調整腕部３４５（以下、調整腕部３４５ａとも称す）は、第２面４２２と対向する関係となり、第２面４２２との間に空間が形成される。
【０１３１】
従って、仮にクラッチ部材３３０と開閉部材３４０との係合が解除されると、切断線θＬ２と切断線θＬ３との間に配置される調整腕部３４５ｂは、第１位置状態で維持される一方で、切断線θＬ０と切断線θＬ１との間に配置される調整腕部３４５ａは、第１位置状態から第２面４２２との間の空間が埋まるまで（調整腕部３４５と第２面４２２とが当接されるまで）回転する。
【０１３２】
なお、回転後の調整腕部３４５ａが配設される開閉部材３４０は、本体円環部４１０の回転に伴って、調整腕部３４５が調整段部４２０の上を滑り、第１面４２１まで持ち上げられることにより、第１位置状態へ復帰する。例えば、本体円環部４１０を上面視反時計回りに回転させることにより、切断線θＬ０が引かれる位置に他方の調整腕部３４５を到達させることができ（図１０において調整腕部３４５を左方へ移動させることができ）、調整腕部３４５ａを第１面４２１まで持ち上げることができる。また、第１面４２１と第２面４２２との間の連結面が斜めに傾斜して形成されるので、調整腕部３４５に過負荷が生じることを防止することができる。
【０１３３】
なお、以下では、調整腕部３４５ａが配設される開閉部材３４０を開閉部材３４０ａとも称し、調整腕部３４５ｂが配設される開閉部材３４０を開閉部材３４０ｂとも称す。
【０１３４】
次いで、調整腕部３４５が、仮想線ＢＫ２の引かれる点に当接する場合について説明する。この状態は、図６に示す状態から切替装置４００の本体円環部４１０が上面視時計回りに４５度回転した状態に対応する。
【０１３５】
調整腕部３４５が、仮想線ＢＫ２の引かれる点に当接可能な状態（第２演出状態）では、切断線θＬ２と切断線θＬ３との間に配置される調整腕部３４５ｂも、切断線θＬ０と切断線θＬ１との間に配置される調整腕部３４５ａも、第２面４２２と対向する関係となり、第２面４２２との間に空間が形成される。
【０１３６】
従って、仮にクラッチ部材３３０と開閉部材３４０との係合が解除されると、切断線θＬ２と切断線θＬ３との間に配置される調整腕部３４５ｂも、切断線θＬ０と切断線θＬ１との間に配置される調整腕部３４５ａも、第１位置状態から第２面４２２との間の空間が埋まるまで（調整腕部３４５と第２面４２２とが当接されるまで）回転する。なお、回転後の開閉部材３４０は、本体円環部４１０の回転に伴って、調整腕部３４５が調整段部４２０の上を滑り、第１面４２１まで持ち上げられることにより、第１位置状態へ復帰する。また、第１面４２１と第２面４２２との間の連結面が斜めに傾斜して形成されるので、調整腕部３４５に過負荷が生じることを防止することができる。
【０１３７】
ここで、第２演出状態からは、本体円環部４１０の回転方向を正逆切り替えることにより、一対の開閉部材３４０の復帰態様を変化させることができる。例えば、本体円環部４１０を上面視反時計回りに回転させる場合（図１０において調整腕部３４５を左方へ移動させる場合）、切断線θＬ２と切断線θＬ３との間に配設される開閉部材３４０ｂの方が開閉部材３４０ａに比較して早く第１位置状態に復帰する一方、本体円環部４１０を上面視時計回りに回転させる場合（図１０において調整腕部３４５を右方へ移動させる場合）、切断線θＬ２と切断線θＬ３との間に配設される開閉部材３４０ｂの方が開閉部材３４０ａに比較して遅れて第１位置状態に復帰する。
【０１３８】
従って、操作部材３１０が遊技者から操作された後に本体円環部４１０を回転させる向きを、その時に生じている変動の期待度に関連して変化させることにより、開閉部材３４０の復帰態様の違いを大当たりの期待度に関連して変化させることができるので、開閉部材３４０に対する注目度を向上させることができる。
【０１３９】
次いで、調整腕部３４５が、仮想線ＢＫ３の引かれる点に当接する場合について説明する。この状態は、図６に示す状態から切替装置４００の本体円環部４１０が上面視時計回りに６７．５度回転した状態に対応する。
【０１４０】
調整腕部３４５が、仮想線ＢＫ３の引かれる点に当接可能な状態（第３演出状態）では、切断線θＬ２と切断線θＬ３との間に配置される調整腕部３４５ｂは、第２面４２２と対向する関係となり、第２面４２２との間に空間が形成される一方、切断線θＬ０と切断線θＬ１との間に配置される調整腕部３４５ａは、調整段部４２０の第１面４２１に当接される。
【０１４１】
従って、仮にクラッチ部材３３０と開閉部材３４０との係合が解除されると、切断線θＬ２と切断線θＬ３との間に配置される調整腕部３４５ｂは、第１位置状態から第２面４２２との間の空間が埋まるまで（調整腕部３４５と第２面４２２とが当接されるまで）回転する一方で、切断線θＬ０と切断線θＬ１との間に配置される調整腕部３４５ａは、第１位置状態で維持される。
【０１４２】
なお、回転後の開閉部材３４０ａは、本体円環部４１０の回転に伴って、調整腕部３４５が調整段部４２０の上を滑り、第１面４２１まで持ち上げられることにより、第１位置状態へ復帰する。例えば、本体円環部４１０を上面視時計回りに回転させることにより、切断線θＬ３が引かれる位置に調整腕部３４５ｂを到達させることができ（図１０において調整腕部３４５を右方へ移動させることができ）、調整腕部３４５ｂを第１面４２１まで持ち上げることができる。また、第１面４２１と第２面４２２との間の連結面が斜めに傾斜して形成されるので、調整腕部３４５に過負荷が生じることを防止することができる。
【０１４３】
なお、上述したように、本体円環部４１０を上面視時計回りに回転させることは、調整腕部３４５を図１０において右方に移動させることに対応する（図１０において、矢印ＣＷで図示）。逆に、本体円環部４１０を上面視反時計回りに回転させることは、調整腕部３４５を図１０において左方に移動させることに対応する（図１０において、矢印ＣＣＷで図示）。
【０１４４】
なお、調整腕部３４５が調整段部４２０の第３段４２３と当接可能な状態（第４演出状態）において、開閉部材３４０は、第１位置状態から最大の回転角度で回転する。この場合、開閉部材３４０の操作部材３１０と対向する面が、操作部材３１０と当接する態様で構成されるが、詳細については後述する。
【０１４５】
次いで、図１１及び図１２を参照して、本体円環部４１０が初期状態とされる場合において、遊技者が操作部材３１０を押し込み操作した状態について説明する。図１１は、図６のＩＸ−ＩＸ線における操作デバイス３００の断面図であり、図１２は、図１１の矢印ＸＩＩ方向視における操作デバイス３００の上面図である。
【０１４６】
なお、図１１では、押し込み操作される前の操作部材３１０が想像線で図示され、図１２では、理解を容易とするために、外壁部材３０１、重ね部材３０２及び操作部材３１０の図示が省略される。また、図１２では、本体円環部４１０の中心を通り一対の開閉部材３４０の中心同士を結ぶ直線（図１２上下方向に延びる線）が切断線θＬ０を通るように、本体円環部４１０が姿勢決めされている。
【０１４７】
図１１に示すように、遊技者が操作部材３１０を押し込み操作すると、凸設部３１２に当接され押し込まれることにより、クラッチ部材３３０が下降動作する。これにより、クラッチ部材３３０の円環凹部３３３ａと、開閉部材３４０の係合爪３４３との係合は解除されるが、調整腕部３４５が調整段部４２０により回転を規制されるので、開閉部材３４０の動作が規制される。
【０１４８】
従って、遊技者が操作部材３１０を操作する前も、操作した後も、開閉部材３４０の状態が第１位置状態に維持される（図１２参照）。このように、初期状態において、操作部材３１０の操作の有無に関わらず開閉部材３４０を第１位置状態に維持するようにしているので、操作部材３１０を押し込むことを指示する演出（第３図柄表示装置８１、他の液晶画面、音声、ランプによる演出）が発生していないにも関わらず、遊技者が操作部材３１０を押し込み操作した場合に、開閉部材３４０が開閉動作することを防止することができる。
【０１４９】
次いで、図１３及び図１４を参照して、本体円環部４１０が第２演出状態とされる場合において、遊技者が操作部材３１０を押し込み操作した状態について説明する。図１３は、図６のＩＸ−ＩＸ線における操作デバイス３００の断面図であり、図１４は、図１３の矢印ＸＩＶ方向視における操作デバイス３００の上面図である。
【０１５０】
なお、図１３では、押し込み操作される前の操作部材３１０が想像線で図示され、図１４では、理解を容易とするために、外壁部材３０１、重ね部材３０２及び操作部材３１０の図示が省略される。また、図１４に示すように、本体円環部４１０の中心を通り一対の開閉部材３４０の中心同士を結ぶ直線（図１４上下方向に延びる線）が仮想線ＢＫ２を通るように、本体円環部４１０が姿勢決めされている。即ち、図１４では、図１２に示す状態から本体円環部４１０が上面視時計回りに４５度回転した状態が図示されている。
【０１５１】
図１３に示すように、遊技者が操作部材３１０を押し込み操作すると、凸設部３１２に当接され押し込まれることにより、クラッチ部材３３０が下降動作する。これにより、クラッチ部材３３０の円環凹部３３３ａと、開閉部材３４０の係合爪３４３との係合は解除され、一対の開閉部材３４０が互いに離反する方向へ回転動作する。調整腕部３４５が調整段部４２０の第２面４２２に当接する姿勢で開閉部材３４０の回転は停止する。
【０１５２】
従って、遊技者が操作部材３１０を操作する前と、操作した後とでは、開閉部材３４０の状態が第１位置状態から第２位置状態に変化する（図１４参照）。そのため、遊技者に与える情報として、操作デバイス３００の中身の変化を加える事ができるので、操作デバイス３００の注目力を向上させることができる。例えば、開閉部材３４０の状態が変化するか否かにより大当たりの期待度の違いが識別できるように駆動モータ４９０の制御を行うことにより、開閉部材３４０の状態変化で、先読み演出を行うことができる。
【０１５３】
第１位置状態に配置された開閉部材３４０の係合爪３４３が移動する方向（左右方向、図１３において軸部３２３を中心とする円と軸部３２３を通り上下に引かれる線との交点において円に引いた接線の方向）と、クラッチ部材３３０の移動方向（上下方向）とが、直角に交わることから、操作部材３１０を押し込み操作してクラッチ部材３３０の延設部３３３を下降させる際に、開閉部材３４０とクラッチ部材３３０との間で生じる負荷を低減することができる。これにより、開閉部材３４０が第１位置状態（図１３参照、想像線で図示）に配置される場合と、開閉部材３４０が第２位置状態（図１３参照、実線で図示）に配置される場合とで、操作部材３１０を介して遊技者に与えられる反力を同等とすることができる。
【０１５４】
即ち、遊技者が操作部材３１０を操作する際に操作部材３１０を介して遊技者に与えられる反力は、主に、スプリングＳＰ１と、クラッチ部材３３０が有するスプリングＳＰ２の付勢力により構成され、この反力は、開閉部材３４０が第１位置状態であるか、第２位置状態であるかにより大きくは変化しない。
【０１５５】
これにより、操作部材３１０からの反力が変化することにより、遊技者に与えられる違和感を低減することができる。また、反力からは開閉部材３４０の状態の変化を把握し難いので、開閉部材３４０の状態に注目するように仕向けることができ、開閉部材３４０の注目力を向上させることができる。
【０１５６】
また、操作デバイス３００の内部の状態変化により演出を行うので、ＬＥＤなどの照明装置が必ずしも必要無く、ＬＥＤの個数を削減することによるコストダウンや、ＬＥＤ配線を省くことによる省スペース化を図ることができる。
【０１５７】
また、本実施形態では、操作部材３１０の操作が行われていないにも関わらず、開閉部材３４０に与えられる負荷が増大する等して、開閉部材３４０が回転動作することを防止し易く形成される。以下、このことについて説明する。
【０１５８】
操作部材３１０が操作されていない状態において、遊技者からパチンコ機１０に与えられる衝撃や、他の動作部材から伝わる振動などにより、開閉部材３４０が意図せず激しく揺れることが起こりえる。この場合、開閉部材３４０からクラッチ部材３３０に与えられる負荷が大きくなり、開閉部材３４０からの負荷により延設部３３３が押し下げられてしまうと、延設部３３３と係合爪３４３との係合が解除され、開閉部材３４０が第１位置状態から誤って回転動作し得る。
【０１５９】
ここで、本実施形態では、係合爪３４３が開閉部材３４０の回転軸である軸部３２３側へ凸設されるので、クラッチ部材３３０と開閉部材３４０が係合する状態（図９参照）から開閉部材３４０が回転動作を開始しようとすると、係合爪３４３の凸設先端との干渉により延設部３３３が下方（軸部３２３側）に押し込まれる。この場合、同時にＥリング３３５も下方に移動することで、スプリングＳＰ２が縮められることから、開閉部材３４０を第１位置状態で維持するための力（Ｅリング３３５を押し上げようとするスプリングＳＰ２の付勢力）が増大する。従って、クラッチ部材３３０が開閉部材３４０により押し下げられ、開閉部材３４０が回転動作する誤動作を防止し易くできる。
【０１６０】
この誤動作防止の仕組みは、ソレノイド等を制御することによるものでは無く、クラッチ部材３３０と開閉部材３４０との機械的な係合関係により構成される。従って、不意な衝撃や、振動に確実に対応することができ、操作部材３００の動作の信頼度を向上させる（誤動作を抑制する）ことができる。
【０１６１】
次いで図１５及び図１６を参照して、開閉部材３４０の復帰動作について説明する。図１５及び図１６は、操作デバイス３００の上面図である。なお、図１５では、図１４に示す状態から本体円環部４１０が上面視時計回りに２２．５度回転された状態が図示され、図１６では、図１４に示す状態から本体円環部４１０が上面視反時計回りに２２．５度回転された状態が図示される。
【０１６２】
図１５に示すように、図１４に示す状態から本体円環部４１０を上面視時計回りに２２．５度回転させた場合、調整部材３４５ａが調整段部４２０の第１面４２１まで移動することにより、開閉部材３４０ａ（図１５上側の部材、背面側に配置される部材）が第１位置状態まで回転動作する一方、開閉部材３４０ｂは第２位置状態で維持される。なお、後述する図２２及び図２３において、図１５に示す復帰態様を後先復帰態様と称す。
【０１６３】
図１６に示すように、図１４に示す状態から本体円環部４１０を上面視反時計回りに２２．５度回転させた場合、調整部材３４５ｂが調整段部４２０の第１面４２１まで移動することにより、開閉部材３４０ｂ（図１６下側の部材、正面側に配置される部材）が第１位置状態まで回転動作する一方、開閉部材３４０ａは第２位置状態で維持される。即ち、本体円環部４１０を回転させた後の開閉部材３４０の状態が、図１５と対比して上下逆となる。なお、後述する図２２及び図２３において、図１６に示す復帰態様を前先復帰態様と称す。
【０１６４】
従って、遊技者が操作部材３１０を操作することにより図１４に示す状態となった後の開閉部材３４０の復帰態様を、本体円環部４１０の回転方向により変化させることができるので、この復帰態様の違いを大当たり遊技状態等の特別遊技状態の発生に対する期待感（以下において、「大当たり期待度」と称す）に関わる演出として構成することにより、操作後の操作デバイス３００に対する注目力を向上させることができる。
【０１６５】
従来、大当たり期待度の違いは、例えば、音声出力装置（図示しないスピーカなど）２２６（図４参照）から出力される音声の違いや、ランプ表示装置（電飾部２９〜３３、表示ランプ３４など）２２７（図１及び図４参照）における点灯および消灯の出力態様の違い、発光色の違い等により、遊技者に報知されていた。
【０１６６】
しかし、音声による報知では、他の遊技機等から大音量で発せられる音声にかき消される恐れがあるし、光による報知では、容易に判別可能な色の違いや出力態様の変化には限度があり、大当たり期待度の区分けの数が少数（例えば、４種類）に限定されてしまうことで、遊技が単調になり易いという問題点があった。また、光による報知では、点灯または消灯させる部分を期待度により変更するようにしても良いが、この場合も、スペースが必要となるし、遊技者が光を追って視線を動かす必要が生じるので、結局遊技者に注目されなくなるという問題点があった。
【０１６７】
これに対し、本実施形態では、後述するように、操作部材３１０の操作に伴う開閉部材３４０の操作態様を、少なくとも８種類形成することができる。従って、少なくとも８種類に区分けされた大当たり期待度を開閉部材３４０の動作態様により報知することができる。また、遊技者は、開閉部材３４０に注目すればよいので、視線を複数箇所に動かす必要が無いので、開閉部材３４０に対する注目力を維持することができる。
【０１６８】
なお、図１０に示すように、図１５に示す状態から、更に上面視時計回り（同一方向）に２２．５度回転させることにより、調整腕部３４５ｂを調整段部４２０の第１面４２１まで移動させることができるので、一対の開閉部材３４０を第１位置状態に復帰させた状態を形成することができる。
【０１６９】
また、図１０に示すように、図１６に示す状態から、更に上面視反時計回り（同一方向）に２２．５度回転させることにより、調整腕部３４５ａを調整段部４２０の第１面４２１まで移動させることができるので、一対の開閉部材３４０を第１位置状態に復帰させた状態を形成することができる。
【０１７０】
次いで、図１７から図１９を参照して、本体円環部４１０が第１演出状態とされる場合について説明する。図１７は、操作デバイス３００の上面図であり、図１８は、操作デバイス３００の上面図であり、図１９は、図１８のＸＩＸ−ＸＩＸ線における操作デバイス３００の断面図である。
【０１７１】
なお、図１７及び図１８では、理解を容易とするために、外壁部材３０１、重ね部材３０２及び操作部材３１０の図示が省略され、図１９では、回転動作後の開閉部材３４０ａが想像線で図示される。
【０１７２】
図１７では、図１２に示す状態から本体円環部４１０が上面視時計回りに４５度回転した状態が図示され、図１８及び図１９では、図１７に示す状態から本体円環部４１０が上面視反時計回りに２２．５度回転した状態が図示される。即ち、図１８では、本体円環部４１０の中心を通り一対の開閉部材３４０の中心同士を結ぶ直線（図１８上下方向に延びる線）が仮想線ＢＫ１を通るように、本体円環部４１０が姿勢決めされている。
【０１７３】
図１９に示す状態において、遊技者が操作部材３１０を押し込み操作すると、凸設部３１２に当接され押し込まれることにより、クラッチ部材３３０が下降動作する。これにより、クラッチ部材３３０の円環凹部３３３ａと、開閉部材３４０の係合爪３４３との係合は解除され、一対の開閉部材３４０の内、開閉部材３４０ａ（図１９右側）のみが回転動作し、調整腕部３４５ａが調整段部４２０の第２面４２２に当接する姿勢で開閉部材３４０ａの回転は停止する。なお、操作部材３１０の操作後に、更に本体円環部４１０を上面視反時計回りに２２．５度回転させることにより、本体円環部４１０の状態を図１２の状態に復帰させることができ、開閉部材３４０ａを第１位置状態に復帰させることができる。
【０１７４】
次いで、図２０及び図２１を参照して、本体円環部４１０が第３演出状態とされる場合について説明する。図２０は、操作デバイス３００の上面図であり、図２１は、図２０のＸＸＩ−ＸＸＩ線における操作デバイス３００の断面図である。なお、図２０及び図２１の説明においては、図１７を適宜参照する。
【０１７５】
なお、図２０では、理解を容易とするために、外壁部材３０１、重ね部材３０２及び操作部材３１０の図示が省略され、図２１では、回転動作後の開閉部材３４０ｂが想像線で図示される。
【０１７６】
図２０及び図２１では、図１７に示す状態から本体円環部４１０が上面視時計回りに２２．５度回転した状態が図示される。即ち、図２０では、本体円環部４１０の中心を通り一対の開閉部材３４０の中心同士を結ぶ直線（図２０上下方向に延びる線）が仮想線ＢＫ３を通るように、本体円環部４１０が姿勢決めされている。
【０１７７】
図２１に示す状態において、遊技者が操作部材３１０を押し込み操作すると、凸設部３１２に当接され押し込まれることにより、クラッチ部材３３０が下降動作する。これにより、クラッチ部材３３０の円環凹部３３３ａと、開閉部材３４０の係合爪３４３との係合は解除され、一対の開閉部材３４０の内、開閉部材３４０ｂ（図２１左側）のみが回転動作し、調整腕部３４５ｂが調整段部４２０の第２面４２２に当接する姿勢で開閉部材３４０ｂの回転は停止する。
【０１７８】
なお、操作部材３１０の操作後に、更に本体円環部４１０を上面視時計回りに２２．５度回転させることにより、本体円環部４１０の中心を通り一対の開閉部材３４０の中心同士を結ぶ直線（図２０上下方向に延びる線）が切断線θＬ１を通るようにすることができるので、調整腕部３４５ｂを第１面４２１に到達させることができ（図１０参照）、開閉部材３４０ｂを第１位置状態に復帰させることができる。
【０１７９】
従って、遊技者が操作部材３１０を操作することにより、開閉部材３４０に生じる変化を、本体円環部４１０の状態を予め変化させることで、複数種類（少なくとも、図１４に示す態様と、図１８及び図１９に示す態様と、図２０及び図２１に示す態様との３種類）形成することができる。
【０１８０】
そのため、遊技者に与える情報として、操作デバイス３００の中身の変化の種類の違いを加える事ができるので、操作デバイス３００の注目力を向上させることができる。例えば、開閉部材３４０の状態変化の種類によって、大当たりの期待度の違いが識別できるように駆動モータ４９０の制御を行うことにより、開閉部材３４０の状態変化の種類で、先読み演出を行うことができる。
【０１８１】
ここで、例えば、図１８において、開閉部材３４０ａの回転動作後に、本体円環部４１０を回転させたとしても、開閉部材３４０ｂの状態は変化しない。それを利用して、図１８に示す状態から、本体円環部４１０を上面視反時計回りに２２．５度回転させることにより、本体円環部４１０の回転中は開閉部材３４０ａ，３４０ｂの状態を維持しながら、操作部材３１０を再び押し込み操作された場合に開閉部材３４０ｂを回転動作させることができ、結果的に一対の開閉部材３４０を第２位置状態とすることができる。なお、同様のことを、図２０に示す状態から本体円環部４１０を上面視時計回りに２２．５度回転させることにより、行うことができる。
【０１８２】
従って、操作部材３１０を押し込み操作した後の再度の押し込み操作により開閉部材３４０が状態変化するか否かの違いを、大当たりの期待度の違いと関連付ける態様で本体円環部４１０を制御することにより、操作部材３１０を一度操作した後における操作デバイス３００の注目力を向上させることができる。また、再度の押し込み操作により開閉部材３４０の状態が変化するか否かにより大当たりの期待度が変化するので、再度の押し込み操作後においても、操作デバイス３００に注目させることができる。
【０１８３】
なお、回転角度が２２．５度で同じなので、図１７に示す状態から図１８に示す状態へ本体円環部４１０を動作させるために駆動モータ４９０を所定の第１速度で回転させる期間と、図１７に示す状態から図２０に示す状態へ本体円環部４１０を動作させるために駆動モータ４９０を所定の第１速度で回転させる期間とが同じとなる。これにより、駆動モータ４９０の動作音や振動から、本体円環部４１０の状態を遊技者に把握されることを防止することができる。
【０１８４】
また、一対の開閉部材３４０が回転動作した後は、図１５及び図１６で上述したように、一対の開閉部材３４０の内、どちらの開閉部材３４０ａ，３４０ｂから復帰させるかを、本体円環部４１０の回転方向により変化させることができる。従って、開閉部材３４０が回転動作する態様と、開閉部材３４０が復帰動作する態様とを様々に組み合わせることにより、複数種類の大当たり期待度に対応した動きを行わせることができる。これにより、操作デバイス３００の注目力を向上させることができる。
【０１８５】
図２２（ａ）から図２２（ｄ）及び図２３（ａ）から図２３（ｄ）は、開閉部材３４０のモデル図である。なお、図２２（ａ）から図２２（ｄ）及び図２３（ａ）から図２３（ｄ）では、開閉部材３４０の回転動作の異なったパターンが、時系列で図示される。ここで、図２２及び図２３において、左側に開閉部材３４０ｂが、右側に開閉部材３４０ａが、それぞれ図示される。
【０１８６】
なお、第３図柄表示装置８１などに表示されることにより、遊技者に操作部材３１０の押し込み操作を促すタイミングが、「押せ」で図示される。また、切替装置４００の状態の時系列の変化が、横長のバーとして図示される。ここで、「ＢＫ１準備」の表示は、その枠の右端のタイミングで仮想線ＢＫ１と調整腕部３４５とが対向配置されることを意味する。なお、「ＢＫ２準備」の表示は、仮想線ＢＫ２と調整腕部３４５とが、「ＢＫ３準備」の表示は、仮想線ＢＫ３と調整腕部３４５とが、それぞれ対向配置されることを意味する。これは、図２４、図２５において同様である。
【０１８７】
図２２及び図２３に示すように、開閉部材３４０の回転動作の態様は、少なくとも８種類形成可能とされる。例えば、図２２（ａ）に示すように、本体円環部４１０が第２演出状態（図１３参照）の時に遊技者に操作部材３１０を押し込み操作させ、その後、前先復帰態様（図１６参照）で開閉部材３４０を復帰動作させる第１動作パターンが形成可能である。
【０１８８】
また、例えば、図２２（ｂ）に示すように、本体円環部４１０が第２演出状態（図１３参照）の時に遊技者に操作部材３１０を押し込み操作させ、その後、後先復帰態様（図１５参照）で、開閉部材３４０を復帰動作させる第２動作パターンが形成可能である。
【０１８９】
この第１動作パターンとなるか、第２動作パターンとなるかによって、大当たり期待度が異なるように本体円環部４１０の姿勢を制御することにより、操作部材３１０を押し込み操作することにより一対の開閉部材３４０が両方とも回転動作したあとの、開閉部材３４０の復帰動作に対する注目力を向上させることができる。
【０１９０】
また、例えば、図２２（ｃ）に示すように、本体円環部４１０が第１演出状態（図１８参照）の時に遊技者に操作部材３１０を押し込み操作させ、その後、開閉部材３４０を復帰動作させる第３動作パターンが形成可能である。
【０１９１】
また、例えば、図２２（ｄ）に示すように、本体円環部４１０が第３演出状態（図２０参照）の時に遊技者に操作部材３１０を押し込み操作させ、その後、開閉部材３４０を復帰動作させる第４動作パターンが形成可能である。
【０１９２】
この第３動作パターンとなるか、第４動作パターンとなるかによって、大当たり期待度が異なるように本体円環部４１０の姿勢を制御することにより、操作部材３１０を押し込み操作した時の開閉部材３４０の回転動作に対する注目力を向上させることができる。
【０１９３】
なお、切替装置４００が初期位置に配置される場合、切替装置４００を第１演出状態とする場合に必要な本体円環部４１０の回転角度に比較して、第３演出状態とする場合に必要な回転角度の方が大きくなる。従って、遊技者に、敢えて駆動モータ４９０の動作音や振動を把握しやすい構造とすることで、遊技者に本体円環部４１０の状態を予想可能にするようにしても良い。
【０１９４】
この場合、駆動モータ４９０の動作速度が一定であるという前提のもとで、駆動モータ４９０の動作音が長く続く場合に、第４動作パターンで動作するのではないかと、遊技者に予想させることができる。従って、第４動作パターンで動作する場合の大当たり期待度が高く設定されていれば、遊技者の興趣を向上させることができる。
【０１９５】
ここで、敢えて初期位置ではなく、切替装置４００を初期位置から上面視反時計回りに９０度回転させた位置（調整腕部３４５ａが切断線θＬ１と一致する位置）で調整腕部３４５を支持する第２初期状態も可能に設定しても良い。この場合、第２初期状態からであれば、動作音が短くても（２２．５度回転すれば）、切替装置４００を第３演出状態とすることができるし、動作音が長くても、切替装置４００を第１演出状態とすることができる。従って、駆動モータ４９０の動作音や振動と、大当たり期待度との関連を、把握し難くすることができる。
【０１９６】
なお、本体円環部４１０の動作タイミングは、例えば、第３図柄表示装置８１でリーチ演出を行っている時が例示される。本実施形態では、駆動モータ４９０の回転速度は一定速度とされる。そのため、本体円環部４１０の回転角度が大きくなる場合に十分な期間を用意できるように、回転角度が大きい動作はロングリーチ中に行われ、回転角度が小さい動作はショートリーチ中におこなわれる。例えば、第３動作パターンは、ショートリーチで採用され、第１、第２及び第４動作パターンはロングリーチで採用される。
【０１９７】
切替装置４００が第２初期状態となった後で、初期状態に復帰させる場合には、本体円環部４１０を上面視反時計回りに回転動作させる。これにより、復帰動作中に遊技者が操作部材３１０を押し込み操作したとしても、上述した第１から第８動作パターンで開閉部材３４０が動作し遊技者を混乱させることを防止することができる。また、調整段部４２０の第１面４２１が周方向に長く維持される範囲を利用することにより、復帰動作中のほとんどを、調整腕部３４５を移動範囲の上端位置で維持した状態（開閉部材３４０を第１位置状態で維持した状態）で維持することができる。また、この復帰動作は、リーチ演出が行われている期間外で行われる。これにより、遊技者の注目が逸れている状態で、本体円環部４１０を初期位置復帰させることが可能になる。
【０１９８】
また、例えば、図２３（ａ）に示すように、本体円環部４１０が第１演出状態（図１８参照）の時に遊技者に操作部材３１０を押し込み操作させ、その後、本体円環部４１０を第２演出状態（図１３参照）の姿勢まで回転動作させた後に、遊技者に操作部材３１０を再度押し込み操作させ、その後、前先復帰態様（図１６参照）で開閉部材３４０を復帰動作させる第５動作パターンが形成可能である。
【０１９９】
また、例えば、図２３（ｂ）に示すように、本体円環部４１０が第１演出状態（図１８参照）の時に遊技者に操作部材３１０を押し込み操作させ、その後、本体円環部４１０を第２演出状態（図１３参照）の姿勢まで回転動作させた後に、遊技者に操作部材３１０を再度押し込み操作させ、その後、後先復帰態様（図１５参照）で開閉部材３４０を復帰動作させる第６動作パターンが形成可能である。
【０２００】
また、例えば、図２３（ｃ）に示すように、本体円環部４１０が第３演出状態（図２０参照）の時に遊技者に操作部材３１０を押し込み操作させ、その後、本体円環部４１０を第２演出状態（図１３参照）の姿勢まで回転動作させた後に、遊技者に操作部材３１０を再度押し込み操作させ、その後、前先復帰態様（図１６参照）で開閉部材３４０を復帰動作させる第７動作パターンが形成可能である。
【０２０１】
また、例えば、図２３（ｄ）に示すように、本体円環部４１０が第３演出状態（図２０参照）の時に遊技者に操作部材３１０を押し込み操作させ、その後、本体円環部４１０を第２演出状態（図１３参照）の姿勢まで回転動作させた後に、遊技者に操作部材３１０を再度押し込み操作させ、その後、後先復帰態様（図１５参照）で開閉部材３４０を復帰動作させる第８動作パターンが形成可能である。
【０２０２】
図２３に示すように、第５動作パターンから第８動作パターンでは、遊技者が操作部材３１０を押し込み操作する（２回目の操作をする）前後において一対の開閉部材３４０の片側の部材が動作する。この片側の部材の動作態様同士の組み合わせにより、大当たり期待度の違いを表現するようにしても良い。
【０２０３】
この場合、例えば、「１回目の押し込み操作により回転動作する側の開閉部材３４０が、２回目の操作後に反対側の開閉部材３４０よりも長く回転状態（第２位置状態）を維持している場合、大当たり期待度が高い」ように制御される場合、第６動作パターンや第７動作パターンに比較して、第５動作パターンや第８動作パターンの方が大当たり期待度は高いことになる。
【０２０４】
このように制御すると、開閉部材３４０のある一時点における状態（動作態様）から大当たりの期待度を知る遊技性に、一定期間の開閉部材３４０の動作態様により大当たりの期待度を知る遊技性を追加することができる。
【０２０５】
従って、１回目の操作部材３１０の押し込み操作により大当たり期待度についての全情報が得られる場合に比較して、２回目の押し込み操作時および、２回目の押し込み操作後に開閉部材３４０が第２位置状態となるまでの間に亘って、開閉部材３４０に対する遊技者の注目力を向上させることができる。
【０２０６】
なお、片側の部材の動作態様同士の組み合わせは上述したものに限られるものでは無く、様々な態様が例示される。例えば、「１回目の押し込み操作により回転動作する側の開閉部材３４０が、２回目の操作後に反対側の開閉部材３４０よりも早く初期状態（第１位置状態）に復帰した場合、大当たり期待度が高い」ように制御するようにしても良い。この場合、第６動作パターンや第７動作パターンに比較して、第５動作パターンや第８動作パターンの方が大当たり期待度は低いことになる。
【０２０７】
また、例えば、「１回目の押し込み操作により背面側の開閉部材３４０ａが回転動作する方が、正面側の開閉部材３４０ｂが回転動作する場合に比較して大当たり期待度が高く、２回目の押し込み操作からの復帰順序は正面側の開閉部材３４０ｂから復帰動作する方が、背面側の開閉部材３４０ａから復帰動作する場合に比較して大当たり期待度が高い」ように制御するようにしても良い。この場合、第５動作パターンから第８動作パターンの内で、第５動作パターンが最も大当たり期待度が高く、第６、第７、第８となるにつれて順に大当たり期待度が低くなる。
【０２０８】
なお、動作の段階数からして、図２２に示す動作パターン（第１動作パターン〜第４動作パターン）に比較して、図２３に示す動作パターン（第５動作パターン〜第８動作パターン）の方が長い期間の動作となるが、動作の長さに対する期待度の高低の対応は、限定されるものでは無い。例えば、図２２に示す動作パターンの方が図２３に示す動作パターンよりも大当たり期待度が高くなるように制御しても良いし、その逆となるように制御しても良い。また、例えば、第１動作パターンから第８動作パターンを無作為に順序付けして、その順に大当たり期待度が高くなるように制御しても良い。
【０２０９】
なお、演出に係る制御方法としては、第３動作パターンまたは第４動作パターンにおいて、開閉部材３４０が復帰動作する前に再度の押し込み指示をするようにしても良い。この場合、押し込み指示に従って操作部材３１０を押し込んでも、第１位置状態に配置される開閉部材３４０は回転動作せず、姿勢を維持する演出（所謂「ガセ演出」）を行うことができる。従って、２回目の押し込み指示があったからといって、第５〜第８動作パターンのいずれかで本体円環部４１０が動作していることが確定しているわけでは無いようにすることができ、操作部材３１０を押し込み操作する際の遊技者の緊張感を高めることができる。
【０２１０】
また、演出に係る制御方法としては、第１動作パターンまたは第２動作パターンにおいて、開閉部材３４０が復帰動作する前に再度の押し込み指示をするようにしても良い。この場合、押し込み指示に従って操作部材３１０を押し込んでも、開閉部材３４０が第２位置状態に配置される場合には姿勢を維持するのみであり、１回目の操作指示を遊技者が無視していた場合には一対の開閉部材３４０が第２位置状態となる。従って、２回目の押し込み指示があったからといって、第５〜第８動作パターンのいずれかで本体円環部４１０が動作していることが確定しているわけでは無いようにすることができる。
【０２１１】
これにより、操作部材３１０を押し込み操作する際の遊技者の緊張感を高めることができると共に、１回目の操作指示は期待度が低いと決め付けて無視し、期待度が高いと考えられる２回目の操作指示に対してだけ押し込み操作するような操作方法に対して、独特の動作態様を形成することができる。以下、このことについて説明する。
【０２１２】
図２４（ａ）及び図２４（ｂ）は、開閉部材３４０のモデル図である。なお、図２４（ａ）では、開閉部材３４０が第１動作パターンで動作可能となるように本体円環部４１０が動作する場合の開閉部材３４０の動作パターンが、図２４（ａ）では、開閉部材３４０が第５動作パターン（又は第７動作パターン）で動作可能となるように本体円環部４１０が動作する場合の開閉部材３４０の動作パターンが、それぞれ時系列で図示される。また、図２４（ａ）に示す第１動作パターンでは、２回目の操作指示が生じる態様で演出制御される。また、図２４（ａ）及び図２４（ｂ）では、１回目の操作指示を遊技者が無視して、操作部材３１０を押し込み操作しない場合が図示される。
【０２１３】
図２４（ａ）及び図２４（ｂ）に示すように、１回目の操作指示を無視して２回目の操作指示にのみ従うと、本体円環部４１０の姿勢変化の態様は開閉部材３４０が行う予定の動作パターンに対応して異なっているにも関わらず、開閉部材３４０の動作態様が同じになるので、遊技者は、開閉部材３４０がいずれの動作パターンで回転動作しているのか判断することができず、開閉部材３４０の動作態様から大当たり期待度を読み取ることができなくなる。
【０２１４】
そのため、開閉部材３４０を複数の動作パターンで動作可能とする本体円環部４１０と、開閉部材３４０の回転動作の契機となる操作部材３１０の操作指示を入れるタイミング（時期および回数）とを組み合わせた演出を行うことにより、遊技者が操作部材３１０の操作指示の一部を無視して残りの一部の操作指示にのみ従い操作部材３１０を操作する場合に、開閉部材３４０が、どの動作パターンで動作しているのかを把握できなくすることで、遊技者の想像力をかき立てる演出を行うことができる。これにより、操作手段３１０の操作は行いたいが、操作手段３１０の状態から大当たり期待度は把握したくないという遊技者からの要求（所謂、「一発告知」を好む要求）を満足させることができる。
【０２１５】
また、例えば、操作指示が無いタイミングで操作部材３１０を押すことにより、予期していた動作パターンが崩れ、開閉部材３４０の動作態様から大当たり期待度を読み取ることができなくなる恐れが生じるように本体円環部４１０を構成することにより、遊技者が操作指示の無いタイミングで操作部材３１０を操作することを抑制することができる。これにより、遊技者が操作部材３１０を不要なタイミングで連打操作することを防止することができ、操作デバイス３００の耐久性を向上させることができる。以下、そのことについて、図２５を参照して説明する。
【０２１６】
図２５は、開閉部材３４０のモデル図である。なお、図２５では、開閉部材３４０が第１動作パターンで動作可能となるように本体円環部４１０が動作する場合の開閉部材３４０の動作パターンが時系列で図示される。また、図２５では、１回目の操作指示が生じる前に、遊技者が不要な操作を行った場合が図示される。
【０２１７】
図２５に示すように、本実施形態における本体円環部４１０の構造上、開閉部材３４０の第１動作パターンを形成するために本体円環部４１０を初期状態から第２演出状態まで姿勢変化させる途中で、第１演出状態を経由する場合がある。
【０２１８】
本体円環部４１０が第１演出状態とされた時に操作部材３１０が不要にも押し込み操作されると、開閉部材３４０ａが回転動作する。その後、本体円環部４１０が第２演出状態となり、第３図柄表示装置８１等により押し込み指示がされ、遊技者がそれに従い押し込み操作すると、一対の開閉部材３４０が回転動作する。
【０２１９】
この動作態様は、図２３（ａ）で上述した第５動作パターンと同様の動作順序となるが、本体円環部４１０は、あくまで開閉部材３４０を第１動作パターンで動作可能とする態様で動作制御されているので、開閉部材３４０の動作により読み取ることができる大当たり期待度は、第１動作パターンに対応した大当たり期待度である。
【０２２０】
従って、押し込み指示が無いタイミングにおける不要な押し込み操作が生じたことにより、演出で表現される大当たり期待度と、実際に遊技者が認識する大当たり期待度との間に差異を生じさせることができる。
【０２２１】
これにより、遊技者が不要な押し込み操作をすることで、大当たり期待度を正しく知ることができなくなるようにすることができ、遊技者の不要な押し込み操作（例えば、連打操作）を抑制することができる。これにより、操作デバイス３００の耐久性を向上させることができる。
【０２２２】
次いで、図２６及び図２７を参照して、本体円環部４１０が第４演出状態とされる場合において、遊技者が操作部材３１０を押し込み操作した後の状態について説明する。図２６は、操作デバイス３００の上面図であり、図２７は、図２６のＸＸＶＩＩ−ＸＸＶＩＩ線における操作デバイス３００の断面図である。
【０２２３】
なお、図２６では、理解を容易とするために、外壁部材３０１、重ね部材３０２及び操作部材３１０の図示が省略され、図２７では、押し込み操作される前の操作部材３１０及び開閉部材３４０が想像線で図示される。
【０２２４】
また、図２６に示すように、本体円環部４１０の中心を通り一対の開閉部材３４０の中心同士を結ぶ直線（図２６上下方向に延びる線）が第３面４２３を通るように、本体円環部４１０が姿勢決めされている。即ち、図２６では、図１２に示す状態から本体円環部４１０が上面視時計回りに約１１０度回転した状態が図示されている。
【０２２５】
図２７に示すように、遊技者が操作部材３１０を押し込み操作すると、凸設部３１２に当接され押し込まれることにより、クラッチ部材３３０が下降動作する。これにより、クラッチ部材３３０の円環凹部３３３ａと、開閉部材３４０の係合爪３４３との係合は解除され、一対の開閉部材３４０が互いに離反する方向へ回転動作する。調整腕部３４５が調整段部４２０の第３面４２３に当接する姿勢で開閉部材３４０の回転は停止する。
【０２２６】
開閉部材３４０は、回転後の状態において、操作部材３１０の内面と当接する。そのため、操作部材３１０は開閉部材３４０から負荷を受けることになり、本実施形態では、その負荷により操作部材３１０の上下動作が停止するように、スプリングＳＰ１の弾性係数が選定される。従って、図２７に示す状態において、操作部材３１０が上昇せずに維持される。
【０２２７】
これにより、例えば、操作部材３１０が上昇せずに維持される状態を、大当たり期待度が大きい状態として駆動モータ４９０を制御することにより、操作部材３１０の操作に対する遊技者の興味を向上させることができる。
【０２２８】
例えば、遊技者が操作部材３１０を連打している場合、遊技者はスプリングＳＰ１の弾性力により上昇動作する操作部材３１０に押し込み負荷をかけているところ、そこに突然図２７に示す第４演出状態を挿入することにより、操作部材３１０を介して遊技者に与えられる上方向の負荷を減少させることができ、遊技者に違和感を与えることができる。遊技者に違和感を与えることにより、その原因（対象）である操作デバイス３００に対する注目力を向上させることができる。
【０２２９】
また、違和感を与えた状態において、開閉部材３４０が第２位置状態に変化しているので、違和感を与えられたら、操作部材３１０の奥側の開閉部材３４０の状態を視認して、大当たり期待度を把握するという新たな遊技の態様を、遊技者に提供することができる。
【０２３０】
なお、第４演出状態において、操作部材３１０を押し込み動作することで一対の開閉部材３４０が回転動作することは第２演出状態と変わらないが、本実施形態では、その違いが遊技者にとって判別し難い態様（第２演出状態における開閉部材３４０の回転角度と、第４演出状態における開閉部材３４０の回転角度が近似している態様、図１４及び図２６参照）から形成される。
【０２３１】
これにより、操作部材３１０から遊技者が手を離し、操作部材３１０が上昇動作するか否かにより第２演出状態か第４演出状態かを把握することができるという遊技性を構成することができる。従って、操作部材３１０を押し込むタイミングだけでなく、操作部材３１０から手を離すタイミングにおいても、操作デバイス３００への注目力を維持することができる。
【０２３２】
図２６及び図２７に示す状態から、本体円環部４１０を上面視時計回りに回転させることにより（図１０において、本体円環部４１０を開閉部材３４０に対して左方へ移動させることにより）、調整腕部３４５を調整段部４２０の第１面４２１まで到達させることができ、開閉部材３４０を第１位置状態に復帰させることができる。開閉部材３４０が復帰動作することにより、開閉部材３４０から操作部材３１０へ与えられる負荷が解除され、操作部材３１０を初期位置（図２７において想像線で図示）へ復帰させることができる。なお、本実施形態では、図１０で上述したように、切断線θＬ１から切断線θＬ２までの調整段部４２０の形状と、切断線θＬ３から切断線θＬ０までの調整段部４２０の形状とが同一に形成されるので、一対の開閉部材３４０が同様の動作態様で復帰する。
【０２３３】
なお、本実施形態では、図２６及び図２７に示す状態から、本体円環部４１０を上面視反時計回りに回転することは、禁止されるように制御される。これにより、図１０に示すように、第３面４２３の左側（本体円環部４１０の上面視時計回り側）の連結面が鉛直方向に沿って形成されていても、その連結面との係合により調整腕部３４５が破損することを防止することができる。
【０２３４】
なお、本実施形態では、操作部材３１０の変位を検出する検出センサ（図示せず）が外壁部材３０１の内周の内側であって、操作部材３１０の外周の外側の領域に配設される。操作部材３１０の内側延設部３１５よりも下方から操作部材３１０の径方向外方へ突出される部分（図示せず）が検出センサの検出溝に挿通されることで、操作部材３１０の変位が検出され、遊技者による操作があったと判定される。
【０２３５】
次いで、図２８から図３３を参照して、第２実施形態について説明する。第１実施形態では、操作デバイス３００が一対の開閉部材３４０を備える場合について説明したが、第２実施形態における操作デバイス２３００は、開閉部材２３４０を２対（４個）備え、それらが、第２位置状態から第１位置状態へ順番に変位する。なお、上述した各実施形態と同一の部分には同一の符号を付して、その説明は省略する。
【０２３６】
図２８は、第２実施形態における操作デバイス２３００の正面斜視図であり、図２９は、土台部材２３２０、クラッチ部材３３０、開閉部材２３４０及び切替装置２４００の分解斜視図である。なお、図２８では、外壁部材３０１、重ね部材３０２及び操作部材３１０の図示が省略される。
【０２３７】
土台部材２３２０は、第１実施形態の土台部材３２０に、一対の軸部３２３が追加される態様から形成される。即ち、凹設部３２２の四方（前後左右）に、等間隔に軸部３２３が配設される。
【０２３８】
開閉部材２３４０は、第１実施形態の開閉部材３４０に、一対の開閉部材３４０が追加される態様から形成される。本実施形態では、便宜上、切替装置２４００の駆動モータ４９０側に配置される部材から、上面視時計回りに、順に、第１開閉部材２３４０ａ、第２開閉部材２３４０ｂ、第３開閉部材２３４０ｃ、第４開閉部材２３４０ｄとする。
【０２３９】
切替装置２４００は、調整段部２４２０が、最も高い高段ｈ０とされる第１面２４２１と、その第１面２４２１よりも一段低い中段ｈ１とされる第２面２４２２と、それら各面の周方向端部同士を連結する各連結面とのみから形成され、第１実施形態の調整段部４２０と各面の切替間隔が違っている。以下、このことについて、図３０を参照して説明する。
【０２４０】
図３０は、操作デバイス２３００の上面図である。なお、図３０では、外壁部材３０１、重ね部材３０２及び操作部材３１０の図示が省略される。また、図３０では、全ての開閉部材２３４０の調整腕部３４５が第１面２４２１と対向する本体円環部２４１０の初期状態（指示待ち状態）が図示される。また、図３０では、理解を容易とするために、調整段部２４２０の高さの変化を示す模式図が想像線で円環状に図示される。
【０２４１】
その模式図では、調整段部２４２０の側面図が模式的に円環状に図示される。中心（当接部３３２の位置）に近いほど、段が高いことを意味する。
【０２４２】
図３０に示すように、調整段部２４２０の第１面２４２１は、唯一左右幅の短い（本実施形態において中心角度約６度分）幅短面２４２１ａと、その幅短面２４２１ａを基準として上面視時計回りに順に配置される第１幅長面２４２１ｂ、第２幅長面２４２１ｃ、第３幅長面２４２１ｄと、を主に備える。なお、幅短面２４２１ａは、初期状態において、対向する開閉部材２３４０（図３０における第１開閉部材２３４０ａ）の中心と、幅長さの中心とが一致する態様となる。
【０２４３】
第１幅長面２４２１ｂ、第２幅長面２４２１ｃ及び第３幅長面２４２１ｄは、それぞれ中心角度約５０度の幅で形成される面であり、初期状態において、対向する開閉部材２３４０との位置関係が異なる。
【０２４４】
即ち、第１幅長面２４２１ｂと対向配置される開閉部材２３４０（図３０における第２開閉部材２３４０ｂ）は、第１幅長面２４２１ｂの幅長さを均等な均等幅Ｈｆで分ける第１幅長面２４２１ｂの中心から、上面視時計回りに第１ずれ角度θ２１だけずれた位置に配置される。なお、本実施形態では、第１ずれ角度θ２１が、約１１度とされる（θ２１＝１１度）。
【０２４５】
また、第２幅長面２４２１ｃと対向配置される開閉部材２３４０（図３０における第３開閉部材２３４０ｃ）は、第２幅長面２４２１ｃの幅長さを均等な均等幅Ｈｆで分ける第２幅長面２４２１ｃの中心位置と同等の位置に配置される。
【０２４６】
また、第３幅長面２４２１ｄと対向配置される開閉部材２３４０（図３０における第４開閉部材２３４０ｄ）は、第３幅長面２４２１ｄの幅長さを均等な均等幅Ｈｆで分ける第３幅長面２４２１ｄの中心から、上面視反時計回りに第１ずれ角度θ２１だけずれた位置に配置される。なお、本実施形態では、第１ずれ角度θ２１が、約１１度とされる（θ２１＝１１度）。
【０２４７】
第１面２４２１を形成する各面２４２１ａ〜２４２１ｄが上述したように、円を４等分する線（各開閉部材２３４０）に対して、異なった態様で配置されることにより、各開閉部材２３４０の開閉の態様を異ならせることができる。以下、このことについて説明する。
【０２４８】
図３１は、操作デバイス２３００の上面図である。なお、図３１では、外壁部材３０１、重ね部材３０２及び操作部材３１０の図示が省略される。また、図３１では、全ての開閉部材２３４０の調整腕部３４５が第２面２４２２と対向される姿勢が図示され、その状態において全ての開閉部材２３４０が第２位置状態とされた様子が図示される。また、図３０では、理解を容易とするために、調整段部２４２０の高さの変化を示す模式図が想像線で円環状に図示される。
【０２４９】
その模式図では、調整段部２４２０の側面図が模式的に円環状に図示される。中心（当接部３３２の位置）に近いほど、段が高いことを意味する。
【０２５０】
図３１では、図３０に示す本体円環部２４１０の初期状態から、本体円環部２４１０が、上面視反時計回りに４５度回転した状態（姿勢Ａ）が図示される。なお、本実施形態では、図３１に示す姿勢Ａにおいて、各開閉部材２３４０ａ〜２３４０ｄと第２面２４２２との位置関係がそれぞれ異なる。
【０２５１】
即ち、図３１に示すように、第１開閉部材２３４０ａは、幅短面２４２１ａの端から上面視時計回りに角度Ｊ２４だけ角度ずれした位置（第１幅長面２４２１ｂの端から上面視反時計回りに角度Ｊ２１だけ角度ずれした位置）で第２面２４２２と対向配置される。
【０２５２】
また、第２開閉部材２３４０ｂは、第１幅長面２４２１ｂの端から上面視時計回りに角度Ｊ２３だけ角度ずれした位置（第２幅長面２４２１ｃの端から上面視反時計回りに角度Ｊ２２だけ角度ずれした位置）で第２面２４２２と対向配置される。
【０２５３】
また、第３開閉部材２３４０ｃは、第２幅長面２４２１ｃの端から上面視時計回りに角度Ｊ２２だけ角度ずれした位置（第３幅長面２４２１ｄの端から上面視反時計回りに角度Ｊ２３だけ角度ずれした位置）で第２面２４２２と対向配置される。
【０２５４】
また、第４開閉部材２３４０ｄは、第３幅長面２４２１ｄの端から上面視時計回りに角度Ｊ２１だけ角度ずれした位置（幅短面２４２１ａの端から上面視反時計回りに角度Ｊ２４だけ角度ずれした位置）で第２面２４２２と対向配置される。
【０２５５】
なお、本実施形態では、角度Ｊ２１が９度、角度Ｊ２２が２０度、角度Ｊ２３が３１度、角度Ｊ２４が４２度で設定される（角度Ｊ２１＜角度Ｊ２２＜角度Ｊ２３＜角度Ｊ２４、（角度Ｊ２２−角度Ｊ２１）＝（角度Ｊ２３−角度Ｊ２２）＝（角度Ｊ２４−角度Ｊ２３）＝１１度）。
【０２５６】
従って、図３１に示す状態から、本体円環部２４１０を回転させることにより、各開閉部材２３４０の調整腕部３４５が調整段部２４２０の第１面２４２１まで持ち上げられ、第１位置状態となる（図３０参照）までの期間が、各開閉部材２３４０で異なる。このことについて、図３１に示す状態から、本体円環部２４１０が上面視時計回りに４５度回転する場合と、本体円環部２４１０が上面視反時計回りに４５度回転する場合とに分けて、以下で説明する。
【０２５７】
図３２（ａ）は、各開閉部材２３４０の状態の計時変化を示した図である。なお、図３２（ａ）では、図３１に示した状態（姿勢Ａ）から本体円環部２４１０を上面視反時計回りに回転させた場合の各開閉部材２３４０の姿勢の計時変化が、下段の線を開閉部材２３４０の第２位置状態（図３２（ａ）で「倒」と図示される）とし、上段の線を開閉部材２３４０の第１位置状態（図３２（ａ）で「起」と図示される）として示す４個の折れ線グラフとして図示される。
【０２５８】
図３２（ａ）では、上から順に、第１開閉部材２３４０ａ〜第４開閉部材２３４０ｄの姿勢変化の態様が図示されると共に、各グラフの横軸が切替装置２４００の動作開始からの時間を示す時間軸として図示され、切替装置２４００を秒速１０度で回転駆動する場合の数値が記載される。また、理解を容易とするために、各グラフの付近に、対象となる第１開閉部材２３４０ａ〜第４開閉部材２３４０ｄが図示される。
【０２５９】
図３２（ａ）に示した通り、本体円環部２４１０が上面視反時計回りに回転開始すると、開始から０．９秒後に回転角度が９度（角度Ｊ２１）になったところで第１開閉部材２３４０ａが第１位置状態とされ、更に１．１秒経過（回転開始から２．０秒経過）し回転角度が２０度（角度Ｊ２２）となったところで第２開閉部材２３４０ｂが第１位置状態とされ、更に１．１秒経過（回転開始から３．１秒経過）し回転角度が３１度（角度Ｊ２３）となったところで第３開閉部材２３４０ｃが第１位置状態とされ、更に１．１秒経過（回転開始から４．２秒経過）し回転角度が４２度（角度Ｊ２４）となったところで第４開閉部材２３４０ｄが第１位置状態とされる。
【０２６０】
即ち、各開閉部材２３４０ａ〜２３４０ｄが、第１開閉部材２３４０ａから上面視時計回りに順に起き上がる態様で動作する。また、その動作タイミングは、本体円環部２４１０が１１度（（角度Ｊ２２−角度Ｊ２１）＝（角度Ｊ２３−角度Ｊ２２）＝（角度Ｊ２４−角度Ｊ２３）＝１１度）回転するごとに生じるので、本体円環部２４１０を等速回転動作させることにより、各開閉部材２３４０ａ〜２３４０ｄの動作タイミングを等間隔にすることができる。
【０２６１】
図３３（ａ）は、各開閉部材２３４０の状態の計時変化を示した図である。なお、図３３（ａ）では、図３１に示した状態（姿勢Ａ）から本体円環部２４１０を上面視時計回りに回転させた場合の各開閉部材２３４０の計時変化が、下段の線を開閉部材２３４０の第２位置状態（図３３（ａ）で「倒」と図示される）とし、上段の線を開閉部材２３４０の第１位置状態（図３３（ａ）で「起」と図示される）として示す４個の折れ線グラフとして図示される。
【０２６２】
また、図３３（ａ）では、上から順に、第１開閉部材２３４０ａ〜第４開閉部材２３４０ｄの姿勢変化の態様が図示されると共に、各グラフの横軸が切替装置２４００の動作開始からの時間を示す時間軸として図示され、切替装置２４００を秒速１０度で回転駆動する場合の数値が記載される。また、理解を容易とするために、各グラフの付近に、対象となる第１開閉部材２３４０ａ〜第４開閉部材２３４０ｄが図示される。
【０２６３】
図３３（ａ）に示した通り、本体円環部２４１０が上面視時計回りに回転開始すると、開始から０．９秒後に回転角度が９度（角度Ｊ２１）になったところで第４開閉部材２３４０ｄが第１位置状態とされ、更に１．１秒経過（回転開始から２．０秒経過）し回転角度が２０度（角度Ｊ２２）となったところで第３開閉部材２３４０ｃが第１位置状態とされ、更に１．１秒経過（回転開始から３．１秒経過）し回転角度が３１度（角度Ｊ２３）となったところで第２開閉部材２３４０ｂが第１位置状態とされ、更に１．１秒経過（回転開始から４．２秒経過）し回転角度が４２度（角度Ｊ２４）となったところで第１開閉部材２３４０ａが第１位置状態とされる。
【０２６４】
即ち、各開閉部材２３４０ａ〜２３４０ｄが、第４開閉部材２３４０ｄから上面視反時計回りに順に起き上がる態様で動作する。また、その動作タイミングは、本体円環部２４１０が１１度（（角度Ｊ２２−角度Ｊ２１）＝（角度Ｊ２３−角度Ｊ２２）＝（角度Ｊ２４−角度Ｊ２３）＝１１度）回転するごとに生じるので、本体円環部２４１０を等速回転動作させることにより、各開閉部材２３４０ａ〜２３４０ｄの動作タイミングを等間隔にすることができる。
【０２６５】
本実施形態では、図３２（ａ）及び図３３（ａ）で各開閉部材２３４０の動作順序が上面視で逆となる一例を示した通り、本体円環部２４１０の動作態様を変化させることにより、各開閉部材２３４０の動作態様を変化させることができる。
【０２６６】
本実施形態では、一例として、幅短面２４２１ａと第１開閉部材２３４０ａとが対向する位置関係から、本体円環部２４１０を上面視反時計回りに４５度回転させた状態で開閉部材２３４０を第２位置状態とし、その状態からの第１位置状態への復帰を説明したが、開閉部材２３４０を第２位置状態とできる本体円環部２４１０の姿勢はこれに限るものではなく、少なくとも、この姿勢（図３１に示す姿勢）から本体円環部２４１０を上面視で９０度ずつ回転させる姿勢（後述する姿勢Ｂ、姿勢Ｃ及び姿勢Ｄ）でも可能である。
【０２６７】
そのため、開閉部材２３４０の動作タイミングの順序も、図３２（ａ）及び図３３（ａ）で説明したものに限られるものでは無く、例えば、第２開閉部材２３４０ｂが最初に第１位置状態へ復帰する態様や、第３開閉部材２３４０ｃが最初に第１状態へ復帰する態様など、様々な態様（少なくとも、別個の６通りの態様）を、本実施形態で形成可能となる。
【０２６８】
なお、各態様の変化は、図３２（ｂ）及び図３３（ｂ）に示す表関係で、構成を読み替えることで容易に理解できる。図３２（ｂ）及び図３３（ｂ）は、各開閉部材２３４０ａ〜２３４０ｄの構成の置き換え方を図示する表である。なお、図３２（ａ）及び図３３（ｂ）では、本体円環部２４１０の停止姿勢に対応して図３２（ａ）及び図３３（ｂ）を活用するための開閉部材２３４０の置き換え方が図示される。
【０２６９】
図３２（ｂ）及び図３３（ｂ）によれば、図３１に示す状態から本体円環部２４１０を上面視時計回りに９０度回転させた状態である姿勢Ｂで本体円環部２４１０を停止させた後、開閉部材２３４０を第２位置状態とした場合には、本体円環部２４１０を、例えば、上面視反時計回りに回転させることにより、図３２（ｂ）に示す表の左端の列の上から下へ記載される順に開閉部材２３４０が状態変化する（図３２（ａ）に対応）一方、本体円環部２４１０を、例えば、上面視時計回りに回転させることにより、図３３（ｂ）に示す表の左端の列の下から上へ記載される順に、開閉部材２３４０が状態変化する（図３３（ａ）に対応）。なお、図３２（ｂ）及び図３３（ｂ）では、第１開閉部材２３４０ａ〜第４開閉部材２３４０ｄが、ａ〜ｄと略して記載される。
【０２７０】
なお、図３１に示す状態から本体円環部２４１０を上面視時計回りに１８０度回転させた状態である姿勢Ｃで本体円環部２４１０を停止させた後、開閉部材２３４０を第２位置状態とした場合には、図３２（ｂ）及び図３３（ｂ）に示す表の中心の列を対応させ、図３１に示す状態から本体円環部２４１０を上面視時計回りに２７０度回転させた状態である姿勢Ｄで本体円環部２４１０を停止させた後、開閉部材２３４０を第２位置状態とした場合には、図３２（ｂ）及び図３３（ｂ）に示す表の右端の列を対応させることで、姿勢Ａから切替装置２４００を回転させる場合を図示した図３２（ａ）及び図３３（ａ）を、各姿勢Ｂ〜Ｄから切替装置２４００を回転させる場合に容易に変換することができる。
【０２７１】
従って、本実施形態では、開閉部材２３４０を第２位置状態とする時の本体円環部２４１０の姿勢を少なくとも４通りから選択可能であり、また、第２位置状態となった開閉部材２３４０の第１位置状態への復帰の態様を、本体円環部２４１０を正逆どちらに回転させるかの２通りを選択可能であるので、少なくとも、８通りの態様から開閉部材２３４０の復帰態様を選択して制御することができる。
【０２７２】
これにより、例えば、開閉部材２３４０の復帰態様を大当たり期待度と対応させて制御する場合に、開閉部材２３４０の復帰動作について、大当たり期待度を８段階に分けて示すことができる。大当たり期待度は、遊技者にとって注目度の高い情報である。開閉部材２３４０の復帰動作は、操作デバイス２３００の操作部材３１０（図５参照）を遊技者が操作した後に遊技者が視認可能な動作であるので、操作部材３１０を押し込んだ後における操作デバイス２３００への注目力を向上させることができる。
【０２７３】
また、操作部材３１０に遊技者が手を乗せたままであると、その手が邪魔となり、開閉部材２３４０の動作態様を見難くなる構成（操作部材３１０の押し込み部分である上面が透光性材料から形成され、遊技者は、その上面を通して開閉部材２３４０を視認する構成）であることから、操作部材３１０の押し込み指示の後に、無意味に操作部材３１０を連打操作する遊技や、操作部材３１０の上に手を置いたままとする遊技がされることを、抑制することができる。従って、指示通りの適切な動作を行わせることができ、操作デバイス２３００の耐久性を向上させることができる。
【０２７４】
次いで、図３４から図４６を参照して、第３実施形態について説明する。第１実施形態では、調整腕部３４５と調整段部４２０との間に隙間が空く場合には、操作部材３１０を押しさえすれば開閉部材３４０が回転動作する場合を説明したが、第３実施形態における操作デバイス３３００は、操作部材３１０の押し込みの態様により、開閉部材３４０が回転動作する場合と、回転動作しない場合とを形成可能とされる。なお、上述した各実施形態と同一の部分には同一の符号を付して、その説明は省略する。
【０２７５】
図３４は、第３実施形態における操作デバイス３３００の正面斜視図であり、図３５は、土台部材３２０、クラッチ部材３３０、開閉部材３４０及び切替装置３４００の分解斜視図であり、図３６は、本体円環部３４１０及び調整段部３４２０の上面図である。なお、図３４では、外壁部材３０１、重ね部材３０２及び操作部材３１０の図示が省略される。
【０２７６】
切替装置３４００は、土台部材３２０に回転可能に支持される本体円環部３４１０と、その本体円環部３４１０の上面に形成される調整段部３４２０と、本体円環部３４１０の周囲に亘って形成されるギア歯４３０と、そのギア歯４３０を介して本体円環部３４１０に伝達される駆動力を発生する駆動モータ４９０と、本体円環部３４１０に配設され動作可能に形成される第１動作装置３４４０と、その第１動作装置３４４０と同様に本体円環部３４１０に配設され第１動作装置３４４０の逆の態様で動作可能とされる第２動作装置３４５０と、を主に備える。
【０２７７】
本体円環部３４１０は、切断線θＬ０，θＬ２の上面視時計回り側に配設される一対の第１収容部３４１１と、その第１収容部３４１１から切断線θＬ０，θＬ２側に逆戻りした位置に配設される一対の第２収容部３４１２と、を主に備える。なお、一対の第１収容部３４１１同士、及び一対の第２収容部３４１２同士は、一対の開閉部材３４０と同様に、本体円環部３４１０の中心軸を挟んで正反対の位置（１８０度角度ずれした位置）に配置される。
【０２７８】
また、本体円環部３４１０及び調整段部３４２０の形状は、第１収容部３４１１及び第２収容部３４１２を除いて、第１実施形態における本体円環部４１０及び調整段部４２０の形状と略同等の形状とされる。
【０２７９】
第１収容部３４１１は、開閉部材３４０の調整腕部３４５と対向可能に配置される第１動作装置３４４０を収容する部分であって、本体円環部３４１０の環状部分の幅の内側において上面から下方へ凹設される収容凹部３４１１ａと、その収容凹部３４１１ａから外径側に向けて上下に長い矩形状であって水平方向の長さが収容凹部３４１１ａの外周長さよりも短い形状で貫通形成される連通孔３４１１ｂと、その連通孔３４１１ｂの側面に沿って本体円環部３４１０の外径方向に延設されると共に延設先端で連通孔３４１１ｂを囲う側に上面視Ｌ字形状に屈曲形成される延設壁部３４１１ｃと、その延設壁部３４１１ｃから延設壁部３４１１ｃの屈曲方向に沿った方向に凸設される支持凸部３４１１ｄと、延設壁部３４１１ｃの屈曲側に蓋として配設される蓋部材３４１１ｅと、その蓋部材３４１１ｅを組み付けた状態において上面視で延設壁部３４１１ｃの延設方向と直交する両方向に凹設形成される一対の支持凹部３４１１ｆと、を主に備える。
【０２８０】
収容凹部３４１１ａは、上面視において、本体円環部３４１０の中心軸を中心とした一対の円弧と、本体円環部３４１０の中心軸から放射上に延設される一対の直線とで囲まれる形状から形成される。これにより、本体円環部３４１０の幅長さの内側の限られた領域を有効活用して、収容凹部３４１１ａの断面積を大きく確保することができるので、収容する対象である第１動作部材３４４０の断面積を大きくすることができ、耐久性を向上させることができる。
【０２８１】
収容凹部３４１１ａは、上面視反時計回り側（第２収容部３４１２側）の側面に、上向きに傾斜する傾斜面３４１１ａ１を備える。本実施形態では、収容凹設３４１１ａに開閉部材３４０の調整腕部３４５が収容された場合（図４１参照）、その後、本体円環部３４１０が上面視時計回りに回転動作するように制御される。これにより、調整腕部３４５が傾斜面３４１１ａ１に沿って上昇動作し、開閉部材３４０を第１位置状態に復帰させることができる。
【０２８２】
なお、本実施形態では、本体円環部３４１０が初期位置から回転動作し、調整腕部３４５と第１収容部３４１１とが対向配置される姿勢に到達した後は、専ら、本体円環部３４１０を上面視時計回りに回転動作させ、初期位置に復帰させる態様で制御される。これにより、本体円環部３４１０が上面視反時計回りに回転動作し、調整腕部３４５が収容凹部３４１１ａの傾斜面３４１１ａ１と対向配置される側面（鉛直方向に延びる面）に当接し、破損することを防止することができる。
【０２８３】
第２収容部３４１２は、開閉部材３４０の調整腕部３４５と対向可能に配置される第２動作装置３４５０を収容する部分であって、第１収容部３４１１の収容凹部３４１１ａと略同一の断面形状から形成される収容凹部３４１２ａと、その収容凹部３４１２ａに対して連通孔３４１１ｂと同様に貫通形成される連通孔３４１２ｂと、を主に備える。
【０２８４】
第１動作装置３４４０は、第１収容部３４１１の支持凸部３４１１ｄに軸支される中間歯車３４４１と、その中間歯車３４４１に歯合されるギア歯３４４２ａを有すると共に第１収容部３４１１の収容凹部３４１１ａに本体部３４４２ｂが収容される係合部材３４４２と、支持凸部３４１１ｄを挟んで係合部材３４４２の反対側に配設され中間歯車３４４１に歯合されるギア歯３４４３ａを有すると共に支持凹部３４１１ｆに収容される当接部材３４４３と、を主に備える。
【０２８５】
係合部材３４４２は、上述したギア歯３４４２ａと、本体部３４４２ｂと、それらを連結すると共に連通孔３４１１ｂに連通される連結部３４４２ｃと、を主に備える。ここで、収容凹部３４１１ａに対する連通孔３４１１ｂの関係にならって、上面視において、係合部材３４４２の本体部３４４２ｂの外周長さ及び、ギア歯３４４２ａの同方向の長さに比較して、連結部３４４２ｃの同方向の長さ（厚さ）が短くされる。
【０２８６】
これにより、係合部材３４４２の本体部３４４２ｂ及びギア歯３４４２ａが、連通孔３４１１ｂを貫通することが防止されるので、連通孔３４１１ｂを基準として、係合部材３４４２を本体円環部３４１０の径方向に対して位置決めすることができる。
【０２８７】
当接部材３４４３は、ギア歯３４４３ａを中間歯車３４４１に歯合させると共に、歯厚方向に延設される矩形部分が支持凹部３４１１ｆに内嵌されることで、当接部材３４４３を精度よく上下方向にスライド動作可能に配置することができる。
【０２８８】
なお、係合部材３４４２と、当接部材３４４３とは、中間歯車３４４１を間に挟む位置関係で配置されるので、一方が上昇動作すると、他方が下降動作する関係となる。また、後述するように、当接部材３４４３が、操作部材３１０と当接可能な位置に配設される。また、係合部材３４４２の方が当接部材３４４３に比較して大重量で構成されることにより、操作部材３１０を操作していない初期状態において、係合部材３４４２が移動範囲の下端に配置され、当接部材３４４３が移動範囲の上端に配置される（図４０参照）。
【０２８９】
また、係合部材３４４２が移動範囲の上端に配置された状態において、係合部材３４４２の上面位置は、第１位置状態における開閉部材３４０の調整腕部３４５の下端位置と一致する態様で形成される。従って、係合部材３４４２の上面で調整腕部３４５を押し上げる場合、係合部材３４４２が移動範囲の上端まで移動することで開閉部材３４０が第１位置状態まで状態変化する。
【０２９０】
第２動作装置３４５０は、第１動作部材３４４０の本体部３４４２ｂと略同形状に形成されると共に本体円環部３４１０の収容凹部３４１２ａに収容される本体部３４５１と、その本体部３４５１の外周面に第１動作部材３４４０の連結部３４４２ｃと同様の態様で連接されると共に本体円環部３４１０の連通孔３４１１ｂに挿通される連結部３４５２と、その連結部３４５２を介して本体部３４５１の反対側に連接される部分であって本体円環部３４１０の径方向に沿って延設される当接部３４５３と、本体部３４５１の下方において本体円環部３４１０との間に配置されるスプリングＳＰ３１と、を主に備える。
【０２９１】
なお、当接部３４５３が、操作部材３１０と当接可能な位置に配設される。また、操作部材３１０により当接部３４５３が押し込まれていない状態において、本体部３４５１の上面は、第１位置状態における開閉部材３４０の調整腕部３４５の下端位置と一致する態様で形成される。
【０２９２】
また、本実施形態では、スプリングＳＰ３１が、ねじりバネＮＢ１により回転動作する開閉部材３４０を第１位置状態まで押し戻すことが可能な程に大きな付勢力（弾性力）を発生するように、スプリングＳＰ３１及びねじりばねＮＢ１のバネ係数が設定される。
【０２９３】
切替装置３４００の作用について説明する。図３７は、操作デバイス３３００の上面図であり、図３８は、図３７のＸＸＸＶＩＩＩ−ＸＸＸＶＩＩＩ線における操作デバイス３３００の断面図である。なお、図３７では、外壁部材３０１、重ね部材３０２及び操作部材３１０の図示が省略される。
【０２９４】
本実施形態では、本体円環部３４１０の初期状態において、一対の開閉部材３４０の調整腕部３４５が調整段部３４２０の第１面４２１と対向する姿勢に本体円環部３４１０が維持される。
【０２９５】
図３７及び図３８では、本体円環部３４１０の初期状態から、調整段部３４２０の第２面４２２が開閉部材３４０の調整腕部３４５と対向する状態に至るまで本体円環部３４１０が回転された状態が図示される。
【０２９６】
図３７及び図３８に示す状態において、第１位置状態とされた開閉部材３４０の調整腕部３４５と調整段部３４２０との間に空間が空けられるので、操作部材３１０を押し込み操作することにより、開閉部材３４０が回転動作する。このとき、操作部材３１０の押し込み態様は制限されるものでは無く、クラッチ部材３３０が下降しさえすれば開閉部材３４０は回転動作する。
【０２９７】
図３９は、操作デバイス３３００の上面図であり、図４０、図４１及び図４２は、図３９のＸＬ−ＸＬ線における操作デバイス３３００の断面図である。なお、図３９では、外壁部材３０１、重ね部材３０２及び操作部材３１０の図示が省略される。
【０２９８】
図３９から図４２では、本体円環部３４１０の初期状態から、切替装置３４００に収容される第１動作装置３４４０の周方向中心位置が開閉部材３４０の調整腕部３４５と対向する（調整腕部３４５の中心軸と上下方向で合致する）状態に至るまで本体円環部３４１０が回転された状態が図示される。
【０２９９】
また、図４０では、操作部材３１０が押し込まれる前の状態が、図４１では、操作部材３１０が弱く（クラッチ部材３３０を下降動作させる一方で操作部材３１０の下端が当接部材３４４３や第１収容部３４１１に当接することは無い程度）押し込まれた状態が、図４２では、操作部材３１０が強く（移動可能幅の下端まで）押し込まれた状態が、それぞれ図示される。
【０３００】
図４０に示すように、操作部材３１０を押し込む前の状態では、開閉部材３４０の調整腕部３４５と調整段部３４２０との間に空間が形成されているので、操作部材３１０を押し込み操作してクラッチ部材３３０を下降動作させることにより開閉部材３４０とクラッチ部材３３０との係合を解除すると、ねじりバネＮＢ１（図３５参照）の付勢力により開閉部材３４０が回転動作する。
【０３０１】
図４１に示すように、操作部材３１０を弱く押す場合には、開閉部材３４０の回転動作後の姿勢が維持される。
【０３０２】
一方、図４２に示すように、操作部材３１０を強く押す場合、操作部材３１０の内側延設部３１５と当接部材３４４３とが当接し、当接部材３４４３が下降動作することと連動して、係合部材３４４２が上昇動作する。係合部材３４４２の上昇動作の過程で、係合部材３４４２の上面と調整腕部３４５とが当接し、開閉部材３４０が回転動作し、開閉部材３４０は第１位置状態に変化する。
【０３０３】
即ち、本体円環部３４１０を図３９に示す姿勢とした場合、操作部材３１０を弱く押すか、強く押すかによって、その後の開閉部材３４０の動作態様を変化させることができる。この動作態様の変化を活用することにより、遊技者が適切な操作態様で操作部材３１０を操作し易くすることができる。
【０３０４】
例えば、操作部材３１０の押し込み操作により開閉部材３４０が回転動作すると大当たり期待度が高い、という演出を行う遊技機において、操作部材３１０を指示通りの押し方をすることで開閉部材３４０を回転動作させることができるという遊技性を追加することができる。
【０３０５】
即ち、例えば、第３図柄表示装置８１（図２参照）などの表示装置に、「弱押し」と表示をすることで、遊技者に操作部材３１０の押し方を指示する演出方法が例示される。この場合、指示通りに操作部材３１０を弱く押せば、開閉部材３４０が回転動作し（図４１参照）、指示に背いて操作部材３１０を強く押せば、開閉部材３４０の開閉動作は第１動作装置３４４０により抑制される（第１位置状態に戻る）。従って、大当たり期待度が高いか否かを知りたい遊技者に、操作部材３１０を弱く押させるように仕向けることができる。
【０３０６】
図４３は、操作デバイス３３００の上面図であり、図４４、図４５及び図４６は、図４３のＸＬＩＶ−ＸＬＩＶ線における操作デバイス３３００の断面図である。なお、図４３では、外壁部材３０１、重ね部材３０２及び操作部材３１０の図示が省略される。
【０３０７】
図４３から図４６では、本体円環部３４１０の初期状態から、切替装置３４００に収容される第２動作装置３４５０の周方向中心位置が開閉部材３４０の調整腕部３４５と対向する（調整腕部３４５の中心軸と上下方向で合致する）状態に至るまで本体円環部３４１０が回転された状態が図示される。
【０３０８】
また、図４４では、操作部材３１０が押し込まれる前の状態が、図４５では、操作部材３１０が弱く（クラッチ部材３３０を下降動作させる一方で操作部材３１０の下端が当接部材３４４３や第１収容部３４１１に当接することは無い程度）押し込まれた状態が、図４６では、操作部材３１０が強く（移動可能幅の下端まで）押し込まれた状態が、それぞれ図示される。
【０３０９】
図４４に示すように、操作部材３１０を押し込む前の状態では、開閉部材３４０の調整腕部３４５と調整段部３４２０（第２動作装置３４５０の上面）とが当接しており、操作部材３１０を押し込み操作してクラッチ部材３３０を下降動作させることにより開閉部材３４０とクラッチ部材３３０との係合を解除し、ねじりバネＮＢ１（図３５参照）の付勢力により開閉部材３４０が回転動作しようとしても、操作部材３１０を弱く操作する限りにおいては、スプリングＳＰ３１の付勢力により開閉部材３４０が第１位置状態で維持される（図４５参照）。
【０３１０】
一方、図４６に示すように、操作部材３１０を強く押す場合、操作部材３１０の内側延設部３１５と当接部３４５３とが当接した後、スプリングＳＰ３１の付勢力に対向して遊技者の力が負荷されることで、当接部３４５３及び本体部３４５１が下降動作する。これにより、調整腕部３４５と当接部３４５３との間に隙間が形成され、その隙間を埋める態様で開閉部材３４０が回転動作する。なお、操作部材３１０に対する負荷を解除すると、スプリングＳＰ３１の付勢力で第２動作装置３４５０が上昇動作し、その第２動作装置３４５０の本体部３４５１に押し上げられる態様で開閉部材３４０が第１位置状態へと変化する。
【０３１１】
即ち、本体円環部３４１０を図４３に示す姿勢とした場合、操作部材３１０を弱く押すか、強く押すかによって、その後の開閉部材３４０の動作態様を変化させることができる。この動作態様の変化を活用することにより、遊技者が適切な操作態様で操作部材３１０を操作し易くすることができる。
【０３１２】
例えば、操作部材３１０の押し込み操作により開閉部材３４０が回転動作すると大当たり期待度が高い、という演出を行う遊技機において、操作部材３１０を指示通りの押し方をすることで開閉部材３４０を回転動作させることができるという遊技性を追加することができる。
【０３１３】
即ち、例えば、第３図柄表示装置８１（図２参照）などの表示装置に、「強押し」と表示をすることで、遊技者に操作部材３１０の押し方を指示する演出方法が例示される。この場合、指示通りに操作部材３１０を強く押せば、開閉部材３４０が回転動作し（図４６参照）、指示に背いて操作部材３１０を弱く押せば、開閉部材３４０の開閉動作は第２動作装置３４５０により抑制される（第１位置状態に維持される）。従って、大当たり期待度が高いか否かを知りたい遊技者に、操作部材３１０を強く押させるように仕向けることができる。
【０３１４】
本実施形態では、上述したように、弱く押したら開閉部材３４０が回転動作する一方で強く押したら開閉部材３４０が回転動作しない状態と、弱く押したら開閉部材３４０が回転動作しない一方で強く押したら開閉部材３４０が回転動作する状態とを、本体円環部３４１０の姿勢を駆動モータ４９０で予め変化させておくことで形成することができる。
【０３１５】
これにより、遊技者に指示する操作態様が固定化されることにより、遊技者の操作がマンネリ化することを防止できると共に、その操作態様のバリエーションの変化を単一の駆動モータ４９０で生じさせることができる。
【０３１６】
また、操作部材３１０の操作態様を検出し、開閉部材３４０の動作態様を変化させる場合（例えば、開閉部材３４０を動作させる駆動モータを設け、駆動および停止を、操作部材３１０の操作態様の違いにより切り替える場合）に比較して、操作部材３１０の押し込みの有無を操作部材３１０の位置で検出するセンサの個数を削減（単数化）することができ、開閉部材３４０と各動作装置３４４０，３４５０との当接により開閉部材３４０の動作態様を切り替えることから操作部材３１０と開閉部材３４０との動作の一体感を増大させると共に、開閉部材３４０の動作の確実性を増大させることができる。
【０３１７】
更に、本実施形態では、切替装置３４００が所定の姿勢とされる場合に、操作部材３１０を「弱押し」で操作するか、「強押し」で操作するかにより開閉部材３４０の動作態様を変化可能に構成されるものであり、操作部材３１０が「弱押し」で操作されたか、「強押し」で操作されたかを検出することは不要である。従って、開閉部材３４０を動作させる駆動モータを設け、駆動および停止を、操作部材３１０の操作態様の違いにより切り替える場合に比較して、操作部材３１０の位置を検出するセンサの配設個数を低減することができる。
【０３１８】
なお、本実施形態では、「弱押し」と「強押し」との境界を、遊技者が感じる負荷の変化として判別することができる。即ち、上述した「弱押し」の範囲は、操作部材３１０と第１動作装置３４４０及び第２動作装置３４５０とが当接しない範囲であって、操作部材３１０は第１動作装置３４４０及び第２動作装置３４５０から負荷を受けない。
【０３１９】
一方で、上述した「強押し」の範囲は、操作部材３１０と第１動作装置３４４０及び第２動作装置３４５０とが当接する範囲であって、操作部材３１０が第１動作装置３４４０及び第２動作装置３４５０から上向きの負荷を受ける。従って、遊技者は操作部材３１０に与えられる上向きの負荷が増加し始める位置（増加幅が変化し始める位置）を「弱押し」と「強押し」との境界として判別することができる。
【０３２０】
これにより、遊技者が操作部材３１０を「弱押し」又は「強押し」で操作していることを、音声、照明または画像等で報知する場合に比較して、遊技者は、直感的な操作をおこなうことができる。
【０３２１】
操作部材３１０に負荷を与える部分である第１動作装置３４４０の当接部材３４４３及び第２動作装置３４５０の当接部３４５３の移動軌跡は、本体円環部３４１０の回転軸を中心とする円形状を構成する。そのため、本体円環部３４１０の回転軸と、操作部材３１０の凸設部３１２の中心とが一致する場合において（図３８参照）、本体円環部３４１０の姿勢により操作部材３１０の内側延設部３１５と、当接部材３４４３及び当接部３４５３との当接の態様（当接するか、否か）が変化することは無い。
【０３２２】
従って、第１動作部材３４４０及び第２動作部材３４５０から操作部材３１０へ与えられる上向きの負荷（遊技者の感じる反力）は、本体円環部３４１０の姿勢に寄らず、操作部材３１０の押し込み深さに応じて変化することになるので、遊技者は、操作部材３１０に加えられる上向きの負荷の違いにより本体円環部３４１０の姿勢を判別することはできない。
【０３２３】
これにより、操作部材３１０を操作する際の感触により本体円環部３４１０の姿勢を判別することを防止でき、遊技者が開閉部材３４０を視認するように仕向けることができる。従って、操作デバイス３３００の内部（に配置される開閉部材３４０）の状態に対する遊技者の注目力を向上させることができる。
【０３２４】
本実施形態では、開閉部材３４０の復帰動作（第１位置状態に戻る動作）を、切替装置３４００の駆動により行うことで、遊技者の操作とは独立させている。例えば、本体円環部３４１０を最大でも１回転させることにより、開閉部材３４０を第１位置状態に復帰させることができる。これにより、図３９又は図４３に示す状態において遊技者が操作部材３１０を操作するか否かに関わらず、操作デバイス３３００の内部にある開閉部材３４０を第１位置状態（図３４参照）に復帰（維持）させることができる。
【０３２５】
図３９に示す状態と図４３に示す状態との中間の姿勢に本体円環部３４１０がされる場合、調整段部３４２０の第１面４２１が調整腕部３４５と対向配置されるので、開閉部材３４０の回転は抑制される。そのため、図３９に示す状態または図４３に示す状態の予備配置として、本体円環部３４１０を図３９に示す状態と図４３に示す状態との中間の姿勢とすることで、その後の動作で本体円環部３４１０が図３９に示す状態となったのか、図４３に示す状態となったのかを、駆動モータ４９０の動作音から把握される（気付かれる）ことを防止することができる。これにより、操作デバイス３３００への注目力を維持することができる。
【０３２６】
本実施形態では、第１収容部３４１１の傾斜面３４１１ａ１が、第２収容部３４１２に近接する側に配置されることから、本体円環部３４１０を図３９に示す状態と図４３に示す状態との中間の姿勢に向けて動作させる場合に、第１収容部３４１１と開閉部材３４０の調整腕部３４５とが対向配置される姿勢からも動作させることができるので（上面視反時計回りに回転動作させることができるので）、本体円環部３４１０の回転方向が制限されることを防止することができる。
【０３２７】
次いで、図４７から図５９を参照して、第４実施形態について説明する。第１実施形態では、操作デバイス３００の開閉部材３４０に負荷される付勢力が開閉部材３４０を傾倒させる方向に向く場合について説明したが、第４実施形態における操作デバイス４３００は、開閉部材４３４０が起き上がる方向に付勢される。なお、上述した各実施形態と同一の部分には同一の符号を付して、その説明は省略する。
【０３２８】
図４７は、第４実施形態における操作デバイス４３００の上面図であり、図４８は図４７のＸＬＶＩＩＩ−ＸＬＶＩＩＩ線における操作デバイス４３００の断面図である。なお、図４７では、外壁部材４３０１、重ね部材３０２及び操作部材４３１０が想像線で図示される。また、図４７では、切替装置４５００の第１状態が図示され、図４８では、開閉部材４３４０の第１位置状態が図示される。また、図４８では、第２復帰部材４５４０の（第１復帰部材４５３０からはみ出す部分の）図示が省略される。
【０３２９】
なお、切替装置４５００の第１状態との記載で、スライド部材４５２０の開閉部材４３４０に対する一の配置を表現する。ここで、第１状態において、スライド部材４５２０は、開閉部材４３４０と第１復帰部材４５３０とが対向配置される。
【０３３０】
操作デバイス４３００は、内部機構を一部視認させることで操作デバイス４３００自体に演出効果を持たせる機能を有しており、逆カップ形状の底中心部に開口３０１ａを有して形成されると共に正面枠１４（図５参照）との間に切替装置４５００等の動作装置を収容する態様で正面枠１４に固定される外壁部材４３０１と、その外壁部材４３０１の高さ方向幅を短縮した形状から形成され底中心部に開口３０１ａと同軸で若干直径が大きく形成される開口３０２ａを有すると共に外壁部材４３０１との間に内部空間を形成する態様で重ねて固定される重ね部材３０２と、開口３０１ａ，３０２ａに挿通され外壁部材４３０１と重ね部材３０２とで形成される内部空間により移動を制限される部材であって光透過性材料から構成される皿形状の操作部材４３１０と、外壁部材４３０１に支持されると共に操作部材４３１０の操作量と連動して傾倒動作可能に構成される一対の開閉部材４３４０と、その開閉部材４３４０の下方に配置され、開閉部材４３４０と当接することで開閉部材４３４０を付勢する状態と、開閉部材４３４０と当接しない状態とを直進動作により切替可能に構成される切替装置４５００と、その切替装置４５００を動作させる駆動ギア４５９１の駆動力を発生する駆動モータ４５９０と、を主に備える。
【０３３１】
外壁部材４３０１は、開口３０１ａと、凹設部３０１ｂと、開口３０１ａの内側面の内、開口３０１ａの中心を通り前後方向に延びる直線と交差する位置から、開口３０１ａの中心へ向けて前後方向に延設される一対の支持腕部４３０１ｃと、開口３０１ａの内側面の内、開口３０１ａの中心を通り左右方向に延びる直線と交差する位置から、開口３０１ａの中心へ向けて左右方向に延設される傾倒防止腕部４３０１ｄと、を主に備える。
【０３３２】
凹設部３０１ｂは、操作部材４３１０の外側延設部３１３と上下方向で重なる配置とされ、操作部材４３１０を上方に復帰させるスプリングＳＰ１の下側端部を収容する（図４８参照）。
【０３３３】
支持腕部４３０１ｃは、開口３０１ａの側面から下方傾斜方向に延設され、その延設先端部で開閉部材４３４０を左右から挟む二股形状に形成されると共に、延設先端部において開閉部材４３４０を軸支する円柱形状の軸部４３０１ｃ１を支持する態様で構成される。
【０３３４】
傾倒防止腕部４３０１ｄは、第１位置状態（図４８参照）において一対の開閉部材４３４０の内側面と当接する。そのため、傾倒防止腕部４３０１ｄにより開閉部材４３４０の回転が規制されるので、開閉部材４３４０の復帰動作後の姿勢を安定化させることができる。
【０３３５】
操作部材４３１０は、第１実施形態の操作部材３１０と比較して、上底部の下面形状と、本体部３１１の下端形状のみが異なる。即ち、操作部材４３１０は、本体部３１１と、外側延設部３１３と、操作部材４３１０が押し込み操作されることで開閉部材４３４０と当接可能に操作部材４３１０の上底部の下面に膨出される膨出部４３１２と、を主に備える。
【０３３６】
膨出部４３１２は、その下面が、本体部３１１の中心軸上に配置される部分を下端として、中心軸から離れるほど上昇傾斜する略円錐形状とされる。なお、図４８に示すように、中心軸から遠ざかるほど上昇傾斜の度合いが低くなる態様とされる。
【０３３７】
開閉部材４３４０は、支持腕部４３０１ｃの軸部４３０１ｃ１に軸支される長尺部材であって、第１実施形態の開閉部材３４０と一部の構成を同じくする。即ち、開閉部材４３４０は、軸方向視（図４８参照）で長尺板状に形成される本体板部３４１と、支持孔３４２と、凸設受け部３４４（図８参照）と、を備えると共に、本体板部３４１の上端部において相手側の開閉部材４３４０へ向けて前後方向に沿って延設される延設部４３４３と、本体板部３４１の下端部において傾倒防止腕部４３０１ｄと対向する側の反対側の側面から延設される調整腕部４３４５と、軸部４３０１ｃ１の周りに巻き付けられると共に凸設受け部３４４に係止され開閉部材４３４０を内方側の位置へ回動させる付勢力を発生するねじりバネＮＢ１（図８参照）と、を主に備える。
【０３３８】
なお、本実施形態におけるねじりバネＮＢ１の付勢力の方向は、第１実施形態におけるねじりバネＮＢ１の付勢力の逆方向である。即ち、図４８の状態において、開閉部材４３４０はバネＮＢ１の付勢力により傾倒防止腕部４３０１ｄに押し付けられており、傾倒防止腕部４３０１ｄにより回転を規制される。
【０３３９】
延設部４３４３は、操作部材４３１０の上底部の下面と当接する部分であって、延設先端上部（膨出部４３１２の中心部と当接する部分）に面取り加工された面取り部４３４３ａを備える。面取り部４３４３ａにより、膨出部４３１２の先端と延設部４３４３とが点で接触することを防止することができ、膨出部４３１２の先端を鋭利に構成した場合であっても、膨出部４３１２の先端の破損を抑制することができる。
【０３４０】
調整腕部４３４５は、延設先端部下面に配置される当接面４３４５ａと、延設方向と交差する回転規制面４３４５ｂと、を主に備える。
【０３４１】
当接面４３４５ａは、切替装置４５００の各復帰部材４５３０，４５４０と当接し、開閉部材４３４０の回転動作により各復帰部材４５３０，４５４０を押圧する面である。
【０３４２】
回転規制面４３４５ｂは、軸部４３０１ｃ１側へ向けて凹む湾曲形状から構成される面である。図５４に示す第２位置状態において、切替装置４５００の第１復帰部材４５３０の軸支中心Ｊ４１を中心とする円弧形状と一致する形状とされる。
【０３４３】
次いで、図４９から図５１を参照して、切替装置４５００について説明する。なお、切替装置４５００の説明において、適宜図４７及び図４８を参照する。図４９（ａ）は、切替装置４５００の側面図であり、図４９（ｂ）は、図４９（ａ）の矢印ＸＬＩＸｂ方向視における切替装置４５００の上面図である。なお、図４９では、駆動モータ４５９０、駆動ギア４５９１及び土台部材４５１０の図示が省略される。
【０３４４】
図５０（ａ）は、一方の第１復帰部材４５３０の正面図であり、図５０（ｂ）は、図５０（ａ）の矢印Ｌｂ方向視における第１復帰部材４５３０の上面図であり、図５０（ｃ）は、図５０（ａ）の矢印Ｌｃ方向視における第１復帰部材４５３０の側面図である。また、図５１（ａ）は、一方の第２復帰部材４５４０の正面図であり、図５１（ｂ）は、図５１（ａ）の矢印ＬＩｂ方向視における第２復帰部材４５４０の上面図であり、図５１（ｃ）は、図５１（ａ）の矢印ＬＩｃ方向視における第２復帰部材４５４０の側面図である。
【０３４５】
切替装置４５００は、左右に延設されるスライドレール４５１１を有する土台部材４５１０と、スライドレール４５１１に沿って動作可能な状態で土台部材４５１０に配設されるスライド部材４５２０と、そのスライド部材４５２０の上面に配置される支持部材４５２３に軸支される複数の復帰部材４５３０，４５４０と、駆動モータ４５９０と、駆動ギア４５９１と、を主に備える。
【０３４６】
スライドレール４５１１は、左右方向に亘って同一断面形状から形成される。そのため、スライド部材４５２０をスライドレール４５１１に左右方向から挿入することで、スライド部材４５２０をスライド移動可能な状態でスライドレール４５１１に連結することができる。
【０３４７】
スライド部材４５２０は、上面視矩形の板状部材から形成される本体板部４５２１と、その本体板部４５２１の前側面に刻設されるギア歯４５２２と、本体板部４５２１の上面の各角付近の位置に一対ずつ並設される支持部材４５２３と、を主に備える。
【０３４８】
本体板部４５２１は、前後側面から内側向けた凹みが左右方向に亘って凹設され、その凹設される部分がスライドレール４５１１と嵌合する。ギア歯４５２２は、駆動ギア４５９１と歯合されており（図４７参照）、駆動モータ４５９０の動作と連動してスライド部材４５２０が左右方向（図４７左右方向）に動作する。
【０３４９】
各一対の支持部材４５２３は、左右方向に同軸で貫通形成される支持孔４５２３ａと、その支持孔４５２３ａに挿通固定される軸部材４５２３ｂと、を主に備える。
【０３５０】
図５０に示すように、第１復帰部材４５３０は、長尺矩形の板形状から形成されると共に端部に軸部材４５２３ｂに軸支される貫通孔が形成される本体部４５３１と、その本体部４５３１の貫通孔が形成される側の端部から貫通孔の径方向に沿って延設される回転規制部４５３２と、その回転規制部４５３２が形成される側の反対側の端部において本体部４５３１に形成される傾斜面部４５３３と、を主に備える。
【０３５１】
本体部４５３１は、軸支される側の端部とは反対側の端部に、軸支中心Ｊ４１を中心とした円弧形状の湾曲面４５３１ａを備える。
【０３５２】
回転規制部４５３２は、本体部４５３１の長手方向に対して傾斜して延設される。本実施形態では、その傾斜角度が約５０度で形成される。
【０３５３】
傾斜面部４５３３は、スライド部材４５２０がスライド動作した際に、第１復帰部材４５３０と、開閉部材４３４０の調整腕部４３４５とが、動作方向と直交する面同士で衝突し破損することを防止するための傾斜面が形成される部分であり、少なくとも、本体部４５３１の端部から、開閉部材４３４０の調整腕部４３４５と当接し得る範囲に亘って形成される。
【０３５４】
図５１に示すように、第２復帰部材４５４０は、長尺矩形の板形状から形成されると共に端部に軸部材４５２３ｂに軸支される貫通孔が形成される本体部４５４１と、その本体部４５４１の貫通孔が形成される側の端部から貫通孔の径方向に沿って延設される回転規制部４５４２と、その回転規制部４５４２が形成される側の反対側の端部において本体部４５４１に形成される傾斜面部４５４３と、を主に備える。
【０３５５】
本体部４５４１は、第１復帰部材４５３０の本体部４５３１よりも軸支される側の反対側へ長尺に延びた形状から形成され、端部は長手方向と直交する平面形状から構成される。
【０３５６】
回転規制部４５４２は、本体部４５４１の長手方向に対して傾斜して延設される。本実施形態では、その傾斜角度が約５０度で形成される。
【０３５７】
傾斜面部４５４３は、スライド部材４５２０がスライド動作した際に、第２復帰部材４５４０と、開閉部材４３４０の調整腕部４３４５とが、動作方向と直交する面同士で衝突し破損することを防止するための傾斜面が形成される部分であり、少なくとも、本体部４５４１の端部から、開閉部材４３４０の調整腕部４３４５と当接し得る範囲に亘って形成される。
【０３５８】
なお、軸部材４５２３ｂには、ねじりバネＮＢ４が巻き付けられており、各復帰部材４５３０，４５４０は、本体部４５３１，４５４１の先端側が上方に起きる方向に付勢される。即ち、図４９に示すように、回転規制部４５３２，４５４２は、各復帰部材４５３０，４５４０の回り止めとして機能する。
【０３５９】
次いで、図５２から図５４を参照して、切替装置４５００が第１状態を形成する場合における切替装置４５００の機能について説明する。図５２から図５４は、図４７のＸＬＶＩＩＩ−ＸＬＶＩＩＩ線における操作デバイス４３００の断面図である。なお、図５２では、操作部材４３１０が途中まで押し下げ動作された状態が図示され、図５３では、操作部材４３１０が移動範囲の下端位置まで押し下げ動作された直後の状態が図示され、図５４では、図５３の状態から操作部材４３１０が上昇し、上端位置まで復帰した状態が図示される。
【０３６０】
図５２に示すように、操作部材４３１０を移動範囲の下端位置に到達しない程度に押し下げ動作する場合、膨出部４３１２により押し広げられる開閉部材４３４０の当接面４３４５ａの移動軌跡上に、第１復帰部材４５３０の本体部４５３１が配置され、開閉部材４３４０の動作量が大きくなるほど、第１復帰部材４５３０が、ねじりバネＮＢ４の付勢力に抗して傾倒する態様から形成される。
【０３６１】
そのため、操作部材４３１０を押し込み操作する遊技者に操作デバイス４３００から与えられる反力は、開閉部材４３４０を付勢するねじりバネＮＢ１（図８参照）の反力と、第１復帰部材４５３０を付勢するねじりバネＮＢ４の反力と、を合わせた力となる。従って、操作部材４３１０を下方に押し込む量が大きくなるほど、遊技者が感じる反力は増加する。
【０３６２】
図５３に示すように、操作部材４３１０を移動範囲の下端まで押し下げると、第１復帰部材４５３０の移動軌跡の外側に開閉部材４３４０の調整腕部４３４５が配置される。そのため、開閉部材４３４０が第１復帰部材４５３０に与える負荷が無くなるので（湾曲面４５３１ａに与える摩擦力だけとなるので）、第１復帰部材４５３０が、ねじりバネＮＢ４の付勢力で起き上がり動作する（図５４参照）。
【０３６３】
そのため、操作部材４３１０を押し込み操作する遊技者に操作デバイス４３００から与えられる反力は、操作部材４３１０を移動範囲の下端まで押し込んだ直後に大きく変化する。即ち、第１復帰部材４５３０を付勢するねじりバネＮＢ４の付勢力が遊技者に与えられなくなる。
【０３６４】
これにより、遊技者が感じる反力は即座に減少する。従って、操作部材４３１０を移動範囲の下端まで操作する過程において、遊技者が感じる反力は、操作量が大きくなるにつれて増加した後、下端に到達した直後に即座に減少する態様で変化する。
【０３６５】
図５４に示すように、開閉部材４３４０の調整腕部４３４５の移動軌跡上に第１復帰部材４５３０が配置され、開閉部材４３４０を介して第１復帰部材４５３０に与えられるねじりバネＮＢ４の付勢力が、第１復帰部材４５３０の回転規制部４５３２をスライド部材４５２０に押し付ける方向（回転が規制される方向）に向けられるので、開閉部材４３４０の復帰が妨げられる。従って、図５３の後で操作部材４３１０が上昇した後も、開閉部材４３４０を第２位置状態で維持することができる。
【０３６６】
この場合、操作部材４３１０が上昇動作する際に開閉部材４３４０と操作部材４３１０とが当接しないので、開閉部材４３４０を介して、ねじりバネＮＢ１，ＮＢ４の付勢力が操作部材４３１０に与えられる場合（図５８参照）に比較して、操作部材４３１０の復帰速度を小さくする（復帰を遅くする）ことができる。
【０３６７】
従って、本実施形態によれば、切替装置４５００が第１状態であることを３つの異なった手段により遊技者に報知することができる。即ち、操作部材４３１０を移動範囲の下端まで押し込んだ直後に反力が小さくなること（触覚）、操作部材４３１０から遊技者が手を離した後も開閉部材４３４０が第２位置状態で維持されること（視覚）、及び操作部材４３１０の復帰動作が遅いこと（視覚、または触覚（操作待ち時間））により報知することができる。
【０３６８】
操作部材４３１０の復帰動作が遅いことを触覚による報知としたのは、操作部材４３１０の速度は、遊技者が連打操作する場合の連打速度の目安になるとの理由からである。即ち、連打操作の際、遊技者が行うのは操作部材４３１０を一方向に押し込む操作のみであるところ、遊技者が操作する前に操作部材４３１０が初期位置（操作部材４３１０の移動範囲の上端位置）に配置されることで初めて同様の押し込み操作を連続で行うことが可能となる。
【０３６９】
そのため、仮に、操作部材４３１０の復帰速度が遅くなると、それまで一定の間隔（操作部材４３１０が初期位置まで復帰するまでの時間間隔）で連打操作を行っていたとしても、押し込むタイミングで操作部材４３１０が初期位置に復帰していないことになり、操作部材４３１０を連打操作しようとする遊技者に触覚的に違和感を与えることができる。
【０３７０】
このように、異なった複数の報知を行うことにより、いずれかの報知に遊技者が気付かなかった場合であっても、その他の報知で遊技者が気付く可能性を残すことができるので、切替装置４５００が第１状態であることを遊技者が見逃す可能性を低減することができる。
【０３７１】
また、これらの報知は、例えば、音響・照明や、振動などによる報知に比較して、操作デバイス４３００を操作する遊技者が認識し易い一方で、他の遊技者は認識し難い報知方法である。そのため、例えば、大当たりが確定した状態では切替装置４５００を第１状態にするという制御を行う場合、上述した報知に気付くことができれば、大当たり演出が開始される前に大当たりが確定していることを操作した遊技者本人だけが認識できるので、遊技者に操作デバイス４３００を操作させるように仕向けることができる。
【０３７２】
なお、図５４に示す状態において、操作部材４３１０が押し込み操作されたとしても、操作部材４３１０の移動範囲は開閉部材４３４０に当接し始める位置（図５３参照）が限界とされる。これにより、操作部材４３１０から開閉部材４３４０に与えられる負荷を、開閉部材４３４０が第２位置状態とされる場合に最小とすることができるので、例え遊技者が報知に気付かず、操作部材４３１０の操作を継続した場合においても、開閉部材４３４０と操作部材４３１０との間に生じる負荷により操作部材４３１０または開閉部材４３４０が破損することを防止することができる。
【０３７３】
次いで、図５５及び図５６を参照して、切替装置４５００の状態について説明する。なお、図５５及び図５６の説明において、図４７を適宜参照する。図５５及び図５６は、操作デバイス４３００の上面図である。なお、図５５及び図５６では、外壁部材４３０１、重ね部材３０２が想像線で図示され、操作部材４３１０の図示が省略される。また、図５５では、開閉部材４３４０がいずれの復帰部材４５３０，４５４０とも対向しない位置にスライド部材４５２０が配置される切替装置４５００の第２状態が図示されると共に第２位置状態の開閉部材４３４０が想像線で図示され、図５６では、開閉部材４３４０が第２復帰部材４５４０と対向する位置にスライド部材４５２０が配置される切替装置４５００の第３状態が図示される。
【０３７４】
図５４に示す状態から、図５５に示す第２状態まで、スライド部材４５２０をスライド動作させた場合、第１復帰部材４５３０の左右方向位置が開閉部材４３４０の左右方向位置とずれるので、第１復帰部材４５３０から開閉部材４３４０に与えられる負荷が解除され、開閉部材４３４０は第１位置状態に復帰する。
【０３７５】
図５５に示すように、切替装置４５００の第２状態では、切替装置４５００から開閉部材４３４０へ反力が生じない。そのため、切替装置４５００の第１状態および第３状態に比較して、操作部材４３１０を操作する遊技者に操作部材４３１０を通して与えられる反力が低減される。
【０３７６】
図５６に示すように、切替装置４５００の第３状態では、開閉部材４３４０の左右方向位置と、第２復帰部材４５４０の左右方向位置が一致する。なお、操作部材４３１０が押し込み操作された状態（開閉部材４３４０が第１位置状態から移動している場合）でスライド部材４５２０をスライド動作させた場合であっても、開閉部材４３４０の側面には第２復帰部材４５４０の傾斜面部４５４３が当接し、第２復帰部材４５４０が開閉部材４３４０の下方へ押し下げられるので、操作部材４３１０を操作している最中にスライド部材４５２０を動作させることで第２復帰部材４５４０が破損するという不具合を防止することができる。従って、任意のタイミングでスライド部材４５２０をスライド動作させることができる。
【０３７７】
図５７及び図５８は、図５６のＬＶＩＩ−ＬＶＩＩ線における操作デバイス４３００の断面図である。なお、図５７では、操作部材４３１０を移動範囲の上端位置に配置した状態が図示され、図５８では、操作部材４３１０を移動範囲の下端位置まで押し込んだ状態が図示される。
【０３７８】
図５７及び図５８に示すように、スライド部材４５２０が第３状態とされても、操作部材４３１０の押し込み操作によりねじりバネＮＢ４の付勢力が遊技者に与えられる反力に加わることは、スライド部材４５２０が第１状態とされる場合と変化無い。
【０３７９】
一方で、スライド部材４５２０が第３状態とされる場合、図５８に示すように、操作部材４３１０を移動範囲の下端位置まで押し込んでも、第２復帰部材４５４０の移動軌跡上に開閉部材４３４０の調整腕部４３４５が配置される。そのため、第２復帰部材４５４０を介して開閉部材４３４０に伝達されるねじりバネＮＢ４の付勢力が、開閉部材４３４０に与えられ続ける。
【０３８０】
図５９は、本実施形態において操作部材４３１０を押し込み操作した遊技者に与えられる反力の計時変化を示した図である。図５９では、切替装置４５００の第１状態の場合が実線で図示され、切替装置４５００の第２状態の場合が破線で図示され、切替装置４５００の第３状態の場合が１点鎖線で図示される。また、理解を容易とするために、実線と一点鎖線とが重ねられる範囲において、実線と一点鎖線とを若干の距離を空けて平行に記載する。
【０３８１】
図５９に示すように、切替装置４５００が第３状態とされる場合には、遊技者に与えられる反力が最後まで増大し、途中で減少することが無い一方で、切替装置４５００が第１状態とされる場合には、遊技者に与えられる反力が途中で減少し、その減少したままの反力が維持される。
【０３８２】
また、切替装置４５００が第２状態とされる場合には、遊技者に与えられる反力の増大幅が第１状態や第３状態に比較して小さくされるものの、操作部材４３１０が移動範囲の下端に配置された状態における反力は、第１状態と第２状態とで同様となる。
【０３８３】
従って、例えば、「ボタンを押し込め。反力が途中で下がったら、チャンス！？」という報知を第３図柄表示装置８１（図２参照）で行うことで、遊技者が操作部材４３１０を操作するように仕向けることができる。即ち、反力の増減という、操作した本人しか把握できない情報から遊技者が大当たり期待度を把握できるようにすることにより、自分だけが結果を知れるという特別感を遊技者に与えることができる。そのため、通常であれば、面倒さから操作部材４３１０を押し込み操作しない遊技者が、操作部材４３１０を楽しんで操作できるようにすることができる。また、操作部材４３１０を叩きつける操作よりも、徐々に押し込む操作の方が、反力の変化を感知し易いことから、遊技者による操作部材４３１０を叩きつける操作の抑制を図ることができ、操作デバイス４３００の耐久性を向上させることができる。
【０３８４】
また、例えば、「ボタンを押し込め。反力がいつもより小さいと、チャンス！？」という報知を第３図柄表示装置８１（図２参照）で行うことで、上述と同様の理由から、遊技者が操作部材４３１０を操作するように仕向けることができる。この場合、反力が第３状態よりも低ければ遊技者にとって有利であるという遊技性において、遊技者に与える反力が第３状態よりも最終的に低くなる場合の、反力の変化態様を第１状態と第２状態との２パターン用意することができる。
【０３８５】
これにより、操作部材４３１０を操作している途中では、第３状態と反力が同様であるが、操作部材４３１０を移動範囲の下端まで操作完了することにより反力が小さくなり、遊技者の興趣を向上させる場合（第１状態）と、操作部材４３１０の押し込み操作の開始直後から反力が低めであることを遊技者が把握でき、押し込み操作をしている間中、遊技者の興趣を向上させる場合（第２状態）と、で遊技者にとって有利な反力の態様を切り替えることができ、遊技者が操作部材４３１０の操作に飽きることを防止することができる。
【０３８６】
なお、本実施形態では、押し込みを報知する場合において、切替装置４５００は、高い確率（９９％以上）で、第１状態か第３状態とされ、第２状態となるのはごく稀となるように制御される。これにより、ほとんどの場合で遊技者に操作部材４３１０を下端位置まで（最後まで）押し込み操作させるように仕向けることができると共に、遊技者を第１状態および第３状態における反力に慣れさせ、操作部材４３１０を介して遊技者に与えられる反力の変化（第２状態となることによる変化）が僅かであったとしても、その変化に遊技者が気づき易くすることができる。
【０３８７】
次いで、図６０から図６９を参照して、第５実施形態について説明する。第１実施形態では、本体円環部４１０の初期状態において操作部材３１０を押し込み操作しても開閉部材３４０が第１位置状態で維持され、その後の操作部材３１０の操作に伴う開閉部材３４０の動作態様には影響を与えない場合に付いて説明したが、第５実施形態における操作デバイス５３００は、本体円環部４１０の初期状態で操作部材３１０を操作することで開閉部材３４０の状態が変化し、本体円環部４１０の初期状態で操作部材３１０を操作しない場合とは異なった動作態様で開閉部材３４０が動作する。なお、上述した各実施形態と同一の部分には同一の符号を付して、その説明は省略する。
【０３８８】
図６０は、第５実施形態における操作デバイス５３００の分解正面斜視図であり、図６１は、切替装置５４００の分解正面斜視図である。なお、図６０では、外壁部材３０１、重ね部材３０２及び操作部材３１０の図示が省略される。また、図６０では、本体円環部５４１０が初期状態で図示される。また、図６１では、駆動モータ４５９０の図示が省略される。
【０３８９】
図６０に示すように、操作デバイス５３００は、第１実施形態における操作デバイス３００の切替装置４００の代わりに以下で説明する切替装置５４００が組み込まれることを除けば、操作デバイス３００と同様の構成を備える。
【０３９０】
なお、切替装置５４００は、外力が与えられていない状態において（図６０参照）、調整段部５４２０の各面４２１〜４２３の高さや、各面４２１〜４２３同士の切り替わりの位置等は、第１実施形態における調整段部４２０と同様とされる。従って、第１実施形態で説明した通り、本体円環部５４１０が第１演出状態（図１８参照）などに対応する姿勢で停止した状態で、操作部材３１０を押し込み操作することで、第１実施形態で説明した動作と同様の動作を、開閉部材３４０に行わせることができる。
【０３９１】
一方、切替装置５４００は、外力が与えられることで本体円環部５４１０に対して相対動作し、開閉部材３４０と調整段部５４２０の第２面４２２との間に介在するようになる分割円環部材５４５０，５４６０を備える。
【０３９２】
切替装置５４００は、土台部材３２０の本体部３２１の外径よりも若干大きな内径から形成されることにより土台部材３２０の周りを相対回転可能に構成される上面視ドーナツ形状の本体円環部５４１０と、その本体円環部５４１０の上面に形成されると共に調整腕部３４５との当接により開閉部材３４０の回転動作を止める調整段部５４２０と、その調整段部５４２０の機能と同様の機能を有しつつ本体円環部５４１０の回転に伴って本体円環部５４１０に対して相対動作する第１分割円環部材５４５０と、その第１分割円環部材５４５０と類似の形状から構成され同様の機能を有する第２分割円環部材５４６０と、本体円環部５４１０の外周面に周方向に亘って刻設されるギア歯４３０と、そのギア歯４３０に歯合される駆動ギア４９１を駆動させる駆動モータ４９０と、を主に備える。
【０３９３】
本体円環部５４１０は、各分割部材５４５０，５４６０を収容する目的で第１実施形態における本体円環部４１０の形状に対して周方向に凹設される凹設部５４１１と、その凹設部５４１１を上方から覆う板部分の周方向側面に凹設深度が大きくなる側に近づくほど上昇傾斜する態様で傾斜形成させる傾斜面５４１２と、本体円環部５４１０の最外径部付近に径方向外側に張り出し可能に収容される被検出部材５４１３と、その被検出部材５４１３の根本位置付近において凹設部５４１１の下側における本体円環部５４１０の最外径部から外方へ向けて凸設される係止凸部５４１４と、を主に備える。
【０３９４】
凹設部５４１１は、本体円環部５４１０の径方向厚さの中央位置の凹設深度が小さくされ、両端の凹設深度が大きくされる。また、両端の凹設部分は、径方向の側壁が、本体円環部５４１０の中心軸を中心とする円弧形状から形成される。
【０３９５】
このように形成される凹設部５４１１に、分割円環部材５４５０，５４６０の本体板部５４５１及び延設支持部５４５３が挿入されることで、本体円環部５４１０の初期状態（図６０参照）が形成される。また、分割円環部材５４５０，５４６０が本体円環部５４１０から張り出す状態においても、上面視で、分割円環部材５４５０，５４６０は本体円環部５４１０上に配置される。
【０３９６】
被検出部材５４１３は、各分割円環部材５４５０，５４６０の下方において、互いに正反対の位置（１８０度ずれた位置）に配設される。
【０３９７】
調整段部５４２０は、本体円環部５４１０の回転軸方向視において、軸中心とした角度位置（位相）ごとに、上側面の高さが変化する態様で構成される。そのため、調整腕部３４５が調整段部５４２０のどの面と当たるかによって、開閉部材３４０の回転が停止する位置が変化する。なお、後述するように、第１分割円環部材５４５０と、第２分割円環部材５４６０の一部の上面が調整段部５４２０と同様の機能を備える。
【０３９８】
図６０及び図６１に示すように、調整段部５４２０は、その上側面が、最も高い高段ｈ０とされる第１面４２１と、その第１面４２１よりも一段低い中段ｈ１とされる第２面４２２と、最も低い低段ｈ２とされる第３面４２３と、それら各面の周方向端部同士を連結する各連結面と、を主に備える（高段ｈ０、中段ｈ１及び低段ｈ２については図１０参照）。
【０３９９】
第１分割円環部材５４５０は、凹設部５４１１に収容される本体板部５４５１と、その本体板部５４５１の上面から上方へ向けて嵩増し形成される嵩増し部５４５２と、本体板部５４５１の根本側の径方向端部から本体板部５４５１の径方向の側面の曲率半径に沿って湾曲して延設される一対の延設支持部５４５３と、本体板部５４５１の根本側における最外径部から下方へ延設される調整部５４５４と、その調整部５４５４に一端が固定されると共に他端が本体円環部５４１０に固定され第１分割円環部材５４５０を凹設部５４１１の深部へ向けて付勢するコイルスプリングＳＰ５１と、を主に備える。
【０４００】
本体板部５４５１及び嵩増し部５４５２は、径方向の側面が本体円環部５４１０の内側面および外側面と面位置となる湾曲めんから形成され、第１分割円環部材５４５０が凹設部５４１１の最深部まで収容される収容状態（図６０参照）において先端部が調整段部５４２０の連結部分と同一の傾斜角度で形成されると共に滑らかに連結される傾斜面５４５１ａを備える。
【０４０１】
嵩増し部５４５２は、傾斜面５４５１ａの反対側に形成され本体円環部５４１０の周方向に沿って傾斜面５４５１ａに近接するにつれて上昇傾斜する平面である当接面５４５２ａと、上面に形成される平滑上面５４５２ｂと、を主に備える。
【０４０２】
当接面５４５２ａは、第１分割円環部材５４５０の収容状体において傾斜面５４１２と対向配置される面である。図６０に示すように、傾斜面５４１２が当接面５４５２ａから遠ざかる態様で上昇傾斜するので、当接面５４５２ａと傾斜面５４１２との間に窪みが形成される。
【０４０３】
平滑上面５４５２ｂは、本体円環部５４１０の軸方向の配置が、調整段部５４２０の第１面４２１と同等の配置とされる。そのため、本体円環部５４１０が回転し、調整腕部３４５が平滑上面５４５２ｂと対向配置される状態で遊技者が操作部材３１０（図６参照）を押し込み操作したとしても、開閉部材３４０の回転が平滑上面５４５２ｂに規制され、開閉部材３４０は第１位置状態で維持される。
【０４０４】
延設支持部５４５３は、上下の厚みが、凹設部５４１１の隙間の上下長さよりも若干短く形成され、延設支持部５４５３の径方向の太さが、凹設部５４１１の径方向両端部の凹設部分の太さよりも若干細くされる。
【０４０５】
これにより、延設支持部５４５３が、凹設部５４１１に対して本体円環部５４１０の径方向および軸方向に位置決めされると共に、周方向に相対移動可能に支持される。
【０４０６】
調整部５４５４は、本体円環部５４１０の係止凸部５４１４と当接しすることで、第１分割円環部材５４５０の動作を規制する部分である。
【０４０７】
第２分割円環部材５４６０は、嵩増し部５４６２の上端部が、第１分割円環部材５４５０の嵩増し部５４５２のように面で形成されるのではなく辺からなる押し上げ上辺５４６２ｂとして形成されることを除いて、第１分割円環部材５４５０と同様の構成とされる。従って、同様の符号を付して、説明を省略する。
【０４０８】
押し上げ上辺５４６２ｂは、本体円環部５４１０の軸方向の配置が、調整段部５４２０の第１面４２１と同等の配置とされる。そのため、開閉部材３４０が第２位置状態とされ（図１３参照）、その後、本体円環部５４１０が回転された場合に、開閉部材３４０の調整腕部３４５が押し上げ上辺５４６２ｂの上まで乗り上げることで、開閉部材３４０を第１位置状態とする事ができる。
【０４０９】
図６２（ａ）及び図６２（ｂ）は、図６１のＬＸＩＩａ−ＬＸＩＩａ線における本体円環部５４１０の部分断面図である。なお、図６２（ａ）では、被検出部材５４１３の先端が本体円環部５４１０の最外径部よりも内側に収容された状態が図示され、図６２（ｂ）では、被検出部材５４１３の先端が本体円環部５４１０の最外径部よりも外側に張り出した状態が図示される。また、図６２（ａ）では、収容状態（図６０参照）における各分割円環部材５４５０，５４６０の調整部５４５４が図示され、図６２（ｂ）では、調整部５４５４が係止凸部５４１４に当接した状態が図示される。
【０４１０】
図６２（ａ）及び図６２（ｂ）に示すように、被検出部材５４１３は、本体円環部５４１０上に配設される軸棒に回転可能に軸支され、ねじりバネＮＢ５１により本体円環部５４１０の径方向外方へ向けて付勢されている。例えば、第１分割円環部材５４５０が収容状態とされる場合には、調整部５４５４により径方向内側へ戻されるが（図６２（ａ）参照）、第１分割円環部材５４５０が収容状態から外れて、調整部５４５４が被検出部材５４１３の軸棒へ近接動作すると、被検出部材５４１３の先端部が本体円環部５４１０の径方向外方へ張り出す（図６２（ｂ）参照）。
【０４１１】
これにより、被検出部材５４１３の配置を検出することで、本体円環部５４１０に対して各分割円環部材５４５０，５４６０が相対動作しているか否かを判定することができる。なお、本実施形態では、後述するセンサＫＣ５１により、被検出部材５４１３の配置を検出している。
【０４１２】
図６３から図６５を参照して、本体円環部５４１０の初期状態における開閉部材３４０の動作態様について説明する。図６３及び図６４は、操作デバイス５３００の上面図であり、図６５は、図６４のＬＸＶ−ＬＸＶ線における操作デバイス５３００の断面図である。なお、図６３及び図６４では、外壁部材３０１、重ね部材３０２及び操作部材３１０の図示が省略される。また、図６３から図６５では、本体円環部５４１０の初期状態が図示され、図６４及び図６５は、図６３の状態から遊技者が操作部材３１０を押し込み操作した後の状態（開閉部材３４０が第１位置状態から外れた状態）が図示される。
【０４１３】
図６５に示すように、本実施形態では、外壁部材３０１の内壁から内方へ張り出して本体円環部５４１０の外壁と対向配置され、被検出部材５４１３を検出することで被検出部材５４１３の配置を判定する検出センサＫＣ５１が配設される。
【０４１４】
なお、検出センサＫＣ５１は、各分割円環部材５４５０，５４６０が終端まで張り出した状態において被検出部材５４１３を検出溝に収容可能に配置される（図６７参照）。また、一対の被検出部材５４１３のいずれも検出可能に構成されるので、本実施形態において、初期状態から本体円環部５４１０が１８０度ずれた姿勢の際に遊技者が操作部材３１０を押し込み操作し、被検出部材５４１３が張り出した場合も、同一の検出センサＫＣ５１により検出を行うことが可能である。
【０４１５】
図６３から図６５に示すように、本体円環部５４１０の初期状態において開閉部材３４０が第１位置状態から外れて回転動作する場合、開閉部材３４０は、調整腕部３４５が各分割円環部材５４５０，５４６０の本体板部５４５１の上面に当接する中間位置状態まで回転動作する（図６５参照）。
【０４１６】
なお、図６５に示すように、本実施形態では、本体板部５４５１の上面に調整腕部３４５が当接した状態で、開閉部材３４０とクラッチ部材３３０とが当接しない。即ち、クラッチ部材の状態は、開閉部材３４０が第１位置状態となる場合と、中間位置状態となる場合とで変化しない。従って、操作部材３１０を操作する遊技者に対して操作部材３１０を介して与えられる反力であるスプリングＳＰ１の付勢力とスプリングＳＰ２の付勢力との合力の値を、開閉部材３４０が第１位置状態となる場合と中間位置状態となる場合とで同等とすることができる。
【０４１７】
本実施形態では、本体円環部５４１０の初期状態において、音声出力装置２２６や、ランプ表示装置２２７（図４参照）等が操作部材３１０を押し込むように報知することは無いように制御される。即ち、図６４及び図６５に示す状態は、パチンコ機１０がなんら報知を行っていない状態で、遊技者が勝手に操作部材３１０を押し込み操作した結果生じるものである。
【０４１８】
図６６（ａ）及び図６６（ｂ）は、図６５の矢印ＬＸＶＩａ方向視における開閉部材３４０及び切替装置５４００の部分側面図である。なお、図６６（ａ）では、本体円環部５４１０の初期状態が図示され、図６６（ｂ）では、本体円環部５４１０が初期状態から上面視時計回り（図６６（ｂ）左向き）に所定量回転した後の状態が図示される。
【０４１９】
図６６（ａ）に示すように、本体円環部５４１０が初期状態である場合に開閉部材３４０が第１位置状態から回転動作すると、調整腕部３４５が、第１分割円環部材５４５０の当接面５４５２ａと本体円環部５４１０の傾斜面５４１２との間の窪みに収容される。ここで、当接面５４５２ａは、窪みから遠ざかる方向に上昇傾斜するが、その傾斜の度合いが鉛直方向側に寄っている（９０度に近い）ので、調整腕部３４５と当接面５４５２とが図６６（ｂ）左右方向で当接する場合、調整腕部３４５から第１分割円環部材５４５０へ図６６（ｂ）左右方向に沿った負荷が与えられる。
【０４２０】
これにより、図６６（ａ）に示す状態から本体円環部５４１０が上面視時計回り（図６６（ｂ）左向き）に回転動作すると、第１分割円環部材５４５０が調整腕部３４５に移動を規制されることにより、本体円環部５４１０に対して第１分割円環部材５４５０が相対動作する。なお、同様のことが第２分割円環部材５４６０にも言える。
【０４２１】
図６７は、操作デバイス５３００の上面図である。なお、図６７では、外壁部材３０１、重ね部材３０２及び操作部材３１０の図示が省略される。また、図６７では、本体部材３４０が中間位置状態とされ、本体円環部５４１０が係止凸部５４１４と第１分割円環部材５４５０の調整部５４５４とが当接するまで回転した最張出状態が図示される。
【０４２２】
図６７に示すように、本体円環部５４１０の最張出状態において、被検出部材５４１３が径方向外側へ張り出され、検出センサＫＣ５１の検出溝に挿通される。従って、検出センサＫＣ５１から出力される信号の変化を確認することにより、本体円環部５４１０が初期状態の時に操作部材３１０の操作がされたか否かを判定することができる。
【０４２３】
この判定において、操作部材３１０の押し下げを検出するセンサの信号の変化のタイミングと、音声出力装置２２６や、ランプ表示装置２２７（図４参照）等の報知のタイミングとの照合を行う必要が無いので、操作部材３１０の誤操作（本体円環部５４１０が初期状態の時の操作）を容易に検出することができる。また、その検出に用いる制御フローを短縮化できる。
【０４２４】
図６８（ａ）及び図６８（ｂ）は、図６７の矢印ＬＸＶＩＩＩａ方向視における開閉部材３４０及び切替装置５４００の部分側面図である。なお、図６８（ａ）では、図６７に示す状態と同時期の状態が図示され、図６８（ｂ）では、図６８（ａ）に示す状態から本体円環部５４１０が上面視時計回り（図６８（ｂ）左向き）に更に回転した状態が図示される。
【０４２５】
図６８（ａ）に示すように、開閉部材３４０が第１分割円環部材５４５０の本体板部５４５１の上面に乗り中間位置状態となると、調整腕部３４５と調整段部５４２０との間に第１分割円環部材５４５０が介在する。そのため、第１実施形態で説明した第１演出状態〜第３演出状態の時に再度操作部材３１０を押し込み操作したとしても、調整腕部３４５が調整段部５４２０に当接するまで開閉部材３４０を回転動作させるという演出を行うことができず、開閉部材３４０は中間位置状態を維持し続ける。従って、開閉部材３４０の動作態様を、第１実施形態で説明した動作態様とは異なるようにすることができると共に開閉部材３４０の動作態様から、大当たりの期待度など遊技者の利益になる情報を読み取ることを不可能にすることができる。これにより、遊技者の利益になる情報を読み取れなくなることを嫌う遊技者が、本体円環部５４１０が初期状態のときに操作部材３１０を操作しないように仕向けることができる。
【０４２６】
また、開閉部材３４０の動作態様を中間位置状態という中途半端な状態とすることで異常な雰囲気を演出し、意図せず操作部材３１０を誤操作した遊技者に対して、開閉部材３４０の動作態様を利用して誤操作が行われたことを報知することができる。この場合、例えば、第３図柄表示装置８１にエラー表示をする場合と比較して、第３図柄表示装置８１での演出を損なわせずに誤操作の有無を報知することができる。
【０４２７】
なお、上述した第１分割円環部材５４５０による効果は、本体円環部５４１０の動作タイミングや、動作方向の切替により生じるものでは無い。即ち、本体円環部５４１０の動作態様を、第１実施形態の本体円環部４１０の動作態様と変化させる必要はない。従って、本体円環部５４１０の動作制御の設定自由度を維持することができる。
【０４２８】
図６８（ｂ）に示すように、図６７に示す最張出状態から更に本体円環部５４１０を上面視時計回り（図６８（ｂ）左向き）に回転させると、本体円環部５４１０の係止凸部５４１４と第１分割円環部材５４５０の調整部５４５４との当接により第１分割円環部材５４５０の本体円環部５４１０に対する相対移動が規制されることから、第１分割円環部材５４５０が本体円環部５４１０に押進され、上面視時計回り（図６８（ｂ）左向き）に回転する。
【０４２９】
ここで、開閉部材３４０は本体円環部５４１０の周方向への移動が規制されるので、第１分割円環部材５４５０が図６８（ｂ）左方へ移動するのに伴い調整腕部３４５が当接面５４５２ａの傾斜に沿って上方へ押し上げられ、調整腕部３４５は第１分割円環部材５４５０の平滑上面５４５２ｂに当接する。
【０４３０】
平滑上面５４５２ｂは、上述した通り、本体円環部５４１０の軸方向の配置が調整段部５４２０の第１面４２１と同等の位置となるので、図６８（ｂ）に示す状態で開閉部材３４０は第１位置状態となる。従って、遊技者が操作部材３１０を操作しない限りにおいて、開閉部材３４０は第１位置状態で維持される。
【０４３１】
また、第１分割円環部材５４５０の当接面５４５２ａと調整腕部３４５との当接が解除されることにより、第１分割円環部材５４５０に与えられる上面視反時計回り（図６８（ｂ）右向き）の負荷が解除されるので、第１分割円環部材５４５０がコイルスプリングＳＰ５１（図６０参照）の復元力により、凹設部５４１１の深部まで移動され第１分割円環部材５４５０が収容状態（図６０参照）に復帰する。従って、再度、本体円環部５４１０が初期状態となる場合には、第１分割円環部材５４５０は収容状態に戻っているので、別個で第１分割円環部剤５４５０を復帰させる部材を用意することを不要とすることができる。
【０４３２】
図６９（ａ）から図６９（ｃ）は、図６５の矢印ＬＸＶＩａ方向視における切替装置５４００及び開閉部材３４０の側面図である。なお、図６９（ａ）では、本体円環部５４１０が初期状態とされると共に開閉部材３４０が中間位置状態とされ、図６９（ｂ）では、図６９（ａ）に示す状態から本体円環部５４１０が上面視反時計回り（図６９（ｂ）右向き）に回転した状態が図示され、図６９（ｃ）では、図６９（ｂ）に示す状態から本体円環部５４１０が上面視時計回り（図６９（ｃ）左向き）に回転した状態が図示される。
【０４３３】
図６９では、初期状態における操作部材３１０の操作の影響を、キャンセルするための駆動制御が図示される。即ち、図６９（ａ）に示すように、調整腕部３４５が本体円環部５４１０の傾斜面５４１２と第１分割円環部剤５４５０の当接面５４５２ａとの間の窪みに挿入された（本体円環部５４１０の初期状態において操作部材３１０が押し込み操作された）場合であっても、本体円環部５４１０を上面視時計回り（図６９（ｃ）左向き）に回転させる動作の前に、予め本体円環部５４１０を上面視反時計回り（図６９（ｂ）右向き）に回転させる（第１駆動態様）ことにより、調整腕部３４５が傾斜面５４１２に持ち上げられ、開閉部材３４０が第１位置状態に復帰する。
【０４３４】
これにより、本体円環部５４１０が初期状態であるときに意図せず操作部材３１０を操作した場合において、第３図柄表示装置では、ほぼ大当たり（９９％大当たり）の演出（例えば、「プレミア演出」）が表示されているにも関わらず、開閉部材３４０は異常な動作を行うというパチンコ機１０全体として食い違いが生じることを防止することができる。
【０４３５】
即ち、現に第３図柄表示装置８１で行われる演出の大当たり期待度により、本体円環部５４１０の回転開始時の挙動を変化可能に構成する。これにより、本体円環部５４１０の初期状態で操作部材３１０を操作した場合に、開閉部材３４０と調整段部５４２０との間に第１分割円環部剤５４５０を介在させた状態で演出を行うのか、介在を解除して演出を行うのかの選択を制御装置側で行うことができる。
【０４３６】
なお、ほぼ大当たりの演出を行う場合に限って本体円環部５４１０を図６９で示す第１駆動態様で動作する場合には、中間位置状態となった開閉部材３４０が予備動作で第１位置状態となることを確認することで、遊技者は、ほぼ大当たりの演出が始まることを前もって知ることができる。
【０４３７】
従って、本体円環部５４１０の初期状態において、敢えて操作部材３１０を押し込み、開閉部材３４０を中間状態とし、予備動作で第１位置状態に戻ることを期待するという遊技の仕方を提供することができる。この場合、開閉部材３４０の姿勢の変化に遊技者の視線を集めることができ、開閉部材３４０の注目力を向上させることができる。
【０４３８】
なお、ほぼ大当たりの演出を、極めて低い確率（例えば、１／１００００）で生じるように設定することにより、本体円環部５４１０の初期状態において敢えて操作部材３１０を押し込むという上述の遊技態様が、長期間継続されることを防止することができる。
【０４３９】
次いで、図７０から図７７を参照して、第６実施形態について説明する。第４実施形態では、切替装置４５００が第１状態とされる場合に操作部材４３１０を押し込み操作することで開閉部材４３４０が第２位置状態で維持される場合を説明したが、第６実施形態における操作デバイス６３００は、遊技者が操作部材４３１０を操作する操作態様により、切替装置４５００が第１状態とされる場合に操作部材４３１０を押し込み操作しても、開閉部材４３４０が第２位置状態で維持されない場合を形成可能とされる。なお、上述した各実施形態と同一の部分には同一の符号を付して、その説明は省略する。
【０４４０】
図７０は、図４７のＸＬＶＩＩＩ−ＸＬＶＩＩＩ線に対応する線における第６実施形態における操作デバイス６３００の断面図である。図７０に示すように、操作デバイス６３００は、開閉部材４３４０の回転軸部付近に、開閉部材４３４０を覆う移動カバー部材６３６０が配設されることと、切替装置６５００のスライド部材４５２０の上面に、外押出部材６５５０と、内押出部材６５６０とが配設されることとを除いて、第４実施形態における操作デバイス４３００と同様の構成を備える。なお、図７０では、開閉部材４３４０の回転軸部付近と移動カバー部材６３６０とにおいてのみ、移動カバー部材６３６０の本体部材６３６１の一対の平行な板を通る位置での断面形状が図示される。
【０４４１】
即ち、操作デバイス６３００は、第４実施形態と同様に、外壁部材４３０１と、重ね部材３０２と、操作部材４３１０と、一対の開閉部材４３４０と、切替装置を動作させる駆動ギア４５９１の駆動力を発生する駆動モータ４５９０と、を備えることに加え、開閉部材４３４０に対して相対動作可能に開閉部材４３４０に配設される移動カバー部材６３６０と、開閉部材４３４０の下方に配置され、開閉部材４３４０と当接することで開閉部材４３４０を付勢する状態と、開閉部材４３４０と当接しない状態とを直進動作により切替可能に構成される切替装置６５００と、を主に備える。
【０４４２】
切替装置６５００は、第４実施形態と同様に、土台部材４５１０と、スライド部材４５２０と、第１復帰部材４５３０と、第２復帰部材４５４０と、ねじりバネＮＢ４と、を備えることに加え、移動カバー部材６３６０と対向する状態において開閉部材４３４０が回転動作する事に伴い移動カバー部材６３６０を外側位置に配置させる外押出部材６５５０と、移動カバー部材６３６０と対向する状態において開閉部材４３４０が第１位置状態に配置されることに伴い移動カバー部材６３６０を初期位置としての内側位置に配置させる内押出部材６５６０と、を主に備える。
【０４４３】
図７１（ａ）は、切替装置６５００の側面図であり、図７１（ｂ）は、図７１（ａ）の矢印ＬＸＸＩｂ方向視における切替装置６５００の上面図である。
【０４４４】
なお、理解を容易にするために、図７１（ｂ）に示すように、一対の第１復帰部材４５３０を結ぶ方向に沿って延設される想像線の直線が、第１復帰部材４５３０と第２復帰部材４５４０とを結ぶ方向に等間隔に配置される。また、図７１では、土台部材４５１０の図示が省略される。
【０４４５】
即ち、図７１（ｂ）には、一対の第１復帰部材４５３０の幅長さ（図７１（ｂ）上下方向の寸法）の中心を通る固定側位置線Ｗｒと、一対の第２復帰部材４５４０の幅長さ中心を通る非固定側位置線Ｗｎと、固定側位置線Ｗｒ及び非固定側位置線Ｗｎの中間に配置される復帰位置線Ｗｃと、固定側位置線Ｗｒ及び復帰位置線Ｗｃの中間に配置される固定側中間線Ｗｃｒと、非固定側位置線Ｗｎ及び復帰位置線Ｗｃの中間に配置される非固定側中間線Ｗｃｎと、が図示される。
【０４４６】
各線Ｗｒ，Ｗｎ，Ｗｃ，Ｗｃｒ，Ｗｃｎは、上面視において開閉部材４３４０の幅長さ（図７０紙面垂直方向の寸法）の中心が配置される目安の線として図示される。
【０４４７】
即ち、例えば、切替装置６５００が、第４実施形態で上述した第１状態とされる場合には、開閉部材４３４０の幅長さの中心が上面視で固定側位置線Ｗｒに配置される。本実施形態では、開閉部材４３４０の幅長さの中心が上面視で各線Ｗｒ，Ｗｎ，Ｗｃ，Ｗｃｒ，Ｗｃｎに配置される５種類の停止位置を形成する態様で、スライド部材４５２０が駆動制御される。
【０４４８】
外押出部材６５５０は。上面視において、固定側中間線Ｗｃｒ、非固定側中間線Ｗｃｎに厚み長さ（図７１（ｂ）上下方向の長さ）の中心を一致させ、前後（図７１（ｂ）左右）に幅広な形状から形成される側面視Ｔ字形状の本体部６５５１と、その本体部６５５１の上端部において面取り形成される面取り部６５５２と、を主に備える。
【０４４９】
本体部６５５１の上端部は、開閉部材４３４０が回転動作する際に、移動カバー部材６３６０と当接し得る部分である。面取り部６５５２が上面視の全角部に形成されており、略楕円形状となっているので、スライド部材４５２０がスライド動作している最中に移動カバー部材６３６０と外押出部材６５５０とが当接しても、生じる負荷を開閉部材４３４０及び移動カバー部材６３６０が移動可能な方向に逃がすことができるので、構成部材が破損することを防止することができる。
【０４５０】
なお、外押出部材６５５０は、開閉部材４３４０の幅長さの中心が上面視で他の線Ｗｒ，Ｗｎ，Ｗｃに配置される場合には、開閉部材４３４０及び移動カバー部材６３６０と当接しない態様から形成される。
【０４５１】
内押出部材６５６０は、上面視において、復帰位置線Ｗｃに厚み長さ（図７１（ｂ）上下方向の長さ）の中心を一致させる前後に一対で配置される棒状部材から形成され、上端部から互いに対向する側に延設される延設部を有する側面視Ｌ字形状の本体部６５６１と、その本体部６５６１の上端部において面取り形成される面取り部６５６２と、を主に備える。
【０４５２】
本体部６５６１の上端部は、開閉部材４３４０が第１位置状態に配置される際に移動カバー部材６３６０と当接し得る部分である。面取り部６５６２が上面視で延設部の先端の全角部に形成されており、丸角となっているのでスライド部材４５２０がスライド動作している最中に移動カバー部材６３６０と内押出部材６５６０とが当接しても、生じる負荷を開閉部材４３４０及び移動カバー部材６３６０が移動可能な方向に逃がすことができるので、構成部材が破損することを防止することができる。
【０４５３】
なお、内押出部材６５６０は、開閉部材４３４０の幅長さの中心が上面視で他の線Ｗｒ，Ｗｎ，Ｗｃｒ，Ｗｃｎに配置される場合には、開閉部材４３４０及び移動カバー部材６３６０と当接しない態様から形成される。
【０４５４】
図７２を参照して、開閉部材４３４０と移動カバー部材６３６０の詳細について説明する。図７２（ａ）は、開閉部材４３４０の正面図であり、図７２（ｂ）は、図７２（ａ）の矢印ＬＸＸＩＩｂ方向視における開閉部材４３４０の側面図であり、図７２（ｃ）は、移動カバー部材６３６０の正面図であり、図７２（ｄ）は、図７２（ｃ）の矢印ＬＸＸＩＩｄ方向視における移動カバー部材６３６０の側面図であり、図７２（ｅ）は、図７２（ｃ）の矢印ＬＸＸＩＩｅ方向視における移動カバー部材６３６０の上面図である。なお、本実施形態で説明する開閉部材４３４０と、第４実施形態で説明した開閉部材４３４０とは同一部材であるが、ここで詳細を説明する。
【０４５５】
図７２（ａ）及び図７２（ｂ）に示すように、開閉部材４３４０は、第４実施形態と同様に、軸方向視（図７２（ａ）参照）で長尺板状に形成される本体板部３４１と、支持孔３４２と、凸設受け部３４４（図８参照）と、を備えると共に、本体板部３４１の上端部において相手側の開閉部材４３４０へ向けて前後方向（図７２（ａ）左右方向）に沿って延設される延設部４３４３と、本体板部３４１の下端部において相手側の開閉部材４３４０と対向する側の反対側へ延設される調整腕部４３４５と、軸部４３０１ｃ１の周りに巻き付けられると共に凸設受け部３４４に係止され開閉部材４３４０を内方側の位置へ回動させる付勢力を発生するねじりバネＮＢ１（図８参照）と、を主に備える。
【０４５６】
図７２（ｂ）に示すように、本体板部３４１の支持孔３４２側の端部は、軸方向の厚みが他の部分に比較して薄くされ、厚みの境界に傾斜側面４３４１ａが形成される。傾斜側面４３４１ａは、調整腕部４３４５の当接面４３４５ａと平行な側面として形成される。
【０４５７】
調整腕部４３４５は、延設先端部下面に配置される当接面４３４５ａと、延設方向と交差する回転規制面４３４５ｂと、を主に備える。
【０４５８】
当接面４３４５ａは、切替装置６５００の各復帰部材４５３０，４５４０と当接し、開閉部材４３４０の回転動作により各復帰部材４５３０，４５４０を押圧する面である。
【０４５９】
回転規制面４３４５ｂは、軸部４３０１ｃ１側へ向けて凹む湾曲形状から構成される面である。開閉部材４３４０の第２位置状態（図５４参照）において、切替装置４５００の復帰部材４５３０，４５４０の回転軸を中心とする円弧形状と一致する形状とされる。
【０４６０】
図７２（ｃ）から図７２（ｅ）に示すように、移動カバー部材６３６０は、上面視コ字状に形成される本体部材６３６１と、その本体部材６３６１の一対の平行な板に長孔状に貫通形成される一対の調整長孔６３６２と、本体部材６３６１の一部であって一対の平行な板を連結する連結部６３６３と、本体部材６３６１の一対の平行な板の先端から延設される延設腕部６３６４と、を主に備える。
【０４６１】
本体部材６３６１は、一対の平行な板の間隔が、開閉部材４３４０の支持孔３４２側の端部の厚みと同程度とされ、その上面に平面として形成される位置決め平面６３６１ａを備える。
【０４６２】
本体部材６３６１の一対の平行な板と開閉部材４３４０との間には、組立状態（図７０参照）において、静止摩擦力が生じる。そのため、開閉部材４３４０と本体部材６３６１とを相対動作させるためには、最大静止摩擦力より大きな負荷が必要とされる。
【０４６３】
本実施形態では、開閉部材４３４０を第２位置状態において配置される側へ向けて付勢するねじりバネＮＢ１（図８参照）の付勢力が、開閉部材４３４０が第１位置状態（図７０参照）とされる場合において、上述した最大静止摩擦力より大きくされ、ねじりバネＮＢ４の付勢力が、ねじりバネＮＢ４の変位が最大とされる場合（図７７参照）において、上述した最大静止摩擦力以下となるように、ねじりバネＮＢ１，ＮＢ４のバネ定数が設定される。これにより、移動カバー６３６０が、外押出部材６５５０や内押出部材６５６０に押し当てられた際には開閉部材４３４０に対して擦れて相対動作し、各復帰部材４５３０，４５４０に押し当てられた際には開閉部材４３４０に対して相対動作しないようにすることができる。
【０４６４】
位置決め平面６３６１ａは、組立状態（図７０参照）において、傾斜側面４３４１ａと当接する面である。位置決め平面６３６１ａと傾斜側面４３４１ａが面接触することにより、移動カバー部材６３６０の開閉部材４３４０に対する姿勢ずれが防止される。
【０４６５】
調整長孔６３６２は、位置決め平面６３６１ａと平行な直線に沿って延設されると共に短手方向の長さが支持孔３４２の直径と同等とされる長孔であり、位置決め平面６３６１ａと傾斜側面４３４１ａが面接触する状態において、軸方向視（図７２（ｃ）参照）で支持孔３４２を内包する位置に配置される。
【０４６６】
これにより、組立状態（図７０参照）において、開閉部材４３４０と移動カバー部材６３６０とを共通の軸部４３０１ｃ１で支持すると共に、開閉部材４３４０に対して移動カバー部材６３６０を調整長孔６３６２の延設方向（傾斜側面４３４１ａの延設方向）に沿って相対移動させることができる。
【０４６７】
延設腕部６３６４は、調整長孔６３６２の延設腕部６３６４側の端部と開閉部材４３４０の支持孔３４２とを軸方向視（図７０参照）で同位置に配置した場合に、軸方向視で、調整腕部４３４５の外形と同形状の外形を有する態様で形成される。例えば、延設腕部６３６４の下側側面は、位置決め平面６３６１ａ及び調整長孔６３６２と平行な平面として形成される。
【０４６８】
そのため、例えば、調整長孔６３６２の延設腕部６３６４側の端部と開閉部材４３４０の支持孔３４２とを軸方向視（図７０参照）で同位置に配置した場合（図７０参照）には、開閉部材４３４０を回転動作させることで各復帰部材４５３０，４５４０と当接する際に、開閉部材４３４０の調整腕部４３４５と各復帰部材４５３０，４５４０とが直接当接することとなり、間に移動カバー部材６３６０が介在する態様とは異なる。以下において、移動カバー部材６３６０が開閉部材４３４０と各復帰部材４５３０，４５４０との間に介在する場合について説明する。
【０４６９】
図７３は、操作デバイス６３００の上面図であり、図７４及び図７５は、図７３のＬＸＸＩＶ−ＬＸＸＩＶ線における操作デバイス６３００の断面図である。なお、図７３では、外壁部材４３０１、重ね部材３０２及び操作部材４３１０が想像線で図示される。また、図７３では、切替装置６５００の固定側中間線Ｗｃｒが上面視で開閉部材４３４０の幅長さの中心と一致する固定側中間状態が図示され、図７４では、開閉部材４３４０の第１位置状態が図示され、図７５では、開閉部材４３４０の第２位置状態が図示される。
【０４７０】
本実施形態では、図７３に示す状態において、音声出力装置２２６や、ランプ表示装置２２７（図４参照）等が操作部材４３１０を押し込むように報知することは無いように制御される。即ち、図７５に示す状態は、パチンコ機１０がなんら報知を行っていない状態で、遊技者が勝手に操作部材４３１０を押し込み操作した結果生じるものである。
【０４７１】
図７４及び図７５に示すように、操作部材４３１０の押し込みがあり、開閉部材４３４０が第１位置状態から回転動作することに伴い、外押出部材６５５０と移動カバー部材６３６０の連結部６３６３とが当接し、移動カバー部材６３６０が内側位置から外側位置へ向けて押進される。この押進により、開閉部材４３４０が第２位置状態まで回転した場合には、移動カバー部材６３６０が外側位置に配置される（図７５参照）。
【０４７２】
なお、遊技者が押し下げ操作を止め、図７５に示す状態から操作部材４３１０が上方へ復帰し、開閉部材４３４０が第１位置状態に戻ったとしても、移動カバー部材６３６０を内側へ戻す力は生じないので、移動カバー部材６３６０の配置は、外側位置で維持される。
【０４７３】
ここで、移動カバー部材６３６０が開閉部材４３４０の回転軸を通る直線上を移動するので、移動カバー部材６３６０の移動により、開閉部材４３４０の回転方向に生じる負荷が変化することを防止することができる。これにより、操作部材４３１０を介して遊技者に与えられる反力が変化することを防止できるので、操作部材４３１０から与えられる反力の変化により、遊技者が、切替装置６５００の状態が固定側中間状態であると認識することを困難とすることができる。
【０４７４】
図７６は、操作デバイス６３００の上面図であり、図７７は、図７６のＬＸＸＶＩＩ−ＬＸＸＶＩＩ線における操作デバイス６３００の断面図である。なお、図７６では、外壁部材４３０１、重ね部材３０２想像線で図示され、操作部材４３１０の図示が省略される。また、図７６では、切替装置６５００の固定側位置線Ｗｃが上面視で開閉部材４３４０の幅長さの中心と一致する第１状態が図示され、図７７では、開閉部材４３４０の第２位置状態が図示される。
【０４７５】
なお、図７６及び図７７では、図７５に示すように切替装置６５００が固定側中間状態の内に操作部材４３１０が操作された後で、切替装置６５００の復帰位置線Ｗｃが上面視で開閉部材４３４０の幅長さの中心と一致する第２状態を経由せず切替装置６５００が第１状態とされた場合が図示される。そのため、移動カバー部材６３６０が外側位置で維持される。
【０４７６】
図７７に示すように、移動カバー部材６３６０が外側位置に配置された状態で操作部材４３１０が操作され、開閉部材４３４０が第２位置状態となっても、第１復帰部材４５３０の移動軌跡上に移動カバー部材６３６０が依然として配置され、開閉部材４３４０と第１復帰部材４５３０との間に移動カバー部材６３６０が介在するので、開閉部材４３４０が第１復帰部材４５３０から負荷を受け続けることとなる。
【０４７７】
即ち、移動カバー部材６３６０が内側位置に配置されるか、外側位置に配置されるかによって、開閉部材４３４０が第２位置状態となった際に姿勢を固定される場合と（図５４参照）、移動カバー部材６３６０が介在し依然として第１復帰部材４５３０からの反力を受け続ける場合とを生じさせることができる。
【０４７８】
換言すれば、切替装置６５００が固定側中間位置に配置され押し込みの報知が無い状態で、遊技者が操作部材４３１０を操作するか否かにより、切替装置６５００の状態は第１状態で同じであるにも関わらず、遊技者の操作部材４３１０の操作に伴う開閉部材４３４０の動作態様を変化させることができる。また、この変化は、遊技者を混乱させることにつながる変化である。このことについて、以下で説明する。
【０４７９】
本実施形態における操作デバイス６３００は、操作部材４３１０を押し込み操作した時の開閉部材４３４０の動作態様により、遊技者の利益となる情報を報知するものである。開閉部材４３４０の動作態様は切替装置６５００の状態により切り替えることが可能とされるので、遊技者の利益となる情報と対応して切替装置６５００の状態を切り替えるように駆動モータ４５９０が駆動され、切替装置６５００の状態が制御される。なお、本実施形態では、大当たり期待度が一定の水準よりも高い場合に開閉部材４３４０が第２位置状態で維持され易くなるように、切替装置６５００が制御される。
【０４８０】
ここで、切替装置６５００の第１状態は、移動カバー部材６３６０が内側位置（初期位置）に配置されていれば、開閉部材４３４０が第２位置状態とされることに伴い開閉部材４３４０が第２位置状態に維持される（図５４参照）状態である。一方、切替装置６５００の第３状態（図５６から図５８参照）では、開閉部材４３４０は第２位置状態に維持されず、操作部材４３１０の上昇に伴って第１位置状態に復帰する。従って、遊技者は、開閉部材４３４０が第２位置状態に復帰するか否かにより、切替装置６５００の状態の違いを把握でき、その状態の違いから、制御側が意図した通りの期待度としての利益を、遊技者が理解することができる（第１状態における大当たり期待度＞第３状態における大当たり期待度）。
【０４８１】
しかし、移動カバー部材６３６０が外側位置に配置される場合、切替装置６５００が第１状態とされていても、開閉部材４３４０が第２位置状態で維持されず、操作部材４３１０の上昇に伴い第１位置状態に復帰するので、切替装置６５００が第３状態とされる場合と区別が付かず、開閉部材４３４０の動作態様から切替装置６５００の状態を判定することが困難となる。そのため、遊技者が開閉部材４３４０の動作態様を視認することにより得られる利益が低減される。
【０４８２】
また、図７７に示す状態では、開閉部材４３４０の回転量に伴って第１復帰部材４５３０が回転し、その回転角度に応じて増大するねじりバネＮＢ４の反力が、遊技者に与えられる。これは、切替装置６５００が第３状態とされる場合（図５６から図５８参照）に遊技者に与えられる反力と、絶対値および変化態様の面で同等であるので、遊技者に与えられる反力から切替装置６５００の状態を判定することが困難となる。そのため、遊技者が操作部材４３１０を操作する際の反力に意識を集中させ反力の違いを識別することにより得られる利益が低減される。
【０４８３】
換言すれば、切替装置６５００が固定側中間位置に配置され押し込みの報知が無い状態で、操作部材４３１０を操作しなければ、遊技者は、開閉部材４３４０の動作態様を視認することで得られる利益を維持することができる。また、遊技者に操作部材４３１０を介して与えられる反力に意識を集中させ反力の違いを識別することにより得られる利益を維持することができる。これにより、押し込みの報知が無い状態で遊技者が操作部材４３１０を押し込み操作することを抑制することができる。
【０４８４】
なお、図７７に示す状態から、切替装置６５００を第２状態とすることで、外側位置に配置される移動カバー部材６３６０が内押出部材６５６０から内向きに負荷を受け、内側位置に押進される（図７０参照）。即ち、内押出部材６５６０は、軸方向視（図７０参照）において、調整腕部４３４５の延設方向の端部と、内押出部材６５６０の端部とが同一線上で重なる態様から形成される。従って、遊技者が操作部材４３１０を操作することにより移動カバ−部材６３６０が外側位置に配置された場合であっても、切替装置６５００が第２状態を経由してから第１状態となることで、遊技者の操作の影響をキャンセルすることができる。
【０４８５】
これにより、切替装置６５００が固定側中間状態であるときに意図せず操作部材４３１０を操作した場合において、第３図柄表示装置では、ほぼ大当たり（９９％大当たり）の演出（例えば、「プレミア演出」）が表示されているにも関わらず、開閉部材４３４０は期待度の低い動作（第２位置状態で維持されない動作）を行うというパチンコ機１０全体として食い違いが生じることを防止することができる。
【０４８６】
即ち、現に第３図柄表示装置８１で行われる演出の大当たり期待度により、切替装置６５００が固定側中間状態に配置された後の切替装置６５００の挙動を変化可能に構成する。これにより、切替装置６５００が固定側中間状態で操作部材４３１０を操作した場合に、移動カバー部材６３６０が外側位置に配置された状態で操作部材４３１０の押し込みを促す演出を行うのか、移動カバー部材６３６０の配置を内側位置にした後で操作部材４３１０の押し込みを促す演出を行うのか、の選択を制御装置側で行うことができる。
【０４８７】
例えば、操作部材４３１０の押し込みを促す演出を行う前に切替装置６５００が固定側中間状態とされた後で、操作部材４３１０の押し込みを促す演出の直前に第２状態を経由して切替装置６５００を第１状態とする動作態様（第１駆動態様）で動作させることで、移動カバー部材６３６０が外側位置に配置されていた場合にも内側位置に復帰させた後で、操作部材４３１０の押し込みを促す演出を行うことができる。
【０４８８】
なお、別動作として、切替装置６５００の非固定側中間線Ｗｃｎが上面視で開閉部材４３４０の幅長さの中心と一致する非固定側中間状態とされた後、操作部材４３１０の押し込みを促す演出の直前に第２状態を経由して切替装置６５００を第３状態とする動作態様（第１駆動態様に対して駆動モータ４５９０の回転方向を逆転させた動作態様）を切替装置６５００が備えることで、切替装置６５００が第１駆動態様で動作したことの、動作音や機械振動による把握を困難とすることができる（遊技者が、動作音を聞いたり、パチンコ機１０（図１参照）の枠を介して伝わる振動を感じたりすることにより切替装置６５００が第１駆動態様で動作していることに気付くことを困難とすることができる）。
【０４８９】
これにより、切替装置６５００の状態の違いに対応した大当たり期待度の情報を、操作部材４３１０を押し込むことなく把握することを困難とすることができる。即ち、操作部材４３１０の操作に伴い動作する開閉部材４３４０の動作態様を視認しないと、切替装置６５００の状態の違いを把握できないようにすることができる。従って、操作部材４３１０を操作した後の開閉部材４３４０の状態に対する注目力を向上させることができ、遊技者に操作部材４３１０を操作するように仕向けることができる。
【０４９０】
上述したように、第６実施形態では、押し込みを促す報知が無い場合に操作部材４３１０を押し込み操作すると、開閉部材４３４０の動作態様が変化し、開閉部材４３４０から得られる情報が減るように構成されるので、遊技者に報知通りの操作を行うように仕向けることができる。
【０４９１】
また、報知を無視した操作部材４３１０の押し込みがあろうが、無かろうが、開閉部材４３４０の動作態様を遊技者が有益な情報を得られるようにできる制御も混ぜることで、報知を無視して操作部材４３１０が操作された後においても、開閉部材４３４０に対する注目力を維持することができる。
【０４９２】
また、押し込みを促す報知が無い場合に操作部材４３１０を操作しても遊技者に操作部材４３１０から与えられる反力は変化しないので、開閉部材４３４０の動作態様を故意に無視して好きなタイミングで操作部材４３１０を操作する遊技者に、押し込み操作時に反力が変わることによる違和感を与えることを防止できる。
【０４９３】
次いで、図７８から図９２を参照して、第７実施形態について説明する。第３実施形態では、操作部材３１０を押し込む距離により、開閉部材３４０が回転動作する場合と、回転動作しない場合とを形成可能とする場合を説明したが、第７実施形態における操作デバイス７３００は、操作デバイス７３００を操作する期間により、開閉部材４３４０が第２位置状態で維持される場合と、第２位置状態で維持されず第１位置状態に復帰する場合とが形成される。なお、上述した各実施形態と同一の部分には同一の符号を付して、その説明は省略する。
【０４９４】
図７８及び図７９は、図４７のＸＬＶＩＩＩ−ＸＬＶＩＩＩ線に対応する線における第７実施形態における操作デバイス７３００の断面図である。図７８及び図７９では、切替装置７５００が、後述する第１状態とされる。また、図７８では、開閉部材４３４０の第１位置状態が図示され、図７９では、開閉部材４３４０の第２位置状態が図示される。
【０４９５】
本実施形態における操作デバイス７３００は、第４実施形態における操作デバイス４３００の構成を部分的に流用する一方で、遊技者が直接操作する操作カバー７３２０に対して操作部材４３１０が相対移動可能に構成されることが大きく異なる。
【０４９６】
即ち、操作デバイス７３００は、第４実施形態と同形状の開閉部材４３４０を備えると共に、内部機構を一部視認させることで操作デバイス７３００自体に演出効果を持たせる機能を有しており、逆カップ形状の底中心部に開口３０１ａを有して形成されると共に正面枠１４（図５参照）との間に切替装置７５００等の動作装置を収容する態様で正面枠１４に固定される外壁部材７３０１と、その外壁部材７３０１の高さ方向幅を短縮した形状から形成され底中心部に開口３０１ａと同軸で若干直径が大きく形成される開口７３０２ａを有すると共に外壁部材７３０１との間に内部空間を形成する態様で重ねて固定される重ね部材７３０２と、開口３０１ａ，７３０２ａに挿通され外壁部材７３０１と重ね部材７３０２とで形成される内部空間により移動を制限される部材であって光透過性材料から構成される皿形状の操作部材４３１０と、操作部材４３１０に覆設される操作カバー７３２０と、外壁部材７３０１に支持されると共に操作部材４３１０の操作量に伴って傾倒動作可能に構成される一対の開閉部材４３４０と、その開閉部材４３４０の下方に配置され遊技者が操作部材４３１０から手を離した後も開閉部材４３４０を第２位置状態で維持可能な状態と、開閉部材４３４０を第２位置状態で維持不能な状態とを切替可能に構成される切替装置７５００と、その切替装置７５００を動作させる駆動ギア４５９１の駆動力を発生する駆動モータ４５９０と、を主に備える。
【０４９７】
外壁部材７３０１は、開口３０１ａと、凹設部３０１ｂと、一対の支持腕部４３０１ｃと、傾倒防止腕部４３０１ｄと、を第４実施形態における外壁部材４３０１と同様に備えると共に外壁部材４３０１と同等の外形寸法を有し、加えて、開口３０１ａの内側において支持腕部４３０１ｃの上端位置が下降して形成され、支持腕部４３０１ｃに軸支される断面くの字形状の押し上げ部材７３０１ｅと、凹設部３０１ｂの底部に穿設される貫通孔７３０１ｆと、その貫通孔７３０１ｆの下方に配設される検出センサＫＣ７１と、を主に備える。
【０４９８】
支持腕部４３０１ｃは、本実施形態の方が、第４実施形態に比較して幅寸法が長くされる、これにより、押し上げ部材７３０１ｅを軸支する領域を確保できると共に、上面視における切替装置７５００の視認性を悪化させることができる。従って、操作部材４３１０を通して切替装置７５００の状態を把握することで満足し、操作部材４３１０の操作は行わないという遊技の方法を抑制することができる。
【０４９９】
押し上げ部材７３０１ｅは、操作カバー７３２０を押し下げ操作することに伴って、姿勢変化する部材である。なお、操作カバー７３２０との関係の詳細は後述する。
【０５００】
重ね部材７３０２の開口７３０２ａは、操作カバー７３２０が第４実施形態の操作部材４３１０に比較して大径に形成されることに対応して、開口３０２ａよりも大径に形成される。
【０５０１】
操作カバー７３２０は、操作部材４３１０に覆設されると共に光透過性の材料から逆カップ形状に形成される部材であって、操作部材４３１０の外径よりも若干大きな内径を有する逆カップ形状の本体部７３２１と、その本体部７３２１の内周面から軸中心側へ向けて凸設される凸設部７３２２と、本体部７３２１の開口先端から外径方向に円環形状を構成する態様で延設されその延設先端から更に下方へ延設されるフランジ部７３２３と、そのフランジ部７３２３の下端部から内径方向に延設される規制部７３２４と、その規制部７３２４から外壁部材７３０１の貫通孔７３０１ｆに挿通可能に延設される検出部７３２５と、を主に備える。
【０５０２】
凸設部７３２２は、操作部材４３１０との間に配設されることで、操作部材４３１０と操作カバー７３２０との接触面積を減少させる部分である。これにより、操作部材４３１０が操作カバー７３２０に対して擦れ動作しやすくなる（相対移動し易くなる）。
【０５０３】
フランジ部７３２３の下方への延設長さは、操作部材４３１０の外側延設部３１３の厚みよりも長く形成され、規制部７３２４は、外側延設部３１３の下方に配置される。即ち、操作部材４３１０の上下動作を規制する負荷が解除された場合、操作部材４３１０は、外側延設部３１３が規制部７３２４に乗る位置まで、下降動作する態様で構成される。
【０５０４】
検出部７３２５は、操作カバー７３２０が押し込まれず、上端位置に配置される場合には検出センサＫＣ７１から外れ、操作カバー７３２０が押し込み操作された後には、検出センサＫＣ７１の検出溝に挿通される（図７９参照）。これにより、操作カバー７３２０が押し込み操作されているか否かを制御操作側が認識することができる。
【０５０５】
図７９では、操作部材４３１０が、操作カバー７３２０に対する移動範囲の下端に配置された状態が図示される。操作部材４３１０が図７９に示す配置とされた場合に、初めて開閉部材４３４０が第２位置状態となる。換言すれば、操作部材４３１０が図７９に示す配置とされない場合（例えば、図７８参照）には、操作カバー７３２０をいくら押し込み操作しても、開閉部材４３４０は第２位置状態とはならない。そこで、以下では、図７９に示す操作部材４３１０の状態（移動範囲の下端に配置された状態）を操作部材４３１０の許容状態と称し、その他の状態を操作部材４３１０の規制状態と称する。
【０５０６】
なお、本実施形態では、操作部材４３１０に対して押し上げ部材７３０１ｅからの負荷が生じている場合には、操作部材４３１０は規制状態とされ、操作部材４３１０に対する押し上げ部材７３０１ｅからの負荷が解除されると、操作部材４３１０が重力の作用で下降するように構成される。
【０５０７】
図８０及び図８１を参照して、操作カバー７３２０を押し込み操作する際の、操作部材４３１０の状態の変化について説明する。図８０（ａ）、図８０（ｂ）、図８１（ａ）及び図８１（ｂ）は、図７８のＬＸＸＸａ―ＬＸＸＸａ線における操作デバイス７３００の部分断面図である。なお、図８０（ａ）では、操作カバー７３２０が移動範囲の上端位置に配置された状態が、図８０（ｂ）では、操作カバー７３２０が所定量押し込み操作された状態が、図８１（ａ）では、操作カバー７３２０が移動範囲の下端位置に配置された状態が、図８１（ｂ）では、図８１（ａ）の状態から所定期間経過した後の状態が図示される。なお、理解を容易とするために、検出センサＫＣ７１及び検出部７３２５の図示が省略される。
【０５０８】
図８０及び図８１に示すように、押し上げ部材７３０１ｅは、付勢バネにより上向きに付勢され、図８０（ａ）に示す状態において、操作部材４３１０に重力による負荷を越える大きさの押し上げ負荷を与える。即ち、図８０（ａ）に示す状態は、押し上げ部材７３０１ｅが操作部材４３１０を下支えすることにより維持されている。
【０５０９】
図８０（ｂ）は、操作カバー７３２０に対して操作部材４３１０を下支えする限界位置として図示される。即ち、操作カバー７３２０が更に下降動作すると、押し上げ部材７３０１ｅが規制部７３２４に押し下げられ、押し上げ部材７３０１ｅが操作部材４３１０から離される。
【０５１０】
図８１（ａ）では、操作カバー７３２０が移動範囲の下端位置に配置されている一方で、押し上げ部材７３０１ｅが操作部材４３１０から離間した状態（下方へ離れた状態）とされる。この状態では、押し上げ部材７３０１ｅから操作部材４３１０へ負荷が与えられないので、操作部材４３１０は自重で徐々に下降動作する。
【０５１１】
図８１（ｂ）に示すように、操作部材４３１０の下降動作は、操作部材４３１０の外側延設部３１３が規制部７３２４に乗る位置で停止する。この図８１（ｂ）に示す状態が、操作部材４３１０の許容状態となる（図７９参照）。
【０５１２】
即ち、本実施形態では、操作カバー７３２０を押し込んだ後、所定期間経ってから開閉部材４３４０が第２位置状態とされることになる。そのことについて、図８２及び図８３を参照して説明する。
【０５１３】
図８２及び図８３は、図４７のＸＬＶＩＩＩ−ＸＬＶＩＩＩ線に対応する線における操作デバイス７３００の断面図である。図８２及び図８３では、切替装置７５００が、後述する第１状態とされる。なお、図８２は、図８１（ａ）で図示した状態に相当し、図８３は、図８１（ｂ）で図示した状態に相当する。また、図８３では、開閉部材４３４０の第２位置状態が図示される。
【０５１４】
図８２では、操作カバー７３２０が移動範囲の下端まで押し込み操作されているものの、開閉部材４３４０は依然として第１復帰部材４５３０から負荷を受けている（第１復帰部材４５３０の移動軌跡上に開閉部材４３４０が配置されている）。そのため、図８２に示す状態で遊技者が操作カバー７３２０から手を離すと、操作カバー７３２０及び操作部材４３１０が上端位置へ復帰してしまい、開閉部材４３４０は第１位置状態へと復帰する。
【０５１５】
一方、図８２に示す状態から、一定期間（本実施形態では、約３秒間）押し込みを維持すると、操作部材４３１０が操作カバー７３２０に対して下降し、図８３に示すように開閉部材４３４０が第２位置状態とあれる。従って、遊技者が、短期間の操作で操作カバー７３２０を操作するか、長期間（約３秒以上）の操作で操作カバー７３２０を操作するかのどちらか一方でのみ、開閉部材４３４０が第２位置状態となるようにすることができる。
【０５１６】
図８４は、操作カバー７３２０を長期間押し込み操作した場合における操作部材４３１０の配置の計時変化を示した図であり、図８５は、操作カバー７３２０を短期間押し込み操作した場合における操作部材４３１０の配置の計時変化を示した図である。
【０５１７】
まず、図８４について説明する。図８４の上側のグラフが、操作カバー７３２０の配置の計時変化（上端位置か下端位置か）を示しており、図８４の下側のグラフが操作部材４３１０の配置の計時変化を示している。なお、上側のグラフの上下長さと、下側のグラフの上下長さとは対応するものでは無い（下側のグラフの方が、上下に圧縮された関係にある）。また、図８４の下側のグラフでは、規制状態が、黒丸で図示される操作部材４３１０の移動範囲の上端位置から、白丸で図示される操作部材の移動範囲の下端位置に到達する直前の位置までの範囲として図示される。
【０５１８】
図８４に示す切替装置７５００の第１状態では、開閉部材４３４０が切替装置７５００の第１復帰部材４５３０と対向配置されるので、操作部材４３１０が許容状態となることは、即ち、操作カバー７３２０の押し込み時に開閉部材４３４０が第２位置状態となることを意味する。従って、図８４において、下側のグラフが許容状態である場合には、開閉部材４３４０が第２位置状態であることを意味する。
【０５１９】
図８４に示した通り、操作カバー７３２０を長期間押し込み操作すると、所定期間（本実施形態では３秒間）経過後、操作部材４３１０が許容状態となる。従って、操作カバー７３２０を長期間押し込み操作することにより、開閉部材４３４０を第２位置状態とすることができる。
【０５２０】
次に、図８５について説明する。なお、上下のグラフは図８４と同様の事項を示す。図８５に示した通り、操作カバー７３２０の押し込みが短期間（本実施形態では、３秒未満の、約１秒間）であると、操作カバー７３２０が移動範囲の上端位置に配置される度に、押し上げ部材７３０１ｅにより操作部材４３１０が押し上げられることから、操作部材４３２０が許容状態とならない。これは、短期間操作を繰り返し行う（連打操作）においても同様である。
【０５２１】
従って、切替装置７５００が第１状態とされる場合、操作カバー７３２０を長期間押すことで操作部材４３１０が許容状態となる一方、操作カバーを短期間押す操作および連打操作では操作部材４３１０が許容状態とならず、開閉部材４３４０が第２位置状態にならないように形成される。
【０５２２】
このように、切替装置７５００の配置はそのままで、操作カバー７３２０の操作態様により開閉部材４３４０が第２位置状態となるか、否かを変化させることができるので、例えば、開閉部材４３４０が第２位置状態となる方が、大当たり期待度が一定の水準よりも高いという演出において、遊技者に報知通りの操作をするように仕向けることができる。
【０５２３】
即ち、切替装置７５００が第１状態とされ、大当たり期待度が一定の水準よりも高い変動において、「ボタンを長押しせよ」という報知を音声出力装置２２６や、ランプ表示装置２２７（図４参照）等が行う場合、遊技者が操作カバー７３２０を長く押せば（図８４参照）、開閉部材４３４０が第２位置状態となり、大当たり期待度が一定の水準よりも高いことを遊技者が把握できるが、報知を無視して短く押したり、連打したりする場合には、開閉部材４３４０は第２位置状態とはならず、大当たり期待度が一定の水準よりも高いことを遊技者は把握できない。
【０５２４】
この場合、報知を無視して操作カバー７３２０を操作すると、せっかく操作をしても、遊技者が得られる情報量が減るため、損をすることになる。従って、遊技者に、得られる情報量として損をしない操作方法として、報知通りの操作を行うように仕向けることができる。
【０５２５】
なお、大当たり期待度に係る情報を遊技者が一切得たくないと考える場合には、操作カバー７３２０を一切操作しないことにより、その目的を達成することができる。
【０５２６】
次いで、図８６を参照して、切替装置７５００について説明する。図８６（ａ）は、切替装置７５００の上面図であり、図８６（ｂ）は、図８６（ａ）の矢印ＬＸＸＸＶＩｂ方向視における切替装置７５００の側面図であり、図８６（ｃ）は、図８６（ａ）の矢印ＬＸＸＸＶＩｃ方向視における切替装置７５００の正面図である。なお、図８６では、土台部材４５１０の図示が省略されている。
【０５２７】
切替装置７５００は、土台部材４５１０（図７８参照）と、スライド部材４５２０と、前後一対の部材が左右に２組配設される第１復帰部材４５３０と、２組の第１復帰部材４５３０の間を均等に分割する位置に配設される第２復帰部材７５４０と、スライド部材４５２０の前後端部から上方へ延設される一対の柱部材７５５０と、を主に備える。
【０５２８】
第２復帰部材７５４０は、本体部４５４１と、回転規制部４５４２と、その回転規制部４５４２が形成される側の反対側の端部において本体部４５４１に形成される傾斜面部７５４３と、を主に備える。
【０５２９】
傾斜面部７５４３は、スライド部材４５２０がスライド動作した際に、第２復帰部材７５４０と、開閉部材４３４０の調整腕部４３４５とが、動作方向と直交する面同士で衝突し破損することを防止するための傾斜面が形成される部分であり、少なくとも、本体部４５４１の端部から、開閉部材４３４０の調整腕部４３４５と当接し得る範囲に亘って形成される。なお、第４実施形態と異なり、本体部４５４１の左右両側に形成される。
【０５３０】
図８７は、操作デバイス７３００の上面図である。なお、図８７では、外壁部材７３０１、重ね部材７３０２、想像線で図示され、カバー部材７３２０及び操作部材４３１０の図示が省略される。また、図８７では、切替装置７５００の第３状態が図示される。
【０５３１】
なお、切替装置７５００の第３状態との記載で、スライド部材４５２０の開閉部材４３４０に対する一の配置を表現する。ここで、第３状態において、スライド部材４５２０は、開閉部材４３４０と左側（図８７左側）の第１復帰部材４５３０とが対向配置される。また、図７８に示した切替装置７５００の第１状態では、スライド部材４５２０は、開閉部材４３４０と右側（図８７右側）の第１復帰部材４５３０とが対向配置される。
【０５３２】
上述したように、切替装置７５００の第１状態と第３状態とでは、開閉部材４３４０が対向するのは同様に第１復帰部材４５３０であるが、第１状態と第３状態とでは、押し上げ部材７３０１ｅの状態が異なる。即ち、図８７に示すように、切替装置７５００の第３状態では、押し上げ部材７３０１ｅは柱部材７５５０に当接され、姿勢変化する。このことについて、図８８を参照して説明する。
【０５３３】
図８８（ａ）及び図８８（ｂ）は、図８７のＬＸＸＸＶＩＩＩａ―ＬＸＸＸＶＩＩＩａ線における操作デバイス７３００の部分断面図である。なお、図８８（ａ）では、操作カバー７３２０が移動範囲の上端位置に配置された状態が図示され、図８８（ｂ）では、操作カバー７３２０が移動範囲の下端位置まで押し下げ操作された状態が図示される。なお、理解を容易とするために、検出センサＫＣ７１及び検出部７３２５の図示が省略される。
【０５３４】
図８９及び図９０は、図８７のＬＸＸＸＩＸ−ＬＸＸＸＩＸ線における操作デバイス７３００の断面図である。なお、図８９では、図８８（ａ）に対応した状態が図示され、図９０では、図８８（ｂ）に対応した状態が図示される。
【０５３５】
図８８（ａ）及び図８９に示すように、切替装置７５００の第３状態では、柱部材７５５０が、押し上げ部材７３０１ｅと当接し傾倒した姿勢とされることで、押し上げ部材７３０１ｅと操作部材４３１０とが離間し、押し上げ部材７３０１ｅから操作部材４３１０への負荷が解除される。
【０５３６】
このとき、操作カバ−７３２０を押し込み操作しても押し上げ部材７３０１ｅからの負荷が遊技者に与えられないので、操作カバー７３２０の配置に伴って（操作量に伴って）、操作カバー７３２０を介して遊技者に与えられる反力の大きさは、切替装置７５００が第１状態の時に生じる反力とは異なる大きさになる。
【０５３７】
押し上げ部材７３０１ｅからの負荷が解除されることにより、操作部材４３１０は自重で下降し、操作カバー７３２０に対する下端位置で停止する（図８９参照）。即ち、操作部材４３１０が予め、許容状態の予備的な状態を形成するので、操作カバー７３２０が押し下げ操作された後、即座に、開閉部材４３４０を第２位置状態とすることができる（図８８（ｂ）及び図９０参照）。
【０５３８】
操作部材４３１０は、操作により上下動作する操作カバー７３２０の内側を上下に移動する。この移動方向は、遊技者が、操作カバー７３２０を視認する視線の方向（鉛直方向）に沿ったものなので、操作部材４３１０が操作カバー７３２０に対して相対動作したことを認識し難くすることができる。
【０５３９】
なお、本実施形態では、開閉部材４３４０を介して操作部材４３１０に上向きに与えられるねじりバネＮＢ１，ＮＢ４の付勢力が、開閉部材４３４０及び各復帰部材４５３０，４５４０の動作範囲内において操作部材４３１０の自重よりも小さくなるように、ねじりバネＮＢ１，ＮＢ４のバネ定数が設定される。これにより、ねじりバネＮＢ１，ＮＢ４の付勢力により、操作部材４３１０の下降動作が妨害されることを防止することができる。
【０５４０】
また、本実施形態では、切替装置７５００が第３状態のときに、操作カバー７３２０が長期間（約３秒以上）押仕込み操作されることを契機に、駆動モータ４５９０が切替装置７５００の第２状態（開閉部材４３４０と第２復帰部材７５４０とが対向する状態）へ向けて駆動するように制御される。従って、図９０の状態が維持されると（操作カバー７３２０が３秒以上押されると）、操作カバー７３２０から手を離した際に開閉部材４３４０が第２位置状態で維持されなくなる。
【０５４１】
従って、遊技者が、短期間の操作で操作カバー７３２０を操作するか、長期間（約３秒以上）の操作で操作カバー７３２０を操作するかのどちらか一方でのみ、開閉部材４３４０が第２位置状態となるようにすることができる。
【０５４２】
図９１は、操作カバー７３２０を長期間押し込み操作した場合における操作部材４３１０の配置の計時変化を示した図であり、図９２は、操作カバー７３２０を短期間押し込み操作した場合における操作部材４３１０の配置の計時変化を示した図である。
【０５４３】
まず、図９１について説明する。図９１の上側のグラフが操作カバー７３２０の配置の計時変化（上端位置か下端位置か）を示しており、図９１の中間位置のグラフが操作部材４３１０の配置（規制状態か許容状態か）の計時変化を示しており、図９１の下側のグラフが駆動モータ４５９０の駆動状態を示している。なお、上側のグラフの上下長さと、中間位置のグラフの上下長さとは対応するものでは無い（中間位置のグラフの方が、上下に圧縮された関係にある）。また、図９１の中間位置のグラフでは、規制状態が、黒丸で図示される操作部材４３１０の移動範囲の上端位置から、白丸で図示される操作部材の移動範囲の下端位置に到達する直前の位置までの範囲として図示される。
【０５４４】
図９１に示す切替装置７５００の第３状態では、開閉部材４３４０が切替装置７５００の第１復帰部材４５３０と対向配置されるので、操作部材４３１０が許容状態となることは、即ち、操作カバー７３２０の押し込み時に開閉部材４３４０が第２位置状態となることを意味する。従って、図９１において、中間位置のグラフが許容状態である場合には、開閉部材４３４０が第２位置状態であることを意味する。
【０５４５】
図９１に示した通り、操作カバー７３２０を押し込み操作すると、その押し込み操作完了とほぼ同時に開閉部材４３４０が第２位置状態となる。そして、操作カバー７３２０を長期間押し込み操作すると、所定期間（本実施形態では３秒間）の押し込みを検出センサＫＣ７１が検出することにより、駆動モータ４５９０が動作し、切替装置７５００の状態が開閉部材４３４０と第２復帰部材７５４０とが対向配置される状態へ向けて変化する。従って、操作カバー７３２０を長期間押し込み操作することにより、開閉部材４３４０の第２維持状態を維持できなくなる。
【０５４６】
次に、図９２について説明する。なお、各グラフは図９１と同様の事項を示す。
【０５４７】
図９２に示した通り、操作カバー７３２０の押し込みが短期間であると、検出センサＫＣ７１に操作カバー７３２０を所定期間押し込み操作したと検出されないので、駆動モータ４５９０は駆動されず、切替装置７５００の第３状態が維持され、開閉部材４３４０を第２位置状態で維持することができる。これは、短期間操作を繰り返し行う（連打操作）においても同様である。
【０５４８】
従って、切替装置７５００が第３状態とされる場合、操作カバー７３２０を短期間押す操作および連打操作をすることで開閉部材４３４０を第２位置状態に維持できる一方、操作カバー７３２０を長期間押す操作では開閉部材４３４０を第２位置状態で維持できないように形成される。
【０５４９】
このように、切替装置７５００の配置はそのままで、操作カバー７３２０の操作態様により開閉部材４３４０が第２位置状態で維持されるか、否かを変化させることができるので、例えば、開閉部材４３４０が第２位置状態で維持される方が、大当たり期待度が一定の水準よりも高いという演出において、遊技者に報知通りの操作をするように仕向けることができる。
【０５５０】
即ち、切替装置７５００が第１状態とされ、大当たり期待度が一定の水準よりも高い変動において、「ボタンを連打せよ」という報知を音声出力装置２２６や、ランプ表示装置２２７（図４参照）等が行う場合、遊技者が操作カバー７３２０を連打すれば（図９２参照）、開閉部材４３４０が第２位置状態で維持され、大当たり期待度が一定の水準よりも高いことを遊技者が把握できるが、報知を無視して長期間押し込み操作する場合には、操作カバー７３２０から遊技者が手を離した後に開閉部材４３４０は第２位置状態に維持されず、大当たり期待度が一定の水準よりも高いことを遊技者は把握できない。
【０５５１】
この場合、報知を無視して操作カバー７３２０を操作すると、せっかく操作をしても、遊技者が得られる情報量が減るため、損をすることになる。従って、遊技者に、得られる情報量として損をしない操作方法として、報知通りの操作を行うように仕向けることができる。
【０５５２】
なお、大当たり期待度に係る情報を遊技者が一切得たくないと考える場合には、操作カバー７３２０を一切操作しないことにより、その目的を達成することができる。
【０５５３】
本実施形態では、切替装置７５００が第１状態とされる場合には、押し込み操作により開閉部材４３４０が第２位置状態になったら大当たり期待後が一定の水準よりも高いことを遊技者が把握でき（図８４及び図８５参照）、切替装置７５００が第３状態とされる場合には、押し込み操作により開閉部材４３４０が第２位置状態になった後（操作方法に寄らず第２位置状態にはなる。その後）、遊技者が操作カバー７３２０から手を離した後も開閉部材４３４０が第２位置状態で維持されていて初めて、大当たり期待度が一定の水準よりも高いことを遊技者が把握できる（図９１及び図９２参照）。
【０５５４】
このように、報知通りの操作に対する開閉部材４３４０の動きに変化を付けることにより、操作デバイス７３００に対する注目力を維持させることができ、遊技者に飽きられないようにすることができる。
【０５５５】
なお、本実施形態では、第２復帰部材７５４０から２組の第１復帰部材４５３０までの距離が同じとされることから、開閉部材４３４０と第２復帰部材７５４０とが対向配置される状態から第１状態を形成するまでの駆動モータ４５９０の動作量と、開閉部材４３４０と第２復帰部材７５４０とが対向配置される状態から第３状態を形成するまでの駆動モータ４５９０の動作量とは、逆向きで同量である。即ち、同様の動作速度で、同期間作動させることで切替装置７５００を第１状態または第３状態とすることができる。従って、駆動モータ４５９０の動作音や振動から、遊技者に切替装置７５０００の状態を予想されることを防止することができ、操作カバー７３２０を押し込むことへの遊技者の興趣を向上させることができる。
【０５５６】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０５５７】
上記各実施形態において、一の実施形態における構成の一部または全部を、他の実施形態における構成の一部または全部の構成と組み合わせて或いは置き換えて、別の実施形態としても良い。
【０５５８】
上記第１実施形態では、開閉部材３４０の調整腕部３４５と調整段部４２０の第３面４２３とが対向配置される状態において、開閉部材３４０を第１位置状態から回転動作させた後で、本体円環部４１０を回転動作させることにより、一対の開閉部材３４０を同時に第１位置状態へ復帰可能とされる場合を説明したが、必ずしもこれに限られるものではない。例えば、第３面４２３の代わりに第２面４２２が形成されても良い。この場合、一対の開閉部材３４０が第２位置状態とされた後で、同時に第１位置状態に復帰する動作を行わせることができる。
【０５５９】
上記第１実施形態では、開閉部材３４０の調整腕部３４５が調整段部４２０の第３面４２３と対向した状態で回転動作され、開閉部材３４０の側面と、操作部材３１０の内側面とが面当たりする場合を説明したが、必ずしもこれに限られるものではない。例えば、操作部材３１０の内壁に凹設部が形成され、その凹設部に開閉部材３４０から凸設される凸部が嵌り込むようにしても良い。この場合、操作部材３１０を下端位置で維持し易くすることができる。
【０５６０】
上記第１実施形態では、係合爪３４３の鉤形状の内側の面の延設方向に延設される直線が軸部３２３を通過しない場合を説明したが、必ずしもこれに限られるものではない。例えば、係合爪３４３の鉤形状の内側の面の延設方向に延設される直線が軸部３２３を通過するようにしても良い。この場合、開閉部材３４０が第１位置状態とされる場合において、係合爪３４３に延設部３３３から与えられる負荷の方向と、係合爪３４３の動作方向とを正反対（同一直線上反対）の方向とすることができるので、効果的に開閉部材３４０のぐらつきを抑制することができる。
【０５６１】
上記第１実施形態では、調整段部４２０の第１面４２１と第２面４２２との連結部分が直線的に傾斜する坂から形成される場合を説明したが、必ずしもこれに限られるものではない。例えば、径方向視において２次直線的に湾曲する湾曲面により形成されても良い。この場合、本体円環部４１０を等速で回転させながら、開閉部材３４０の回転動作に加速度をつけることができる。
【０５６２】
なお、湾曲の態様は特に限定されるものでは無い。例えば、本体円環部４１０の低位置よりも高位置の方が、水平方向に対する接線の傾斜が深くなるように湾曲しても良い。この場合、開閉部材３４０を外側に付勢するねじりバネＮＢ１からの負荷が小さくなる場合（開閉部材３４０が第２位置状態側に配置される場合）に開閉部材３４０の復帰速度を大きくし（復帰方向に与える負荷を大きくし）、ねじりバネＮＢ１からの負荷が大きくなる場合（開閉部材３４０が第１位置状態側に配置される場合）に開閉部材３４０の復帰速度を小さく（復帰方向に与える負荷を小さく）することができる。これにより、開閉部材３４０の復帰時に、開閉部材３４０に本体円環部４１０から与えられる負荷の均一化を図ることができる。
【０５６３】
上記、第１実施形態では、本体円環部４１０は、操作部材３１０を遊技者が押し込み操作するか否かに関わらず、一定の動作で制御される場合を説明したが、必ずしもこれに限られるものではない。例えば、操作部材３１０を押し込み操作したか否かを検出し、それに基づいて本体円環部４１０の動作態様を変化させても良い。この場合、操作手段３１０を、遊技者の意思と選択とで、押し込み操作させるという遊技性を構成することができる。例えば、第３図柄表示手段からは、規定回数（例えば、５回）だけ、「押せ」という報知がされ、遊技者は、それ以下の規定回数（例えば、２回）だけ、押し込み操作を許可されるという条件の下で、何回目に押し込むかで、把握できる大当たり期待度の大きさが変わるという設定とすることで、遊技者が、自分の意思と選択とで、操作部材３１０を押し込むタイミングを決められる。この場合に、例えば、１回目や２回目の報知期間に、２度、操作部材３１０を押し込むと、開閉部材３４０が回転する確率は高いが、開閉部材３４０が回転した場合の大当たり期待度は低めに設定され、１回目または２回目の報知期間に、１度、操作部材３１０が押し込まれた上で、３から５回目の報知期間に操作部材３１０を１度押し込むと、開閉部材３４０が回転する確率は低いが、開閉部材３４０が回転した場合の大当たり期待度は高めに設定され、また、３〜５回目の報知期間に、２度、操作部材３１０を押し込み、２度目の押し込みで開閉部材３４０が回転動作する確率は極めて低いが、開閉部材３４０が回転した場合の大当たり期待度は非常に高くなるように設定される。これにより、大当たり期待度にはそれほど興味が無く、開閉部材３４０の動作をみたい遊技者は、１回目や２回目の報知で操作部材３１０の操作を完了することで、欲求を満足できるし、開閉部材３４０の動作から大当たり期待度を予想したい遊技者は、３〜５回目の報知期間に操作部材３１０を操作することで、欲求を満足することができる。即ち、遊技者の、開閉部材３４０等の演出に合わせて動作する部材を大当たり期待度に関わらずとにかく動かして賑やかに遊技したいという第１の要求と、その第１の要求とは異なる、開閉部材３４０が動くのは大当たり期待度が大きい時のみにして欲しいという第２の要求とを、遊技者の意思と選択とにより満たすことができる。
【０５６４】
上記第５実施形態では、押し込み報知が無い場合に遊技者が操作部材３１０を押し込み操作すると、被検出部材５４１３が検出センサＫＣ５１に検出される場合を説明したが、同様に、第６実施形態においても、押し込み報知が無い場合に遊技者が操作部材４３１０を押し込み操作したことを検出するセンサを設けても良い。
【０５６５】
上記第５実施形態では、報知が無い時に遊技者が操作部材３１０を押し込み操作すると、開閉部材３４０が特殊な動作を行う場合を説明したが、必ずしもこれに限られるものではない。例えば、土台部材３２０の内部にソレノイドが収容され、そのソレノイドの駆動により本体棒部３３１が下方に引き込み動作されるものでも良い。この場合、遊技者が操作部材３１０を繰り返し押し込み操作する場合に、クラッチ部材３３０の当接部３３２と、操作部材３１０の凸設部３１２とが、繰り返し衝突することを防止することができ、当接部３３２及び凸設部３１２の耐久性を向上させることができる。
【０５６６】
また、本体棒部３３１ごと下方に引き込むのではなく、クラッチ部材３３０の当接部３３２のみを本体棒部３３１の内部に埋没する態様で変位させても良い。この場合、凸設部３１２と当接部３３２との衝突を避けながら、開閉部材３４０を第１位置状態で維持することができる。なお、当接部３３２を本体棒部３３１の内部に埋没させる方法としては、ソレノイドで引き込む態様や、ノック式ボールペンの機構を利用する態様等が例示される。
【０５６７】
上記第５実施形態では、操作部材３１０の操作により回転動作した開閉部材３４０が第１分割円環部材５４５０に負荷を与え、開閉部材３４０から与えられる負荷で本体板部５４５１が移動する場合を説明したが、必ずしもこれに限られるものではない。例えば、報知期間外での操作部材３１０の操作が検出されることで駆動するソレノイドにより本体板部５４５１が移動するようにしても良い。これにより、例えば、開閉部材３４０の調整腕部３４５が調整段部５４２０の傾斜する連結面（例えば、第１面４２１と第２面４２２とをつなぐ傾斜面）と対向する状態で操作部材３１０が操作され、開閉部材３４０が回転動作することにより連結面と調整腕部３４５とが衝突することを防止することができる。従って、調整腕部３４５が傾斜面と衝突して、開閉部材３４０の回転方向に対して斜めの方向に沿って調整腕部３４５に負荷が与えられ、調整腕部３４５の耐久性が低下することを防止することができる。
【０５６８】
上記第６実施形態では、報知の無い時に操作部材４３１０を操作したとしても、操作時の外観は普段と変わらず、誤操作であることを認識し難い場合を説明したが、必ずしもこれに限られるものではない。例えば、報知の無い時に操作部材４３１０を操作すると発光するランプを操作デバイス６３００の遊技者から視認される箇所に配置するようにしても良い。この場合、ランプの光り方を視認させることで、誤操作に気付かせることができる。
【０５６９】
上記第７実施形態では、操作カバー７３２０の内部に配置される操作部材４３１０が開閉部材４３４０に対して上下動作することにより、許容状態と規制状態とが切り替えられる場合を説明したが、必ずしもこれに限られるものではない。例えば、膨出部４３１２が下面視における位相ごとに変化する形状から構成され、操作部材４３１０が開閉部材４３４０に対して操作部材４３１０の底板の中心を軸に回転することにより、許容状態と規制状態とが切り替えられるようにしても良い。この場合、許容状態と規制状態とで操作部材４３１０の上面位置を変化させる必要が無いので、遊技者が、操作部材４３１０の状態変化を外観から把握することを困難にすることができる。
【０５７０】
上記第７実施形態では、操作部材４３１０が操作カバー７３２０に対して重力で移動する場合を説明したが、必ずしもこれに限られるものではない。例えば、操作部材４３１０を操作カバー７３２０に対して上下動作させる駆動モータを設けても良いし、ダンパ装置により駆動しても良い。
【０５７１】
上記各実施形態では、切替装置４００，２４００，３４００，５４００が、真円の円環形状から構成される場合を説明したが、必ずしもこれに限られるものではない。例えば、上面視楕円形状から構成されても良い。この場合、本体円環部４１０がどの位相で調整腕部４２０と対向するかにより、本体円環部４１０と調整腕部３４５との当接点と、軸部３２３との距離を変化させることができ、開閉部材３４０の動作態様の設計自由度を向上させることができる。また、本体円環部４１０を同軸の複数の円環から構成するようにしても良い。
【０５７２】
上記各実施形態では、クラッチ部材３３０が操作部材３１０の操作に連動して動作する場合を説明したが、必ずしもこれに限られるものではない。例えば、土台部材３２０の内部にソレノイドが収容され、そのソレノイドの駆動により本体棒部３３１が下方に引き込み動作されるものでも良い。この場合、遊技者が操作部材３１０を押し込み操作しない場合であっても、開閉部材３４０を第２位置状態へ回転動作させることができる。
【０５７３】
例えば、押し込み指示の無いタイミングで本体棒部３３１を引き込み、開閉部材３４０を回転動作させ、操作部材３１０の押し込み指示後、押し込み操作があったことを検出したら、本体円環部４１０を回転動作させ開閉部材３４０を閉じる演出を行うことができる。
【０５７４】
また、本体棒部３３１を引き込んだまま、本体円環部４１０を複数回、回転動作（順方向、逆方向、反転、及びそれらの組み合わせの回転動作）させることで、開閉部材３４０が開閉を複数回繰り返す演出を行うことができる。
【０５７５】
上記各実施形態では、開閉部材３４０，２３４０，４３４０の開閉の態様を、開閉部材３４０，２３４０，４３４０よりも奥側に配置される切替装置４００，２４００，３４００，４５００，５４００，６５００，７５００の状態の変化（変位）により変化させる場合を説明したが、必ずしもこれに限られるものではない。例えば、操作部材３１０，４３１０の状態を変化（例えば、軸中心に回転変位）させることにより、開閉部材３４０，２３４０，４３４０の開閉の態様を変化させるようにしても良い。この場合、操作部材３１０，４３１０の状態変化の様子を遊技者に視認させることにより、通常の状態から何か変化があったことを把握させることができ、操作部材３１０，４３１０を操作する遊技者の期待感を向上させることができる。
【０５７６】
上記各実施形態では、開閉部材３４０が第２位置状態側へ向けて付勢されることにより、操作部材３１０の操作深度によらず開閉部材３４０が所定位置まで回転動作する場合と、開閉部材４３４０が第１状態側へ向けて付勢されることにより、操作部材４３１０の操作深度により開閉部材４３４０の回転動作の態様が変化する場合とを説明したが、必ずしもこれに限られるものではない。例えば、それらの組み合わせ、即ち、開閉部材３４０の第１位置状態と第２位置状態との間の状態である第３位置状態までは開閉部材３４０が操作部材３１０の操作深度によらず回転動作し、一度そこで留まり、更に操作部材３１０が深く押し込まれると、操作部材３１０の押し込み深度に追従して開閉部材３４０が回転動作するようにしても良い。この場合、開閉部材３４０の動作態様をより多くすることができる。
【０５７７】
上記各実施形態では、開閉部材３４０よりも下方に切替装置４００を配置することで、切替装置４００を遊技者が視認し難い場合を説明したが、必ずしもこれに限られるものではない。例えば、非透過性のフィルムを操作部材３１０の底面に貼り、そのフィルムの開閉部材３４０と対向する部分のみを切り抜くことで、開閉部材３４０は操作部材３１０を通して視認できるが、開閉部材３４０以外の部分（切替装置４００の部分）はフィルムに遮蔽され視認できないように構成しても良い。この場合、遊技者に凝視されることで切替装置４００の状況を把握され、実際には操作部材３１０を押さずに、大当たり期待度を把握するという遊技を防止することができる。
【０５７８】
上記各実施形態では、開閉部材３４０を回転動作する部材として説明したが、必ずしもこれに限られるものではない。例えば、操作部材３１０の操作方向と交差する方向に両開きの態様でスライド動作する部材でも良い。
【０５７９】
上記各実施形態では、遊技者が操作する操作部材３１０は形状を維持し、操作部材３１０を挟んで遊技者から隔絶される開閉部材３４０が動作する場合を説明したが、必ずしもこれに限られるものではない。例えば、操作部材３１０が遊技者の操作により動作（変形）、例えば、操作部材３１０の上底部分が中心位置で割れるようにしても良い。
【０５８０】
上記各実施形態では、開閉部材３４０が土台部材３２０に軸支される場合を説明したが、必ずしもこれに限られるものではない。例えば、操作デバイス３００の内部に、複数の球状部材（ビーズ等）が収容され、操作部材３１０を押し込むことに伴って、その球状部材が移動する（弾け飛ぶ）態様でも良い。この場合、遊技者の予想外の演出を行うことができる。
【０５８１】
上記各実施形態では、開閉部材３４０の状態を特に検出せず、その外観上の変化により演出を行う場合を説明したが、必ずしもこれに限られるものではない。例えば、開閉部材３４０の状態を検出し、その配置により第３図柄表示装置８１の演出を切り替えるようにしても良い。
【０５８２】
上記各実施形態では、開閉部材３４０の動作態様により大当たり期待度を予想することができる場合について説明したが、必ずしもこれに限られるものではない。例えば、開閉部材３４０の動作態様が、大当たりするか否かに実際に影響を与えるようにしても良い。例えば、既に主制御装置で取得済みの乱数を、開閉部材３４０が所定の動作態様を行った場合に他の乱数に書き換えるようにしても良い。この場合、最初の乱数が外れの乱数だったとしても、書き換えにより大当たりの乱数を取得する可能性を残すことができる。
【０５８３】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０５８４】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０５８５】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０５８６】
以下に、本発明の遊技機に加えて上述した実施形態に含まれる各種発明の概念を示す。
【０５８７】
＜ボタン自体が割れる演出。割れ方、戻り方、を変更可能＞
遊技者が操作する操作手段と、その操作手段の操作に伴って、第１位置と、その第１位置とは異なる第２位置との間を動作可能とされる動作手段と、その動作手段を前記第１位置へ復帰させる復帰手段と、を備える遊技機において、前記操作手段と動作手段との間に介在すると共に、前記操作手段と同期動作可能とされる第２動作手段を備え、前記操作手段と同期して前記第２動作手段が前記動作手段に対して所定量変位することで、前記動作手段が動作することを特徴とする遊技機Ａ１。
【０５８８】
ここで、パチンコ機等の遊技機において、ボタンを覆うことで、そのボタンを押せなくする状態と、ボタンから離れ露出させることで、そのボタンを押し込み可能とする状態とを形成可能なカバー部材を備え、カバー部材を駆動モータで動作させることで、押し込みボタン周辺の見栄えを変化させる演出をする遊技機がある（例えば特開２０１５−１１２２７６号公報を参照）。しかし、上述した従来の遊技機では、カバー部材はボタンと機械的に係合していないので、ボタンとカバー部材との動作タイミングを合わせ、互いに同期動作させる演出をすることが困難であるという問題点があった。
【０５８９】
これに対し、遊技機Ａ１によれば、動作手段の動作が、操作手段と動作手段との間に介在されると共に操作手段と同期動作可能とされる第２動作手段が操作手段の操作により動作手段に対して所定量変位することにより行われるので、操作手段の操作と、動作手段の動作との、タイミングを合わせることができる。これにより、遊技者が、操作により操作手段に関わる演出に関わったという実感を得ることができる。
【０５９０】
なお、第２動作手段としては、操作手段に固定される手段や、操作手段の操作中の一定区間において操作手段になついたまま動作することで同期動作する手段などが例示される。
【０５９１】
遊技機Ａ１において、前記第２動作手段から前記動作手段へ負荷が与えられることを特徴とする遊技機Ａ２。
【０５９２】
遊技機Ａ２によれば、遊技機Ａ１の奏する効果に加え、機械的な係合により動作手段を動作開始させることができるので、第２動作手段と動作手段とが離間して配置される場合に比較して、それぞれの動作タイミングを合わせ易くすることができる。
【０５９３】
遊技機Ａ１又はＡ２において、前記操作手段を操作する前後で前記動作手段が変位する可変状態と、前記操作手段を操作する前後で前記動作手段が同位置に配置される不変状態とを、形成可能な切替手段と、その切替手段の状態を任意に変化させる駆動力を発生する駆動手段と、を備えることを特徴とする遊技機Ａ３。
【０５９４】
遊技機Ａ３によれば、遊技機Ａ１又はＡ２の奏する効果に加え、切替手段の状態を駆動手段で変化させることができるので、操作手段を操作する遊技者の、動作手段に対する注目力を増大させることができる。
【０５９５】
なお、可変状態における動作手段の位置変化の態様は、限定されるものでは無く、様々な態様が例示される。例えば、操作手段を所定の閾値以上に操作することにより、その操作量の大小によらず、動作手段が所定量だけ位置変化するようにしても良いし、操作手段の操作量の大小に対応して、動作手段の変位量が増減するようにしても良い。
【０５９６】
また、不変状態における動作手段の挙動は、限定されるものでは無く、様々な態様が例示される。例えば、遊技者が操作手段を操作している間中、動作手段が同位置で維持されるようにしても良いし、遊技者が操作手段を操作している間には動作手段が変位するが、操作手段の操作を終了する際には動作手段が操作前の位置に復帰するようにしても良い。
【０５９７】
遊技機Ａ３において、前記切替手段が、前記復帰手段を構成することを特徴とする遊技機Ａ４。
【０５９８】
遊技機Ａ４によれば、遊技機Ａ３の奏する効果に加え、動作手段を第１位置へ復帰させる復帰手段を個別で用意することを不要にできると共に、部材個数を削減することにより、組立工数を低減したり、部品コストを低減したりできる。
【０５９９】
遊技機Ａ３又はＡ４において、前記切替手段は、前記動作手段と対向配置される対向部を備え、前記可変状態と、不変状態とでは、前記対向部と前記動作手段との間の距離が変化することを特徴とする遊技機Ａ５。
【０６００】
遊技機Ａ５によれば、遊技機Ａ３又はＡ４の奏する効果に加え、対向部と、動作手段との間の距離が変化することで、可変状態と、不変状態とが切り替わるので、不変状態において、動作部材と切替手段との当接により、動作手段の動作を機械的に防止することができる。
【０６０１】
そのため、遊技者が操作手段を操作するのを待って、操作のタイミングで動作手段の動作を防止するように駆動手段を駆動する必要はなく、予め、切替手段を変化手段により駆動し所定の状態とした上で、操作手段の操作を待ち受けることができる。
【０６０２】
遊技機Ａ５において、前記切替手段は、前記可変状態を形成する場合において、前記対向部と前記動作手段との間の距離を、複数種類形成可能に構成されることを特徴とする遊技機Ａ６。
【０６０３】
遊技機Ａ６によれば、遊技機Ａ５の奏する効果に加え、遊技者が操作手段を操作することによる動作手段の動作量を、複数種類用意することができるので、操作手段を操作する遊技者の、動作手段に対する注目力を向上させることができる。
【０６０４】
遊技機Ａ５又はＡ６において、前記動作手段は、一対の可動部材から形成され、一方の前記可動部材と、前記対向部との間の距離である第１距離と、他方の前記可動部材と、前記対向部との間の距離である第２距離とを、異なる大きさで構成可能に、前記切替手段が形成されることを特徴とする遊技機Ａ７。
【０６０５】
遊技機Ａ７によれば、遊技機Ａ５又はＡ６の奏する効果に加え、一対の可動部材を、それぞれ任意に、可変状態または不変状態とすることができるので、動作手段が単一の部材から構成される場合に比較して、動作手段の動作態様を、より多く用意することができる。これにより、遊技者の、動作手段に対する注目力を増大させることができる。
【０６０６】
遊技機Ａ７において、前記切替手段が前記復帰手段を構成し、前記切替手段は、正逆両方向に動作可能に構成され、前記一対の可動部材が前記第２位置から前記第１位置へ向けて復帰する順序を、前記切替手段の動作態様により切り替え可能に構成されることを特徴とする遊技機Ａ８。
【０６０７】
遊技機Ａ８によれば、遊技機Ａ７の奏する効果に加え、切替手段の状態の変化を、操作手段の操作の前後における動作手段の変位の可否だけでなく、動作手段を構成する一対の可動部材の動作順序の変化にも兼用できるので、作用部材の兼用により、部材個数（特に、切替手段を駆動する駆動手段の個数）の削減を図ることができる。換言すれば、１の駆動手段で、操作手段の操作の前後で動作手段（を構成する可動部材）を変位させるか否かの切替と、第２位置における動作手段（を構成する可動部材）の位置の維持長さの切替と、を行うことができる。
【０６０８】
遊技機Ａ１からＡ８のいずれかにおいて、前記動作手段を前記第２位置へ向けて移動させる付勢力を発生する付勢手段を備え、前記第２動作手段が、前記動作手段を前記第１位置に維持する固定状態と、前記動作手段を前記第１位置から移動可能にする解除状態とを形成可能とされ、前記操作手段が所定量操作されることにより、前記第２動作手段が前記固定状態から前記解除状態とされることを特徴とする遊技機Ａ９。
【０６０９】
遊技機Ａ９によれば、遊技機Ａ１からＡ８のいずれかの奏する効果に加え、動作手段の動作に係る負荷を付勢手段により発生させ、第２動作手段には動作手段が動作可能となるか否かを切り替える役割をもたせることにより、操作手段へ動作部材から負荷が与えられることを防止することができ、動作手段の配置により操作手段を操作した遊技者が受ける反力が変化することを防止することができる。これにより、遊技者が、操作時の反力の変化により違和感を覚えることを防止することができる。
【０６１０】
遊技機Ａ９において、前記第２動作手段が固定状態を形成する場合において、前記動作手段が前記第１位置から第２位置へ向けて移動開始することにより、前記第２動作手段の固定力が上昇することを特徴とする遊技機Ａ１０。
【０６１１】
遊技機Ａ１０によれば、遊技機Ａ９の奏する効果に加え、遊技者から遊技機に与えられる衝撃や、他の振動部材の振動により、動作手段を第１位置から第２位置へ向けて移動させようとする負荷が意図せず大きくなり、動作手段が第１位置から動作開始されそうになる場合に、固定手段の固定力が上昇するように構成されるので、動作手段が第１位置から移動することを防止し易くすることができる。
【０６１２】
遊技機Ａ９又はＡ１０において、前記切替手段は、前記操作手段が所定の閾値以上に操作された場合に、前記切替手段の状態に関わらず、所定の付勢力を前記操作手段に対して負荷する反力手段を備えることを特徴とする遊技機Ａ１１。
【０６１３】
遊技機Ａ１１によれば、遊技機Ａ９又はＡ１０の奏する効果に加え、操作手段を介して遊技者に与えられる反力により遊技者に動作手段の状態を判別されないようにする効果と、所定の閾値以上に操作された場合に操作手段に反力手段からの付勢力を加えることにより遊技者に操作量の目安を提供する効果とを、１の装置、即ち、切替手段のみにより奏させることができる。これにより、駆動手段の配設個数を削減することができる。
【０６１４】
＜ボタン押しの態様で動作手段が変形するか否かが変わる＞
遊技者が操作する操作手段と、その操作手段の操作に伴って、第１位置と、その第１位置とは異なる第２位置との間を動作可能とされる動作手段と、その動作手段を前記第１位置へ復帰させる復帰手段と、を備える遊技機において、前記動作手段が所定の動作を行うのに要する前記操作手段の操作態様を切り替える切替手段を備えることを特徴とする遊技機Ｂ１。
【０６１５】
ここで、パチンコ機等の遊技機において、押し方によって２値以上の押し下げ態様が識別されるボタンを備える遊技機がある（例えば特開２００８−１１９１６５号公報を参照）。しかし、上述した従来の遊技機では、識別された押し下げ態様の違いを、可動役物を駆動させるか否かで報知しており、操作対象としてのボタンの態様は変化しないので、ボタンによる演出が十分にされているとは言えず、ボタンの注目力を向上させることができないという問題点があった。
【０６１６】
これに対し、遊技機Ｂ１によれば、切替手段により、操作手段の操作に伴って動作する動作手段が、動作するのに要する操作手段の操作態様を切替可能に構成されるので、遊技者による操作手段の操作態様の違いを、動作手段の動作に反映させることができる。従って、操作手段の操作態様の違いにより変化する演出を、動作手段により行うことができ、動作手段の注目力を向上させることができると共に、動作手段の動作と関連する操作手段の注目力を向上させることができる。
【０６１７】
なお、動作手段が動作するとは、遊技者がその動作を確認できるほどにはっきりと動作していることを意味する。即ち、一瞬開いて、即座に戻るといった態様は、誤動作と誤解される程度の動作であり、このような動作を含む物では無い。
【０６１８】
なお、操作手段を操作する操作態様の違いとしては、何ら限定されるものではなく、複数の態様が例示される。例えば、操作手段を操作する距離が異なっていても良いし、操作手段を操作する期間が異なっていても良い。また、操作手段を操作する頻度が異なっていても良い。
【０６１９】
遊技機Ｂ１において、前記切替手段は、前記操作手段と前記動作手段との間に介在し、前記動作手段の前記第２位置まで移動を許容する許容状態と、その許容状態とは異なる規制状態と、が前記操作部材の操作態様により切り替えられる介在手段と、前記許容状態を形成する操作態様を変化可能に構成されると共に前記許容状態に対応する操作態様に合わせて前記介在手段を予め変位させる変位手段と、を備えることを特徴とする遊技機Ｂ２。
【０６２０】
遊技機Ｂ２によれば、遊技機Ｂ１の奏する効果に加え、変位手段により変位する介在手段が操作手段と動作手段との間に介在し、動作手段の第２位置までの移動を許容する操作態様に合わせて介在手段を予め変化させているので、遊技者の操作態様に対応して他の部材を駆動させて動作手段の動作態様を決める場合に比較して、遊技者の操作に基づいて動作手段が動作するまでの応答性を高めることができると共に、動作手段の動作の確実性を向上させることができる。
【０６２１】
遊技機Ｂ２において、前記介在手段の位置によらず、前記操作手段の操作時に遊技者に返される反力が同等とされることを特徴とする遊技機Ｂ３。
【０６２２】
遊技機Ｂ３によれば、遊技機Ｂ２の奏する効果に加え、遊技者に返される反力が介在手段の位置で変化することを防止できるので、操作手段の操作時に遊技者に違和感を与えることを防止できる。
【０６２３】
遊技機Ｂ３において、前記切替手段は、前記操作手段が所定の閾値以上に操作された場合に、所定の付勢力を前記操作手段に対して負荷する反力手段を備えることを特徴とする遊技機Ｂ４。
【０６２４】
遊技機Ｂ４によれば、遊技機Ｂ３の奏する効果に加え、反力手段により、所定の閾値以上に操作したか否かの操作量の目安を、反力の変化として遊技者に提供することができる。これにより、操作量の大小が音声や映像により報知される場合に比較して、操作量大で操作するか、操作量小で操作するかの操作態様の切替を遊技者が直感的に行うことができる。
【０６２５】
遊技機Ｂ１からＢ４のいずれかにおいて、前記切替手段は、前記操作手段に当接して状態変化し、状態変化することで前記動作手段の可動範囲を変化させる操作時切替手段を備えることを特徴とする遊技機Ｂ５。
【０６２６】
遊技機Ｂ５によれば、遊技機Ｂ１からＢ４のいずれかの奏する効果に加え、第２手段が、操作手段との当接により状態変化し、動作手段の可動範囲を変化させる操作時切替手段を備えるので、操作時切替手段を電気モータなどで駆動する場合に比較して、操作手段を操作してから、操作時切替手段が状態変化するまでに時間遅れが生じることを防止できる。これにより、切替手段により切替られた動作手段を動作開始させるための条件を満足していないのに、動作手段が動作するという不具合を防止することができる。
【０６２７】
遊技機Ｂ１からＢ５のいずれかにおいて、前記切替手段は、遊技者からは視認不能に隠されると共に、正逆両方向に動作可能に構成され、正方向か、逆方向かのどちらかに同量動作することによって、切替後の、前記動作手段が動作開始するのに要する操作手段の操作態様が変化する中間配置を形成可能であることを特徴とする遊技機Ｂ６。
【０６２８】
遊技機Ｂ６によれば、遊技機Ｂ１からＢ５の奏する効果に加え、切替手段の動作音を遊技者が注意して聞いたとしても、切替手段の状態を予測することを困難にできる。これにより、操作手段を操作するまで、操作手段の注目力を維持することができる。
【０６２９】
遊技機Ｂ１からＢ６のいずれかにおいて、前記復帰手段は、前記切替手段により形成されることを特徴とする遊技機Ｂ７。
【０６３０】
遊技機Ｂ７によれば、遊技機Ｂ１からＢ６のいずれかの奏する効果に加え、切替手段を、復帰手段と兼用することにより、それぞれを他部材から構成する場合に比較して、切替手段の配設スペースを確保することができる。また、復帰手段として個別の部材を用意することを不要とできるので、部品コストを削減することができる。
【０６３１】
遊技機Ｂ１からＢ７のいずれかにおいて、前記切替手段が切り替える操作態様は、前記操作手段の操作量に対応すると共に、操作量の違いに寄らず、単一の検出手段により操作の有無が検出されることを特徴とする遊技機Ｂ８。
【０６３２】
遊技機Ｂ８によれば、遊技機Ｂ１からＢ７のいずれかの奏する効果に加え、操作手段の操作量の違いにより演出を変化させながら、それにより検出手段の個数が増加することを防止することができる。
【０６３３】
遊技機Ｂ２において、前記介在手段の状態が変化することで、前記操作手段の操作時に遊技者に返される反力が変化することを特徴とする遊技機Ｂ９。
【０６３４】
遊技機Ｂ９によれば、遊技機Ｂ２の奏する効果に加え、遊技者に返される反力が介在手段の状態で変化するので、操作手段の操作時の反力で、遊技者に介在手段の状態の変化に気付かせることができる。
【０６３５】
遊技機Ｂ２において、前記切替手段は、前記介在手段を前記操作手段の操作方向に反して押し付ける付勢力を発生させる第１付勢手段と、前記操作手段が初期位置から所定距離以上離間することにより前記付勢手段の付勢力を解除する解除手段と、を備え、前記介在手段が前記操作手段の操作方向に前記操作手段に対して相対移動可能な移動空間が形成され、その移動空間を前記介在手段が相対移動することで前記許容状態が形成され、前記第１付勢手段の付勢力に比較して小さな前記操作手段の操作方向に沿った向きの負荷が前記介在手段に与えられていることを特徴とする遊技機Ｂ１０。
【０６３６】
遊技機Ｂ１０によれば、Ｂ２の奏する効果に加え、第１付勢手段による付勢力が操作手段の配置により解除され、その付勢力に反する方向の負荷により介在手段が移動するので、操作手段が初期位置から所定距離以上離間してから、介在手段が許容状態となるまでの期間を確保することができる。これにより、操作手段を、一定期間以上操作することにより動作手段を第２位置へ移動させることが可能となる遊技性を提供することができる。
【０６３７】
＜動作手段の変形→復帰までの間隔を変化させ、押し込み後の注目力向上＞
遊技者が操作する操作手段と、その操作手段の操作に伴って、第１位置と、その第１位置とは異なる第２位置との間を動作可能とされる動作手段と、その動作手段を前記第１位置へ復帰させる復帰手段と、を備える遊技機において、前記動作手段の動作態様を変化させることで、操作に対する前記操作手段の反応の態様を切り替える切替手段を備えることを特徴とする遊技機Ｃ１。
【０６３８】
ここで、パチンコ機等の遊技機において、ボタンを復帰させる付勢バネの弾性力を予め変化させることにより、ボタンを押した遊技者が感じる反発力を変化させ、それを演出に利用する遊技機がある（例えば特開２０１０−２５２９４９号公報を参照）。しかし、上述した従来の遊技機では、依然、ボタンを移動範囲の端まで移動させて停止させており、一目でボタンに起きた変化を認識する事は困難であった。また、遊技中に様々な情報（映像や、音声）を受け取る遊技者にとって、ボタンから受ける反発力の変化を認識することは困難であるので、ボタンの変化を、十分に演出に反映させられていないという問題点があった。
【０６３９】
これに対し、遊技機Ｃ１によれば、操作に対する操作手段の反応の態様の切替が、動作手段の動作態様の変化により生じるので、遊技者は、動作手段を視認することで、切替手段による切り替えが起きたことを容易に把握することができる。これにより、操作手段および動作手段の注目力を向上させることができる。
【０６４０】
また、動作手段の動作は、遊技者が操作手段を操作することにより生じるので、操作後の操作手段および動作手段への注目力が低下することを防止することができる。
【０６４１】
なお、ここで、「復帰するまでの期間」とは、特に態様を限定されるものでは無い。例えば、復帰開始するまでの期間でも良いし、第２位置への復帰が完了するまでの期間でも良い。
【０６４２】
また、操作に対する操作手段の反応の切替の態様としては、特に限定されるものでは無い。例えば、操作した後の操作手段が、操作前の位置まで復帰することが防止される（途中で停止する）態様でも良いし、操作した後の操作手段が、操作前の位置まで復帰するまでに数段階に分けて一時停止を繰り返す態様でも良い。また、遊技者に与える反力が変化するように構成しても良い。
【０６４３】
遊技機Ｃ１において、前記切替手段により、前記動作手段が前記第２位置に配置された状態における前記操作手段の操作後の復帰を遅延可能に切り替えられることを特徴とする遊技機Ｃ２。
【０６４４】
遊技機Ｃ２によれば、遊技機Ｃ１の奏する効果に加え、切替手段により、操作手段の操作後の復帰を遅くできるので、不要なタイミングにおいて、遊技者が操作手段を連打操作することを抑制することができる。これにより、不要な連打により操作手段が破損することを防止することができる。
【０６４５】
また、動作手段が第２位置に配置された状態と、操作手段の復帰が遅くなる場合とが対応するので、動作手段に注目させることで、操作手段の復帰の態様が変化したことを、遊技者に容易に把握させることができる。
【０６４６】
遊技機Ｃ１又はＣ２において、前記動作手段は、前記第１位置から、前記第２位置へ動作する間に、間の状態である第３位置を経由し、前記切替手段は、前記動作手段の動作態様を、前記動作手段が前記第２位置まで動作する第１動作態様と、前記動作手段が前記第３位置まで動作し前記第２位置までは至らない第２動作態様とで、切替可能に構成され、前記操作手段の反応の態様は、前記動作手段が前記第２位置に到達するか否かで切り替えられることを特徴とする遊技機Ｃ３。
【０６４７】
遊技機Ｃ３によれば、遊技機Ｃ１又はＣ２の奏する効果に加え、動作手段の動作態様を、第１動作態様と、第２動作態様との複数で形成可能とし、第１動作態様では操作手段の反応の態様を切り替える一方、第２動作態様では操作手段の反応の態様を動作手段が動作しない場合と同一に維持するので、動作手段が動作した後も、操作手段に対する注目力を維持することができる。
【０６４８】
なお、第２位置と、第３位置とは、遊技者が目視で違いを識別し難い程度の違いであることが望ましい。これにより、遊技者が、動作後の動作手段の状態を目視により識別し、操作手段の反応の態様が切り替えられたか否かを把握することを困難にすることができ、操作直後の操作手段への注目力を維持することができる。
【０６４９】
遊技機Ｃ１からＣ３のいずれかにおいて、前記動作手段は、前記第２位置において、前記操作手段の操作方向に沿った前記操作手段の側面と当接することを特徴とする遊技機Ｃ４。
【０６５０】
遊技機Ｃ４によれば、遊技機Ｃ１からＣ３のいずれかの奏する効果に加え、動作手段が第２位置に配置されることにより、動作手段が操作方向に沿った操作手段の側面と当接し、操作手段が動作することを防止しようとする態様で作用するので、動作手段を動作させる力を効果的に操作手段に負荷することができ、操作手段の動作の再現性を保つことができる。
【０６５１】
遊技機Ｃ４において、前記動作手段が第２位置に配置された状態において、前記操作手段が操作方向の移動幅の終端位置に配置されることを特徴とする遊技機Ｃ５。
【０６５２】
遊技機Ｃ５によれば、遊技機Ｃ４の奏する効果に加え、動作手段が第２位置に配置された状態において遊技者が操作手段を操作しようとしても、それ以上に操作手段が移動することは無いので、遊技者が操作手段を無理矢理に操作したとしても、操作手段と動作手段との間に生じる負荷により動作手段が破損することを防止することができる。
【０６５３】
遊技機Ｃ１からＣ５のいずれかにおいて、前記切替手段を所定量動作させることにより、前記動作手段が前記第１位置へ復帰する態様で構成されることを特徴とする遊技機Ｃ６。
【０６５４】
遊技機Ｃ６によれば、遊技機Ｃ１からＣ５のいずれかの奏する効果に加え、動作手段の動作態様を切り替える切替手段を、動作手段を第１位置へ復帰する手段として兼用することができるので、動作手段を第１位置へ復帰させる手段を別で用意する場合に比較して、切替手段の配置スペースを拡大することができると共に、部品個数を低減することができる。
【０６５５】
遊技機Ｃ１又はＣ２において、前記切替手段は、前記操作手段の操作量に対応して前記操作手段を介して遊技者に与える負荷の変化態様を、複数種類で切替可能とされることを特徴とする遊技機Ｃ７。
【０６５６】
遊技機Ｃ７によれば、遊技機Ｃ１又はＣ２の奏する効果に加え、切替手段により、操作手段の操作量に対応して操作手段を介して遊技者に与えられる負荷の変化態様が複数種類で変化可能とされるので、遊技者が、負荷の変化態様を判別し易い操作態様で操作手段を操作する確率を上げることができる。即ち、操作手段を叩きつけるような操作態様を抑制し、操作手段を時間をかけて押し込む操作態様を促進することができるので、操作により操作手段が受ける負荷を低減することができ、操作手段の破損を防止することができる。
【０６５７】
遊技機Ｃ７において、前記切替手段は、前記動作手段を前記第２位置で維持可能に構成され、前記操作手段の操作により前記動作手段に与えられる負荷が、前記動作手段が前記第２位置に配置される場合に最小となるように切替可能に構成されることを特徴とする遊技機Ｃ８。
【０６５８】
遊技機Ｃ８によれば、遊技機Ｃ７の奏する効果に加え、動作手段が第２位置に配置される場合に、操作手段から動作手段に与えられる負荷が最小となるようにすることができるので、動作手段を第２位置で維持することにより、操作手段の操作により操作手段に与えられる負荷を低減することができ、操作手段の破損を抑制することができる。
【０６５９】
＜指示外のタイミングで押し込み操作→駆動制御は同じままで、正しく動かない＞
遊技者が操作する操作手段と、その操作手段の操作に伴って、第１位置と、その第１位置とは異なる第２位置との間を動作可能とされる動作手段と、その動作手段を前記第１位置へ復帰させる復帰手段と、遊技者に対して前記操作手段を操作する期間を報知する報知手段と、を備える遊技機において、前記報知手段により報知される期間外で前記操作手段が操作された場合に、第１状態から第２状態へ状態が切り替えられると共に、その状態の切替により前記動作手段の動作態様を変化可能な切替手段を備えることを特徴とする遊技機Ｄ１。
【０６６０】
ここで、パチンコ機等の遊技機において、ボタンの移動を規制するストッパー部材を変位させ、ボタンが押し下げ不可能となる状態を形成可能とすることで、無意味な連打操作を抑制し得る遊技機がある（例えば特開２０１２−１１５５８６号公報を参照）。しかし、上述した従来の遊技機では、そもそもボタンが下降せず、遊技者が押し込みを行っていることを検出できないので、不慣れな遊技者が、ボタンが押し下げられないことを、仕様である（固いボタンである）と勘違いして、更に大きな力で押し下げようとする（誤操作する）場合であっても、遊技機側からアラームをかけることができない。
【０６６１】
これに対し、遊技機Ｄ１によれば、報知手段に操作を促された期間外で操作手段が操作された場合に状態が切替られ、状態の切替により動作手段の動作態様を変化可能な切替手段を備えるので、不慣れな遊技者に対しても、動作手段の動作態様を視認させることで誤操作を行っていることに気付かせることができる。
【０６６２】
また、変化するのは動作手段の動作態様なので、操作手段を押し込み不可にすることで遊技者が手を痛めることにつながったり、液晶演出が変化する場合のように遊技者の操作により演出が途切れたりすることを防止できる。そのため、敢えて誤操作を行う遊技者は、従来通りの遊技を続行できる。即ち、遊技者は、操作手段の操作の仕方を自分で選択できる。
【０６６３】
なお、報知手段による報知の態様は限定されるものではなく、様々な態様が例示される。例えば、液晶表示装置で「押せ」や「ＰＵＳＨ」などの文字を表示する態様でも良いし、音響装置から「今だ」などの音声を出力しても良いし、また、予め決められた条件が揃うことにより報知がされたと見なしても良い（所謂「裏ボタン」）。
【０６６４】
なお、報知期間外で操作手段を操作する場合に動作手段の動作から遊技者が得られる利益が、報知期間で操作する場合に動作手段の動作から遊技者が得られる利益以下に設定されるようにしても良い。
【０６６５】
この場合、報知期間で操作する方が報知期間外で操作する場合に比較して遊技者にとって不利とならないので、動作手段の動作態様から少しでも有利な情報を得たい（例えば、大当たり期待度を予想したい）遊技者に対して、報知手段の報知に従って操作手段を操作するように仕向けることができる。これにより、遊技者が、報知手段により報知される期間以外の期間で操作手段を無意味に連打操作することを抑制することができる。そのため、感情が高ぶった遊技者がボタンを連打操作することに対しての抑止力を、十分に高めることができる。
【０６６６】
なお、遊技者が得られる利益の態様は限定されるものではなく、様々な態様が例示される。例えば、大当たり期待度（大当たり遊技状態等の特別遊技状態の発生に対する期待感）を高い精度で把握できる利益でも良いし、電動チューリップの開閉部材が開状態の時に球が入賞口に到達し易い発射タイミングを把握できる利益でも良いし、遊技者が有利となり易い発射強度や発射タイミングを把握できる利益でも良い。
【０６６７】
遊技機Ｄ１において、前記操作手段を介して遊技者に反力を与える反力発生手段を備え、その反力発生手段が与える反力は、報知期間外での操作の有無に関わらず同等とされることを特徴とする遊技機Ｄ２。
【０６６８】
遊技機Ｄ２によれば、遊技機Ｄ１の奏する効果に加え、反力発生手段が遊技者に与える反力が、報知期間外での操作の有無に関わらず変化しないので、報知手段の報知に無関係に操作手段を操作する遊技者でも違和感なく操作手段を操作することができる。
【０６６９】
また、操作態様の違いが変化したことに遊技者が反力の違いにより気付くことを防止することで、動作手段への注目力を向上することができる。
【０６７０】
遊技機Ｄ１又はＤ２において、前記切替手段は、前記動作手段の動作態様を当接により変化させる当接手段と、その当接手段を駆動する駆動手段と、前記報知手段の報知期間外での操作で動作手段が動作することにより第１状態から第２状態へ状態変化可能とされる変位手段と、を備え、その変位手段は、前記第２状態において、前記動作手段と前記当接手段との間に介在可能とされ、前記変位手段が前記動作手段と前記当接手段との間に介在することで前記操作手段の操作に伴う前記動作手段の動作態様が変化することを特徴とする遊技機Ｄ３。
【０６７１】
遊技機Ｄ３によれば、遊技機Ｄ１又はＤ２の奏する効果に加え、変位手段が第２状態となり動作手段と当接手段との間に介在することで動作手段の動作態様が変化されるので、切替手段の当接手段の動作部材に対する態様を切り替えずとも、遊技者が報知手段の報知期間外で操作手段を操作するか否かにより、動作手段の動作態様を変化させることができる。従って、遊技者が操作手段を操作することを契機に当接手段の動作手段に対する態様を切り替える場合に比較して、当接手段を駆動する駆動手段の制御負担を低減することができる。
【０６７２】
なお、変位手段の配置場所は限定されるものでは無い。例えば、当接手段上に配置されても良いし、動作手段に配設されても良いし、当接手段と動作手段との間に配設される別手段に配設されても良い。
【０６７３】
遊技機Ｄ３において、前記変位手段が第２状態に変化したことを検出する検出手段を備えることを特徴とする遊技機Ｄ４。
【０６７４】
遊技機Ｄ４によれば、遊技機Ｄ３の奏する効果に加え、変位手段が第２状態に変化したことを検出手段により検出できるので、報知手段の報知と照合することなく、報知手段の報知期間外で操作手段が操作されたと判定することができる。従って、報知手段の報知期間外で操作手段が操作されたことを判定する制御フローを短縮することができる。
【０６７５】
遊技機Ｄ３又はＤ４において、前記変位手段が前記動作手段と当接手段との間に介在することにより生じる動作手段の動作態様は、報知期間外で操作手段の操作が行われなかった場合のいずれの動作態様とも異なることを特徴とする遊技機Ｄ５。
【０６７６】
遊技機Ｄ５によれば、遊技機Ｄ３又はＤ４の奏する効果に加え、変位手段が動作手段と当接手段との間に介在することで生じる動作手段の動作態様が、報知期間外で操作手段の操作が行われなかった場合のいずれの動作態様とも異なるので、遊技者が意図せず報知手段の報知期間外で操作手段を操作している場合にも、動作手段の動作態様に注目させることで、通常とは異なる操作態様で操作手段を操作していることに気付かせることができる。
【０６７７】
また、液晶装置の表示を変化させたり（例えば、エラー表示をしたり）、音響・照明装置で異常を知らせたりする場合に比較して、遊技者に過度にストレスを与えることなく、動作手段に注目する遊技者にだけ気づかせるという演出を行うことができる。
【０６７８】
遊技機Ｄ３又はＤ４において、前記変位手段が前記動作手段と当接手段との間に介在することにより生じる動作手段の動作態様は、報知期間外で操作手段の操作が行われなかった場合のいずかの動作態様と同等とされることを特徴とする遊技機Ｄ６。
【０６７９】
遊技機Ｄ６によれば、遊技機Ｄ３又はＤ４の奏する効果に加え、変位手段が動作手段と当接手段との間に介在することで生じる動作手段の動作態様が、報知期間外で操作手段の操作が行われなかった場合のいずれかの動作態様と同等とされるので、現に生じている動作手段の動作態様が、変位手段の介在により生じているのか、変位手段が介在せず生じているのか、遊技者が把握することを困難とでき、報知手段の報知期間外で操作手段を操作する遊技者を混乱させる演出を行うことができる。これにより、遊技者に報知手段の報知期間外での操作手段の操作を行わせないように仕向けることができる。
【０６８０】
遊技機Ｄ３からＤ６のいずれかにおいて、前記駆動手段は、前記変位手段を前記第２状態から前記第１状態へ切り替える第１駆動態様で駆動可能に構成されることを特徴とする遊技機Ｄ７。
【０６８１】
遊技機Ｄ７によれば、遊技機Ｄ３からＤ６のいずれかの奏する効果に加え、遊技者が報知手段の報知期間外で操作手段を操作していたとしても、駆動手段が第１駆動態様で駆動されることにより変位手段が第２状態から第１状態へ切替られるので、駆動手段の駆動態様を把握不能とすることにより、動作手段の動作態様が、変位手段の介在により生じているのか、変位手段は介在せず生じているのかの把握を困難とすることができる。
【０６８２】
遊技機Ａ１からＡ１１，Ｂ１からＢ１０，Ｃ１からＣ８，Ｄ１からＤ７のいずれかにおいて、前記遊技機はスロットマシンであることを特徴とする遊技機Ｚ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０６８３】
遊技機Ａ１からＡ１１，Ｂ１からＢ１０，Ｃ１からＣ８，Ｄ１からＤ７のいずれかにおいて、前記遊技機はパチンコ遊技機であることを特徴とする遊技機Ｚ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０６８４】
遊技機Ａ１からＡ１１，Ｂ１からＢ１０，Ｃ１からＣ８，Ｄ１からＤ７のいずれかにおいて、前記遊技機はパチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【０６８５】
１０                                  パチンコ機（遊技機）
１３                                  遊技盤
８１                                  第３図柄表示装置（報知手段の一部）
３１０                                操作部材（操作手段）
３３０                                クラッチ部材（第２動作手段）
３４０、２３４０、４３４０            開閉部材（動作手段、可動部材）
３４０ａ                              開閉部材（可動部材の一部）
３４０ｂ                              開閉部材（可動部材の一部）
３４５                                調整腕部（動作手段の一部、可動部材の一部）
４００                                切替装置（復帰手段の一部、切替手段）
４２０、２４２０、３４２０            調整段部（対向部）
４９０、４５９０                      駆動モータ（駆動手段）
２３４０ａ                            第１開閉部材（可動部材の一部）
２３４０ｂ                            第２開閉部材（可動部材の一部）
２３４０ｃ                            第３開閉部材（可動部材の一部）
２３４０ｄ                            第４開閉部材（可動部材の一部）
２４００                              切替装置（復帰手段の一部、切替手段）
３４００                              切替装置（復帰手段の一部、切替手段）
３４１０                              本体円環部（変位手段の一部）
３４４０                              第１動作装置（介在手段の一部、操作時切替手段）
３４５０                              第２動作装置（介在手段の一部、操作時切替手段）
４３１０                              操作部材（操作手段、切替手段の一部、介在手段）
４３１２                              膨出部（第２動作手段）
４５００                              切替装置（復帰手段の一部、切替手段）
４５２０                              スライド部材（変位手段の一部、当接手段の一部）
４５３０                              第１復帰部材（当接手段の一部）
４５４０                              第２復帰部材（当接手段の一部）
５４００                              切替装置（復帰手段の一部、切替手段）
５４１３                              被検出部材（検出手段の一部）
５４２０                              調整段部（対向部、当接手段の一部）
５４５０                              第１分割円環部材（変位手段の一部）
５４６０                              第２分割円環部材（変位手段の一部）
６３６０                              移動カバー部材（変位手段）
６５００                              切替装置（復帰手段の一部、切替手段）
７３０１ｅ                            押し上げ部材（変位手段の一部、第１付勢手段、切替手段）
７３２０                              操作カバー（操作手段）
７３２４                              規制部（解除手段）
７５００                              切替装置（復帰手段の一部、切替手段）
ＮＢ１                                ねじりバネ（復帰手段の一部、付勢手段）
ＫＣ５１                              検出センサ（検出手段の一部）
ＫＣ７１                              検出センサ（検出手段）
ＳＰ１                                スプリング（反力発生手段の一部）
ＳＰ２                                スプリング（反力発生手段の一部）
【図１】
2018166784.tif 000003
【図２】
2018166784.tif 000004
【図３】
2018166784.tif 000005
【図４】
2018166784.tif 000006
【図５】
2018166784.tif 000007
【図６】
2018166784.tif 000008
【図７】
2018166784.tif 000009
【図８】
2018166784.tif 000010
【図９】
2018166784.tif 000011
【図１０】
2018166784.tif 000012
【図１１】
2018166784.tif 000013
【図１２】
2018166784.tif 000014
【図１３】
2018166784.tif 000015
【図１４】
2018166784.tif 000016
【図１５】
2018166784.tif 000017
【図１６】
2018166784.tif 000018
【図１７】
2018166784.tif 000019
【図１８】
2018166784.tif 000020
【図１９】
2018166784.tif 000021
【図２０】
2018166784.tif 000022
【図２１】
2018166784.tif 000023
【図２２】
2018166784.tif 000024
【図２３】
2018166784.tif 000025
【図２４】
2018166784.tif 000026
【図２５】
2018166784.tif 000027
【図２６】
2018166784.tif 000028
【図２７】
2018166784.tif 000029
【図２８】
2018166784.tif 000030
【図２９】
2018166784.tif 000031
【図３０】
2018166784.tif 000032
【図３１】
2018166784.tif 000033
【図３２】
2018166784.tif 000034
【図３３】
2018166784.tif 000035
【図３４】
2018166784.tif 000036
【図３５】
2018166784.tif 000037
【図３６】
2018166784.tif 000038
【図３７】
2018166784.tif 000039
【図３８】
2018166784.tif 000040
【図３９】
2018166784.tif 000041
【図４０】
2018166784.tif 000042
【図４１】
2018166784.tif 000043
【図４２】
2018166784.tif 000044
【図４３】
2018166784.tif 000045
【図４４】
2018166784.tif 000046
【図４５】
2018166784.tif 000047
【図４６】
2018166784.tif 000048
【図４７】
2018166784.tif 000049
【図４８】
2018166784.tif 000050
【図４９】
2018166784.tif 000051
【図５０】
2018166784.tif 000052
【図５１】
2018166784.tif 000053
【図５２】
2018166784.tif 000054
【図５３】
2018166784.tif 000055
【図５４】
2018166784.tif 000056
【図５５】
2018166784.tif 000057
【図５６】
2018166784.tif 000058
【図５７】
2018166784.tif 000059
【図５８】
2018166784.tif 000060
【図５９】
2018166784.tif 000061
【図６０】
2018166784.tif 000062
【図６１】
2018166784.tif 000063
【図６２】
2018166784.tif 000064
【図６３】
2018166784.tif 000065
【図６４】
2018166784.tif 000066
【図６５】
2018166784.tif 000067
【図６６】
2018166784.tif 000068
【図６７】
2018166784.tif 000069
【図６８】
2018166784.tif 000070
【図６９】
2018166784.tif 000071
【図７０】
2018166784.tif 000072
【図７１】
2018166784.tif 000073
【図７２】
2018166784.tif 000074
【図７３】
2018166784.tif 000075
【図７４】
2018166784.tif 000076
【図７５】
2018166784.tif 000077
【図７６】
2018166784.tif 000078
【図７７】
2018166784.tif 000079
【図７８】
2018166784.tif 000080
【図７９】
2018166784.tif 000081
【図８０】
2018166784.tif 000082
【図８１】
2018166784.tif 000083
【図８２】
2018166784.tif 000084
【図８３】
2018166784.tif 000085
【図８４】
2018166784.tif 000086
【図８５】
2018166784.tif 000087
【図８６】
2018166784.tif 000088
【図８７】
2018166784.tif 000089
【図８８】
2018166784.tif 000090
【図８９】
2018166784.tif 000091
【図９０】
2018166784.tif 000092
【図９１】
2018166784.tif 000093
【図９２】
2018166784.tif 000094